(57)【要約】【課題】無線端末装置の移動動作を適切に制御することにより、通信の安定化を図ることが可能な無線端末装置、無線基地局装置、通信制御装置、管理装置、通信制御方法および通信制御プログラムを提供する。【解決手段】無線端末装置２０２は、移動動作を行なうことにより複数の無線基地局装置１０１と通信を行い、自己の無線端末装置２０２の移動動作の実行回数をカウントするためのカウント部１３と、上記実行回数に基づいて、自己の無線端末装置２０２の移動状態を推定するための移動状態推定部１２とを備える。そして、カウント部１３は、無線基地局装置１０１から取得したカウント基準に従ってカウントする。【選択図】図２９
2013201586.tif 000002
【特許請求の範囲】
【請求項１】
移動動作を行なうことにより複数の無線基地局装置と通信可能な無線端末装置であって、
自己の無線端末装置の前記移動動作の実行回数をカウントするためのカウント部と、
前記カウント部によってカウントされた前記実行回数に基づいて、自己の無線端末装置の移動状態を推定するための移動状態推定部とを備え、
前記カウント部は、前記無線基地局装置から取得したカウント基準に従って前記カウントを行う、無線端末装置。
【請求項２】
前記カウント部は、実行された自己の無線端末装置の前記移動動作を前記カウント基準に従って重み付けし、重み付けした値を用いて前記カウントを行う、請求項１に記載の無線端末装置。
【請求項３】
移動動作を行なうことにより複数の無線基地局装置と通信可能な無線端末装置であって、
自己の無線端末装置の前記移動動作の実行回数をカウントするためのカウント部と、
前記カウント部によってカウントされた前記実行回数に基づいて、自己の無線端末装置の移動状態を推定するための移動状態推定部とを備え、
前記カウント部は、実行された自己の無線端末装置の前記移動動作を所定のカウント基準に従って重み付けし、重み付けした値を用いて前記カウントを行う、無線端末装置。
【請求項４】
前記カウント部は、実行された自己の無線端末装置の前記移動動作が、前記カウント基準に従う所定条件を満たす場合には、前記所定条件を満たす前記移動動作を前記カウントの対象から除外する、請求項１から請求項３のいずれか１項に記載の無線端末装置。
【請求項５】
前記カウント部は、自己の無線端末装置のハンドオーバ動作におけるハンドオーバ元の無線基地局装置から受信したハンドオーバコマンドに含まれるカウント基準を取得する、請求項１または請求項２に記載の無線端末装置。
【請求項６】
前記無線端末装置は、さらに、
前記移動状態推定部によって推定された前記移動状態に基づいて、自己の無線端末装置の前記移動動作の実行判断に関わる自己の無線端末装置の設定を行うための設定部を備える、請求項１から請求項５のいずれか１項に記載の無線端末装置。
【請求項７】
前記無線端末装置は、さらに、
前記移動状態推定部によって推定された前記移動状態を、前記無線基地局装置へ通知するための通知部を備える、請求項１から請求項６のいずれか１項に記載の無線端末装置。
【請求項８】
前記設定部は、前記移動状態に基づいて、自己の無線端末装置のハンドオーバ動作の実行判断に関わる自己の無線端末装置の動作に関する設定を行う、請求項６に記載の無線端末装置。
【請求項９】
前記カウント部は、前記無線基地局装置から取得した情報に基づいて、前記所定条件を満たすか否かを判断する、請求項４に記載の無線端末装置。
【請求項１０】
前記無線端末装置は、さらに、
移動動作における移動元または移動先の無線基地局装置から送信される無線信号の送信電力に基づいて、前記移動動作における移動元または移動先の無線基地局装置の種別を判定するための基地局種別判定部を備え、
前記カウント部は、前記基地局種別判定部の判定結果に基づいて、前記移動動作を前記カウントの対象とするか否かを判断する、請求項１から請求項９のいずれか１項に記載の無線端末装置。
【請求項１１】
前記カウント部は、自己の無線端末装置の無線基地局装置への移動動作が行われてから他の無線基地局装置への移動動作が行われるまでの滞在時間が所定のしきい値未満の場合に、前記移動動作を前記カウントの対象から除外する、請求項１から請求項１０のいずれか１項に記載の無線端末装置。
【請求項１２】
前記カウント部は、自己の無線端末装置の他の無線基地局装置から小型基地局への移動動作が行われた場合に、前記移動動作を前記カウントの対象から除外する、請求項１から請求項１１のいずれか１項に記載の無線端末装置。
【請求項１３】
前記カウント部は、自己の無線端末装置の小型基地局から他の無線基地局装置への移動動作が行われた場合に、前記移動動作を前記カウントの対象から除外する、請求項１から請求項１２のいずれか１項に記載の無線端末装置。
【請求項１４】
前記カウント部は、自己の無線端末装置のマクロ基地局から他の無線基地局装置への移動動作または他の無線基地局装置からマクロ基地局への移動動作が行われた場合に、前記移動動作を前記カウントの対象とする、請求項１から請求項１３のいずれか１項に記載の無線端末装置。
【請求項１５】
ハンドオーバ動作を行なうことにより複数の無線基地局装置と通信可能な無線端末装置であって、
自己の無線端末装置の前記ハンドオーバ動作の実行回数をカウントするためのカウント部と、
前記カウント部によってカウントされた前記実行回数に基づいて、自己の無線端末装置の移動状態を推定するための移動状態推定部と、
前記移動状態推定部によって推定された前記移動状態に基づいて、ＴＴＴ（Time to Trigger）の値を設定するための設定部と、
前記無線基地局装置から送信される無線信号の受信電力を測定し、測定結果が前記ＴＴＴで示される時間継続して所定条件を満たす場合に、前記測定結果を示すメジャメントレポートを通信接続先の無線基地局装置へ送信するための受信電力報告部とを備え、
前記カウント部は、前記無線基地局装置から取得したカウント基準に従って前記カウントを行う、無線端末装置。
【請求項１６】
ハンドオーバ動作を行なうことにより複数の無線基地局装置と通信可能な無線端末装置であって、
自己の無線端末装置の前記ハンドオーバ動作の実行回数をカウントするためのカウント部と、
前記カウント部によってカウントされた前記実行回数に基づいて、自己の無線端末装置の移動状態を推定するための移動状態推定部と、
前記移動状態推定部によって推定された前記移動状態に基づいて、ＴＴＴの値を設定するための設定部と、
前記無線基地局装置から送信される無線信号の受信電力を測定し、測定結果が前記ＴＴＴで示される時間継続して所定条件を満たす場合に、前記測定結果を示すメジャメントレポートを通信接続先の無線基地局装置へ送信するための受信電力報告部とを備え、
前記カウント部は、実行された自己の無線端末装置の前記ハンドオーバ動作を所定のカウント基準に従って重み付けし、重み付けした値を用いて前記カウントを行う、無線端末装置。
【請求項１７】
移動動作を行なうことにより複数の無線基地局装置と通信可能であり、かつカウント基準に従って前記移動動作の実行回数をカウントする無線端末装置について、前記カウント基準を作成するためのカウント基準作成部と、
前記カウント基準作成部によって作成された前記カウント基準を他の装置に通知するためのカウント基準通知部とを備える、通信制御装置。
【請求項１８】
前記カウント基準作成部は、各前記無線基地局装置を重み付けし、
前記カウント基準通知部は、前記カウント基準作成部による重み付け結果を前記カウント基準として通知する、請求項１７に記載の通信制御装置。
【請求項１９】
前記カウント基準通知部は、前記カウント基準作成部による重み付け結果を前記各無線基地局装置に通知する、請求項１８に記載の通信制御装置。
【請求項２０】
請求項１７に記載の通信制御装置を備える無線基地局装置。
【請求項２１】
前記無線基地局装置を管理し、請求項１７に記載の通信制御装置を備える管理装置。
【請求項２２】
移動動作を行なうことにより複数の無線基地局装置と通信可能な無線端末装置における通信制御方法であって、
自己の無線端末装置の前記移動動作の実行回数をカウントするステップと、
カウントした前記実行回数に基づいて、自己の無線端末装置の移動状態を推定するステップとを含み、
前記カウントするステップにおいては、前記無線基地局装置から取得したカウント基準に従って前記カウントを行う、通信制御方法。
【請求項２３】
移動動作を行なうことにより複数の無線基地局装置と通信可能な無線端末装置における通信制御方法であって、
自己の無線端末装置の前記移動動作の実行回数をカウントするステップと、
カウントした前記実行回数に基づいて、自己の無線端末装置の移動状態を推定するステップとを含み、
前記カウントするステップにおいては、実行された自己の無線端末装置の前記移動動作を所定のカウント基準に従って重み付けし、重み付けした値を用いて前記カウントを行う、通信制御方法。
【請求項２４】
ハンドオーバ動作を行なうことにより複数の無線基地局装置と通信可能な無線端末装置における通信制御方法であって、
自己の無線端末装置の前記ハンドオーバ動作の実行回数をカウントするステップと、
カウントした前記実行回数に基づいて、自己の無線端末装置の移動状態を推定するステップと、
推定した前記移動状態に基づいて、ＴＴＴの値を設定するステップと、
前記無線基地局装置から送信される無線信号の受信電力を測定し、測定結果が前記ＴＴＴで示される時間継続して所定条件を満たす場合に、前記測定結果を示すメジャメントレポートを通信接続先の無線基地局装置へ送信するステップとを含み、
前記カウントするステップにおいては、前記無線基地局装置から取得したカウント基準に従って前記カウントを行う、通信制御方法。
【請求項２５】
ハンドオーバ動作を行なうことにより複数の無線基地局装置と通信可能な無線端末装置における通信制御方法であって、
自己の無線端末装置の前記ハンドオーバ動作の実行回数をカウントするステップと、
カウントした前記実行回数に基づいて、自己の無線端末装置の移動状態を推定するステップと、
推定した前記移動状態に基づいて、ＴＴＴの値を設定するステップと、
前記無線基地局装置から送信される無線信号の受信電力を測定し、測定結果が前記ＴＴＴで示される時間継続して所定条件を満たす場合に、前記測定結果を示すメジャメントレポートを通信接続先の無線基地局装置へ送信するステップとを含み、
前記カウントするステップにおいては、実行された自己の無線端末装置の前記ハンドオーバ動作を所定のカウント基準に従って重み付けし、重み付けした値を用いて前記カウントを行う、通信制御方法。
【請求項２６】
通信制御装置における通信制御方法であって、
移動動作を行なうことにより複数の無線基地局装置と通信可能であり、かつカウント基準に従って前記移動動作の実行回数をカウントする無線端末装置について、前記カウント基準を作成するステップと、
作成した前記カウント基準を他の装置に通知するステップとを含む、通信制御方法。
【請求項２７】
移動動作を行なうことにより複数の無線基地局装置と通信可能な無線端末装置において用いられる通信制御プログラムであって、コンピュータに、
自己の無線端末装置の前記移動動作の実行回数をカウントするステップと、
カウントした前記実行回数に基づいて、自己の無線端末装置の移動状態を推定するステップとを実行させるためのプログラムであり、
前記カウントするステップにおいては、前記無線基地局装置から取得したカウント基準に従って前記カウントを行う、通信制御プログラム。
【請求項２８】
移動動作を行なうことにより複数の無線基地局装置と通信可能な無線端末装置において用いられる通信制御プログラムであって、コンピュータに、
自己の無線端末装置の前記移動動作の実行回数をカウントするステップと、
カウントした前記実行回数に基づいて、自己の無線端末装置の移動状態を推定するステップとを実行させるためのプログラムであり、
前記カウントするステップにおいては、実行された自己の無線端末装置の前記移動動作を所定のカウント基準に従って重み付けし、重み付けした値を用いて前記カウントを行う、通信制御プログラム。
【請求項２９】
通信制御装置において用いられる通信制御プログラムであって、コンピュータに、
移動動作を行なうことにより複数の無線基地局装置と通信可能であり、かつカウント基準に従って前記移動動作の実行回数をカウントする無線端末装置について、前記カウント基準を作成するステップと、
作成した前記カウント基準を他の装置に通知するステップとを実行させるための、通信制御プログラム。
【発明の詳細な説明】
【技術分野】
【０００１】
本発明は、無線端末装置、無線基地局装置、通信制御装置、管理装置、通信制御方法および通信制御プログラムに関し、特に、無線端末装置が移動動作を行なうことにより複数の無線基地局装置と通信可能な通信システムにおける無線端末装置、無線基地局装置、通信制御装置、管理装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された小型基地局が注目を集めている。
【０００５】
この小型基地局の一種としてフェムト基地局およびピコ基地局が開発されている。フェムト基地局が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、ピコ基地局は、マクロ基地局をベースに開発され、たとえば半径１００メートルから２００メートルのピコセル（Pico Cell）を形成する。
【０００８】
このようなフェムト基地局、ピコ基地局およびマクロ基地局が混在する通信システムであるヘテロジーニアスネットワーク（Heterogeneous Network）では、たとえばマクロセル内に複数のフェムトセルまたはピコセルが形成される。このため、無線端末装置のハンドオーバ動作が起こりやすくなり、また、ハンドオーバ動作を行なう状況も複雑になることから、ハンドオーバ動作のタイミングが早すぎたり、あるいは遅すぎたりするなど、不適切なハンドオーバ動作が行なわれる場合がある（たとえば、3GPP（Third Generation Partnership Project） TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、無線端末装置の移動動作を適切に制御することにより、通信の安定化を図ることが可能な無線基地局装置、無線基地局装置、通信制御装置、管理装置、通信制御方法および通信制御プログラムを提供することである。
【課題を解決するための手段】
【００１２】
（１）上記課題を解決するために、この発明のある局面に係わる無線端末装置は、移動動作を行なうことにより複数の無線基地局装置と通信可能な無線端末装置であって、自己の無線端末装置の上記移動動作の実行回数をカウントするためのカウント部と、上記カウント部によってカウントされた上記実行回数に基づいて、自己の無線端末装置の移動状態を推定するための移動状態推定部とを備え、上記カウント部は、上記無線基地局装置から取得したカウント基準に従って上記カウントを行う。
【００１３】
このような構成により、無線端末装置と比べて広範囲の通信環境を把握する無線基地局装置から取得したカウント基準に従ってカウントを行うことができるので、無線端末装置は、自己の移動状態を適切に推定することができる。ここで、移動動作は、たとえばハンドオーバ動作またはセル再選択動作である。
【００１４】
これにより、無線端末装置は、ヘテロジーニアスネットワークにおいて移動する場合においても、自己の移動状態を適切に推定することができる。
【００１５】
そして、無線端末装置は、適切に推定した自己の移動状態に基づいて、たとえば移動動作のタイミングを適切に調整することができる。これにより、不適切な移動動作の発生が抑制され、通信システムにおける通信の安定化を図ることができる。
【００１６】
（２）好ましくは、上記カウント部は、実行された自己の無線端末装置の上記移動動作を上記カウント基準に従って重み付けし、重み付けした値を用いて上記カウントを行う。
【００１７】
このような構成により、移動動作の種別に応じて重み付けした値を用いて、移動動作の実行回数を適切にカウントすることができる。
【００１８】
（３）上記課題を解決するために、この発明のある局面に係わる無線端末装置は、移動動作を行なうことにより複数の無線基地局装置と通信可能な無線端末装置であって、自己の無線端末装置の上記移動動作の実行回数をカウントするためのカウント部と、上記カウント部によってカウントされた上記実行回数に基づいて、自己の無線端末装置の移動状態を推定するための移動状態推定部とを備え、上記カウント部は、実行された自己の無線端末装置の上記移動動作を所定のカウント基準に従って重み付けし、重み付けした値を用いて上記カウントを行う。
【００１９】
このような構成により、移動動作の種別に応じて重み付けした値を用いてカウントすることができるので、自己の移動状態を適切に推定することができる。
【００２０】
これにより、無線端末装置は、ヘテロジーニアスネットワークにおいて移動する場合においても、自己の移動状態を適切に推定することができる。
【００２１】
そして、無線端末装置は、適切に推定した自己の移動状態に基づいて、たとえば移動動作のタイミングを適切に調整することができる。これにより、不適切な移動動作の発生が抑制され、通信システムにおける通信の安定化を図ることができる。
【００２２】
（４）好ましくは、上記カウント部は、実行された自己の無線端末装置の上記移動動作が、上記カウント基準に従う所定条件を満たす場合には、上記所定条件を満たす上記移動動作を上記カウントの対象から除外する。
【００２３】
このような構成により、カウント基準に従って上記カウントの対象として適切な移動動作を選択することができるので、移動動作の実行回数を適切にカウントすることができる。
【００２４】
（５）好ましくは、上記カウント部は、自己の無線端末装置のハンドオーバ動作におけるハンドオーバ元の無線基地局装置から受信したハンドオーバコマンドに含まれるカウント基準を取得する。
【００２５】
このような構成により、移動動作の実行回数をカウントするために必要な情報を、無線端末装置の移動動作を管理する無線基地局装置から取得することができる。
【００２６】
また、ハンドオーバ元の無線基地局装置においては、当該無線基地局装置が形成するセルに在圏する無線端末装置の台数が特に少ない場合、報知情報によりカウント基準を繰り返して送信するよりも、無線端末装置に対してカウント基準を効率よく通知することができる。
【００２７】
（６）好ましくは、上記無線端末装置は、さらに、上記移動状態推定部によって推定された上記移動状態に基づいて、自己の無線端末装置の上記移動動作の実行判断に関わる自己の無線端末装置の設定を行うための設定部を備える。
【００２８】
このような構成により、自己の移動状態に基づいて、たとえば移動動作のタイミング等のパラメータの設定を適切に行うことができる。
【００２９】
（７）好ましくは、上記無線端末装置は、さらに、上記移動状態推定部によって推定された上記移動状態を、上記無線基地局装置へ通知するための通知部を備える。
【００３０】
このような構成により、当該無線基地局装置において、無線端末装置により通知された移動状態を用いることにより、適切なタイミングで当該無線端末装置の移動動作が行われるので、当該無線端末装置における不適切な移動動作の発生を抑制することができる。
【００３１】
（８）より好ましくは、上記設定部は、上記移動状態に基づいて、自己の無線端末装置のハンドオーバ動作の実行判断に関わる自己の無線端末装置の動作に関する設定を行う。
【００３２】
このような構成により、ハンドオーバ動作の実行判断に関わる動作を行うタイミング等を調整することができる。無線端末装置の移動状態に基づいて上記タイミングの調整を適切に行うことにより、ハンドオーバ動作のタイミングが適正化され、不適切なハンドオーバ動作の発生を抑制することができる。
【００３３】
（９）より好ましくは、上記カウント部は、上記無線基地局装置から取得した情報に基づいて、上記所定条件を満たすか否かを判断する。
【００３４】
このような構成により、たとえば無線基地局装置における無線信号の送信電力の設定変更により通信システムの構成が変更される場合においても、当該変更を無線端末装置において速やかに反映させることができるので、通信システムの変更に対する柔軟性を高めることができる。
【００３５】
また、周辺の無線基地局装置の情報を予め取得することにより、移動動作の開始に先立って当該移動動作をカウントの対象とするか否かを判断することができる。これにより、無線端末装置は、当該移動動作を自己の移動状態の推定に速やかに反映させることができる。
【００３６】
（１０）好ましくは、上記無線端末装置は、さらに、移動動作における移動元または移動先の無線基地局装置から送信される無線信号の送信電力に基づいて、上記移動動作における移動元または移動先の無線基地局装置の種別を判定するための基地局種別判定部を備え、上記カウント部は、上記基地局種別判定部の判定結果に基づいて、上記移動動作を上記カウントの対象とするか否かを判断する。
【００３７】
このような構成により、無線基地局装置が送信する無線信号の送信電力に基づいて、当該無線基地局装置の種別を適切に判別し、上記カウントの対象として適切な移動動作を選択することができる。
【００３８】
（１１）好ましくは、上記カウント部は、自己の無線端末装置の無線基地局装置への移動動作が行われてから他の無線基地局装置への移動動作が行われるまでの滞在時間が所定のしきい値未満の場合に、上記移動動作を上記カウントの対象から除外する。
【００３９】
このように、移動動作の完了後に在圏するセルにおける滞在時間を選択基準にする構成により、上記カウントの対象として適切な移動動作を選択し、自己の移動状態を適切に推定することができる。
【００４０】
（１２）好ましくは、上記カウント部は、自己の無線端末装置の他の無線基地局装置から小型基地局への移動動作が行われた場合に、上記移動動作を上記カウントの対象から除外する。
【００４１】
このように、他の無線基地局装置から小型基地局への移動動作をカウントの対象から除外する構成により、上記カウントの対象として適切な移動動作を選択し、自己の移動状態を適切に推定することができる。
【００４２】
（１３）好ましくは、上記カウント部は、自己の無線端末装置の小型基地局から他の無線基地局装置への移動動作が行われた場合に、上記移動動作を上記カウントの対象から除外する。
【００４３】
このように、小型基地局から他の無線基地局装置への移動動作をカウントの対象から除外する構成により、上記カウントの対象として適切な移動動作を選択し、自己の移動状態を適切に推定することができる。
【００４４】
（１４）好ましくは、上記カウント部は、自己の無線端末装置のマクロ基地局から他の無線基地局装置への移動動作または他の無線基地局装置からマクロ基地局への移動動作が行われた場合に、上記移動動作を上記カウントの対象とする。
【００４５】
このように、サイズが大きいマクロセルを移動元または移動先とする移動動作をカウント対象とする構成により、上記カウントの対象として適切な移動動作を選択し、自己の移動状態を適切に推定することができる。
【００４６】
（１５）上記課題を解決するために、この発明のある局面に係わる無線端末装置は、ハンドオーバ動作を行なうことにより複数の無線基地局装置と通信可能な無線端末装置であって、自己の無線端末装置の上記ハンドオーバ動作の実行回数をカウントするためのカウント部と、上記カウント部によってカウントされた上記実行回数に基づいて、自己の無線端末装置の移動状態を推定するための移動状態推定部と、上記移動状態推定部によって推定された上記移動状態に基づいて、ＴＴＴ（Time to Trigger）の値を設定するための設定部と、上記無線基地局装置から送信される無線信号の受信電力を測定し、測定結果が上記ＴＴＴで示される時間継続して所定条件を満たす場合に、上記測定結果を示すメジャメントレポートを通信接続先の無線基地局装置へ送信するための受信電力報告部とを備え、上記カウント部は、上記無線基地局装置から取得したカウント基準に従って上記カウントを行う。
【００４７】
このような構成により、無線端末装置と比べて広範囲の通信環境を把握する無線基地局装置から取得したカウント基準に従ってカウントを行うことができるので、無線端末装置は、自己の移動状態を適切に推定することができる。
【００４８】
これにより、無線端末装置は、ヘテロジーニアスネットワークにおいて移動する場合においても、自己の移動状態を適切に推定することができる。
【００４９】
そして、無線端末装置は、３ＧＰＰで規定された無線端末装置によるハンドオーバ動作のタイミング調整の機能を実現するために、適切に推定した自己の移動状態に基づいて、ＴＴＴの調整を適切に行うことにより、ハンドオーバ動作のタイミングを適切に調整することが可能となる。
【００５０】
これにより、不適切なハンドオーバ動作の発生が抑制され、通信システムにおける通信の安定化を図ることができる。
【００５１】
（１６）上記課題を解決するために、この発明のある局面に係わる無線端末装置は、ハンドオーバ動作を行なうことにより複数の無線基地局装置と通信可能な無線端末装置であって、自己の無線端末装置の上記ハンドオーバ動作の実行回数をカウントするためのカウント部と、上記カウント部によってカウントされた上記実行回数に基づいて、自己の無線端末装置の移動状態を推定するための移動状態推定部と、上記移動状態推定部によって推定された上記移動状態に基づいて、ＴＴＴの値を設定するための設定部と、上記無線基地局装置から送信される無線信号の受信電力を測定し、測定結果が上記ＴＴＴで示される時間継続して所定条件を満たす場合に、上記測定結果を示すメジャメントレポートを通信接続先の無線基地局装置へ送信するための受信電力報告部とを備え、上記カウント部は、実行された自己の無線端末装置の上記ハンドオーバ動作を所定のカウント基準に従って重み付けし、重み付けした値を用いて上記カウントを行う。
【００５２】
このような構成により、移動動作の種別に応じて重み付けした値を用いてカウントすることができるので、自己の移動状態を適切に推定することができる。
【００５３】
これにより、無線端末装置は、ヘテロジーニアスネットワークにおいて移動する場合においても、自己の移動状態を適切に推定することができる。
【００５４】
そして、無線端末装置は、３ＧＰＰで規定された無線端末装置によるハンドオーバ動作のタイミング調整の機能を実現するために、適切に推定した自己の移動状態に基づいて、ＴＴＴの調整を適切に行うことにより、ハンドオーバ動作のタイミングを適切に調整することが可能となる。
【００５５】
これにより、不適切なハンドオーバ動作の発生が抑制され、通信システムにおける通信の安定化を図ることができる。
【００５６】
（１７）上記課題を解決するために、この発明のある局面に係わる通信制御装置は、移動動作を行なうことにより複数の無線基地局装置と通信可能であり、かつカウント基準に従って上記移動動作の実行回数をカウントする無線端末装置について、上記カウント基準を作成するためのカウント基準作成部と、上記カウント基準作成部によって作成された上記カウント基準を他の装置に通知するためのカウント基準通知部とを備える。
【００５７】
このように、たとえば無線端末装置または無線基地局装置へ当該カウント基準を通知することにより、当該カウント基準に基づいて、通信システムにおける無線端末装置の移動状態を、無線端末装置において適切に推定することができる。
【００５８】
これにより、無線端末装置は、自己の移動状態に基づいて、たとえば移動動作のタイミングを適切に調整することができるので、不適切な移動動作の発生が抑制され、通信システムにおける通信の安定化を図ることができる。
【００５９】
また、たとえば、通信制御装置が、不適切な移動動作を含む複数の移動動作を管理する場合、不適切な移動動作の発生状況を考慮した上で、適切なカウント基準を作成することができる。
【００６０】
（１８）好ましくは、上記カウント基準作成部は、各上記無線基地局装置を重み付けし、上記カウント基準通知部は、上記カウント基準作成部による重み付け結果を上記カウント基準として通知する。
【００６１】
このような構成により、無線基地局装置毎に、移動動作のカウント基準を細かく重み付けすることができるので、通信システムにおける無線端末装置の移動状態を、当該カウント基準に基づいて適切に推定することができる。
【００６２】
（１９）より好ましくは、上記カウント基準通知部は、上記カウント基準作成部による重み付け結果を上記各無線基地局装置に通知する。
【００６３】
このような構成により、たとえば通信制御装置により管理される無線基地局装置が、自己により形成されるセル内に位置する他の無線基地局装置を管理する場合、通信制御装置は、当該他の無線基地局装置の設置数の密度に応じた重み付け結果を、当該無線基地局装置および当該他の無線基地局装置へ送信することができる。
【００６４】
これにより、当該無線基地局装置は、当該重み付け結果に基づいて、無線端末装置に対して移動状態を適切に推定させることができるので、広範なエリアにわたって無線端末装置の移動動作を最適化することができる。
【００６５】
（２０）上記課題を解決するために、この発明のある局面に係わる無線基地局装置は、上記（１７）の通信制御装置を備える。
【００６６】
このような構成により、無線通信システムにおけるカウント基準の作成および当該カウント基準の通知を各無線基地局装置で行なうことができるため、当該カウント基準の作成処理および当該カウント基準の通知の処理負荷を分散させることができる。
【００６７】
（２１）上記課題を解決するために、この発明のある局面に係わる管理装置は、上記無線基地局装置を管理し、上記（１７）の通信制御装置を備える。
【００６８】
このような構成により、無線通信システムにおけるカウント基準の作成および当該カウント基準の通知を管理装置において一括して行なうことができるため、当該カウント基準の作成処理および当該カウント基準の通知を、より効率的に行なうことができる。
【００６９】
（２２）また、この発明のある局面に係わる通信制御方法は、移動動作を行なうことにより複数の無線基地局装置と通信可能な無線端末装置における通信制御方法であって、自己の無線端末装置の上記移動動作の実行回数をカウントするステップと、カウントした上記実行回数に基づいて、自己の無線端末装置の移動状態を推定するステップとを含み、上記カウントするステップにおいては、上記無線基地局装置から取得したカウント基準に従って上記カウントを行う。
【００７０】
このような構成により、無線端末装置と比べて広範囲の通信環境を把握する無線基地局装置から取得したカウント基準に従ってカウントを行うことができるので、無線端末装置は、自己の移動状態を適切に推定することができる。
【００７１】
これにより、無線端末装置は、ヘテロジーニアスネットワークにおいて移動する場合においても、自己の移動状態を適切に推定することができる。
【００７２】
そして、無線端末装置は、適切に推定した自己の移動状態に基づいて、たとえば移動動作のタイミングを適切に調整することができる。これにより、不適切な移動動作の発生が抑制され、通信システムにおける通信の安定化を図ることができる。
【００７３】
（２３）また、この発明のある局面に係わる通信制御方法は、移動動作を行なうことにより複数の無線基地局装置と通信可能な無線端末装置における通信制御方法であって、自己の無線端末装置の上記移動動作の実行回数をカウントするステップと、カウントした上記実行回数に基づいて、自己の無線端末装置の移動状態を推定するステップとを含み、上記カウントするステップにおいては、実行された自己の無線端末装置の上記移動動作を所定のカウント基準に従って重み付けし、重み付けした値を用いて上記カウントを行う。
【００７４】
このような構成により、移動動作の種別に応じて重み付けした値を用いてカウントすることができるので、自己の移動状態を適切に推定することができる。
【００７５】
これにより、無線端末装置は、ヘテロジーニアスネットワークにおいて移動する場合においても、自己の移動状態を適切に推定することができる。
【００７６】
そして、無線端末装置は、適切に推定した自己の移動状態に基づいて、たとえば移動動作のタイミングを適切に調整することができる。これにより、不適切な移動動作の発生が抑制され、通信システムにおける通信の安定化を図ることができる。
【００７７】
（２４）また、この発明の別の局面に係わる通信制御方法は、ハンドオーバ動作を行なうことにより複数の無線基地局装置と通信可能な無線端末装置における通信制御方法であって、自己の無線端末装置の上記ハンドオーバ動作の実行回数をカウントするステップと、カウントした上記実行回数に基づいて、自己の無線端末装置の移動状態を推定するステップと、推定した上記移動状態に基づいて、ＴＴＴの値を設定するステップと、上記無線基地局装置から送信される無線信号の受信電力を測定し、測定結果が上記ＴＴＴで示される時間継続して所定条件を満たす場合に、上記測定結果を示すメジャメントレポートを通信接続先の無線基地局装置へ送信するステップとを含み、上記カウントするステップにおいては、上記無線基地局装置から取得したカウント基準に従って上記カウントを行う。
【００７８】
このような構成により、無線端末装置と比べて広範囲の通信環境を把握する無線基地局装置から取得したカウント基準に従ってカウントを行うことができるので、無線端末装置は、自己の移動状態を適切に推定することができる。
【００７９】
これにより、無線端末装置は、ヘテロジーニアスネットワークにおいて移動する場合においても、自己の移動状態を適切に推定することができる。
【００８０】
そして、無線端末装置は、３ＧＰＰで規定された無線端末装置によるハンドオーバ動作のタイミング調整の機能を実現するために、適切に推定した自己の移動状態に基づいて、ＴＴＴの調整を適切に行うことにより、ハンドオーバ動作のタイミングを適切に調整することが可能となる。
【００８１】
これにより、不適切なハンドオーバ動作の発生が抑制され、通信システムにおける通信の安定化を図ることができる。
【００８２】
（２５）また、この発明の別の局面に係わる通信制御方法は、ハンドオーバ動作を行なうことにより複数の無線基地局装置と通信可能な無線端末装置における通信制御方法であって、自己の無線端末装置の上記ハンドオーバ動作の実行回数をカウントするステップと、カウントした上記実行回数に基づいて、自己の無線端末装置の移動状態を推定するステップと、推定した上記移動状態に基づいて、ＴＴＴの値を設定するステップと、上記無線基地局装置から送信される無線信号の受信電力を測定し、測定結果が上記ＴＴＴで示される時間継続して所定条件を満たす場合に、上記測定結果を示すメジャメントレポートを通信接続先の無線基地局装置へ送信するステップとを含み、上記カウントするステップにおいては、実行された自己の無線端末装置の上記ハンドオーバ動作を所定のカウント基準に従って重み付けし、重み付けした値を用いて上記カウントを行う。
【００８３】
このような構成により、移動動作の種別に応じて重み付けした値を用いてカウントすることができるので、自己の移動状態を適切に推定することができる。
【００８４】
これにより、無線端末装置は、ヘテロジーニアスネットワークにおいて移動する場合においても、自己の移動状態を適切に推定することができる。
【００８５】
そして、無線端末装置は、３ＧＰＰで規定された無線端末装置によるハンドオーバ動作のタイミング調整の機能を実現するために、適切に推定した自己の移動状態に基づいて、ＴＴＴの調整を適切に行うことにより、ハンドオーバ動作のタイミングを適切に調整することが可能となる。
【００８６】
これにより、不適切なハンドオーバ動作の発生が抑制され、通信システムにおける通信の安定化を図ることができる。
【００８７】
（２６）また、この発明の別の局面に係わる通信制御方法は、通信制御装置における通信制御方法であって、移動動作を行なうことにより複数の無線基地局装置と通信可能であり、かつカウント基準に従って上記移動動作の実行回数をカウントする無線端末装置について、上記カウント基準を作成するステップと、作成した上記カウント基準を他の装置に通知するステップとを含む。
【００８８】
このように、たとえば無線端末装置または無線基地局装置へ当該カウント基準を通知することにより、当該カウント基準に基づいて、通信システムにおける無線端末装置の移動状態を、無線端末装置において適切に推定することができる。
【００８９】
これにより、無線端末装置は、自己の移動状態に基づいて、たとえば移動動作のタイミングを適切に調整することができるので、不適切な移動動作の発生が抑制され、通信システムにおける通信の安定化を図ることができる。
【００９０】
また、たとえば、通信制御装置が、不適切な移動動作を含む複数の移動動作を管理する場合、不適切な移動動作の発生状況を考慮した上で、適切なカウント基準を作成することができる。
【００９１】
（２７）また、この発明のある局面に係わる通信制御プログラムは、移動動作を行なうことにより複数の無線基地局装置と通信可能な無線端末装置において用いられる通信制御プログラムであって、コンピュータに、自己の無線端末装置の上記移動動作の実行回数をカウントするステップと、カウントした上記実行回数に基づいて、自己の無線端末装置の移動状態を推定するステップとを実行させるためのプログラムであり、上記カウントするステップにおいては、上記無線基地局装置から取得したカウント基準に従って上記カウントを行う。
【００９２】
このような構成により、無線端末装置と比べて広範囲の通信環境を把握する無線基地局装置から取得したカウント基準に従ってカウントを行うことができるので、無線端末装置は、自己の移動状態を適切に推定することができる。
【００９３】
これにより、無線端末装置は、ヘテロジーニアスネットワークにおいて移動する場合においても、自己の移動状態を適切に推定することができる。
【００９４】
そして、無線端末装置は、適切に推定した自己の移動状態に基づいて、たとえば移動動作のタイミングを適切に調整することができる。これにより、不適切な移動動作の発生が抑制され、通信システムにおける通信の安定化を図ることができる。
【００９５】
（２８）また、この発明のある局面に係わる通信制御プログラムは、移動動作を行なうことにより複数の無線基地局装置と通信可能な無線端末装置において用いられる通信制御プログラムであって、コンピュータに、自己の無線端末装置の上記移動動作の実行回数をカウントするステップと、カウントした上記実行回数に基づいて、自己の無線端末装置の移動状態を推定するステップとを実行させるためのプログラムであり、上記カウントするステップにおいては、実行された自己の無線端末装置の上記移動動作を所定のカウント基準に従って重み付けし、重み付けした値を用いて上記カウントを行う。
【００９６】
このような構成により、移動動作の種別に応じて重み付けした値を用いてカウントすることができるので、自己の移動状態を適切に推定することができる。
【００９７】
これにより、無線端末装置は、ヘテロジーニアスネットワークにおいて移動する場合においても、自己の移動状態を適切に推定することができる。
【００９８】
そして、無線端末装置は、適切に推定した自己の移動状態に基づいて、たとえば移動動作のタイミングを適切に調整することができる。これにより、不適切な移動動作の発生が抑制され、通信システムにおける通信の安定化を図ることができる。
【００９９】
（２９）また、この発明の別の局面に係わる通信制御プログラムは、通信制御装置において用いられる通信制御プログラムであって、コンピュータに、移動動作を行なうことにより複数の無線基地局装置と通信可能であり、かつカウント基準に従って上記移動動作の実行回数をカウントする無線端末装置について、上記カウント基準を作成するステップと、作成した上記カウント基準を他の装置に通知するステップとを実行させるためのプログラムである。
【０１００】
このように、たとえば無線端末装置または無線基地局装置へ当該カウント基準を通知することにより、当該カウント基準に基づいて、通信システムにおける無線端末装置の移動状態を、無線端末装置において適切に推定することができる。
【０１０１】
これにより、無線端末装置は、自己の移動状態に基づいて、たとえば移動動作のタイミングを適切に調整することができるので、不適切な移動動作の発生が抑制され、通信システムにおける通信の安定化を図ることができる。
【０１０２】
また、たとえば、通信制御装置が、不適切な移動動作を含む複数の移動動作を管理する場合、不適切な移動動作の発生状況を考慮した上で、適切なカウント基準を作成することができる。
【発明の効果】
【０１０３】
本発明によれば、無線端末装置の移動動作を適切に制御することにより、通信の安定化を図ることができる。
【図面の簡単な説明】
【０１０４】
【図１】本発明の実施の形態に係る無線通信システムの構成を示す図である。
【図２】本発明の実施の形態に係る無線通信システムにおいて移動動作が行われる状況の一例を示す図である。
【図３】本発明の実施の形態に係る無線通信システムにおけるセル再選択動作のシーケンスの一例を示す図である。
【図４】本発明の実施の形態に係る無線通信システムにおけるハンドオーバ動作のシーケンスの一例を示す図である。
【図５】本発明の実施の形態に係る無線通信システムにおいて、不適切なハンドオーバ動作（Ｔｏｏ  Ｌａｔｅ  ＨＯ）が生じた状況の一例を示す図である。
【図６】本発明の実施の形態に係る無線通信システムにおける、不適切なハンドオーバ動作（Ｔｏｏ  Ｌａｔｅ  ＨＯ）およびその検出処理のシーケンスの一例を示す図である。
【図７】本発明の実施の形態に係る無線通信システムにおいて、不適切なハンドオーバ動作（Ｔｏｏ  Ｅａｒｌｙ  ＨＯ）が生じた状況の一例を示す図である。
【図８】本発明の実施の形態に係る無線通信システムにおいて、不適切なハンドオーバ動作（Ｔｏｏ  Ｅａｒｌｙ  ＨＯ）が生じた状況の一例を示す図である。
【図９】本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【図１０】本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図１１】本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１２】本発明の実施の形態に係る無線通信システムにおける、無線端末装置の受信品質のシミュレーション結果を示す図である。
【図１３】本発明の実施の形態に係る無線通信システムにおいて、無線端末装置が測定結果通知を送信するイベントＡ１を示す図である。
【図１４】本発明の実施の形態に係る無線通信システムにおいて、無線端末装置が測定結果通知を送信するイベントＡ２を示す図である。
【図１５】本発明の実施の形態に係る無線通信システムにおいて、無線端末装置が測定結果通知を送信するイベントＡ３を示す図である。
【図１６】本発明の実施の形態に係る無線通信システムにおいて、無線端末装置が測定結果通知を送信するイベントＡ４を示す図である。
【図１７】本発明の実施の形態に係る無線通信システムにおいて、無線端末装置が測定結果通知を送信するイベントＡ５を示す図である。
【図１８】本発明の実施の形態に係る無線通信システムにおいて、ヒステリシスＨＳの調整によるハンドオーバ動作のタイミング制御を示す図である。
【図１９】本発明の実施の形態に係る無線通信システムにおいて、ＴＴＴの調整によるハンドオーバ動作のタイミング制御を示す図である。
【図２０】本発明の実施の形態に係る無線通信システムにおいて、オフセットＯＳＴの調整によるハンドオーバ動作のタイミング制御を示す図である。
【図２１】本発明の実施の形態に係る無線通信システムにおける、各位置の無線信号の受信電力の一例を示す図である。
【図２２】本発明の実施の形態に係る無線通信システムにおいて、ハンドオーバ動作のタイミングを制御するためのパラメータの他の例を説明するための図である。
【図２３】本発明の実施の形態に係る無線通信システムにおいて、接続確立状態の無線端末装置が移動状態の検出処理を行う際の動作手順を定めたフローチャートである。
【図２４】本発明の実施の形態に係る無線通信システムにおいて、アイドル状態の無線端末装置が移動状態の検出処理を行う際の動作手順を定めたフローチャートである。
【図２５】本発明の実施の形態に係る無線通信システムにおいて、接続確立状態の無線端末装置がハンドオーバ動作のタイミング調整を行う際の動作手順を定めたフローチャートである。
【図２６】本発明の実施の形態に係る無線通信システムにおいて、アイドル状態の無線端末装置がセル再選択動作のタイミング調整を行う際の動作手順を定めたフローチャートである。
【図２７】本発明の実施の形態に係る無線通信システムにおける、無線端末装置の移動経路に基づく移動動作の実行回数の比較を示す図である。
【図２８】本発明の実施の形態に係る無線端末装置の構成を示す図である。
【図２９】本発明の実施の形態に係る無線端末装置における制御部の構成を示す図である。
【図３０】本発明の実施の形態に係る無線基地局装置の構成を示す図である。
【図３１】本発明の実施の形態に係る無線基地局装置における制御部の構成を示す図である。
【図３２】本発明の実施の形態に係る無線通信システムにおける、カウント方法リストの一例を示す図である。
【図３３】本発明の実施の形態に係る無線通信システムにおける、カウント方法リストの他の一例を示す図である。
【図３４】本発明の実施の形態に係る無線通信システムにおける、無線端末装置の移動経路の一例を示す図である。
【図３５】本発明の実施の形態に係る無線通信システムにおける、カウント方法リストの更新処理および無線端末装置へのカウント基準の通知処理のシーケンスの一例を示す図である。
【図３６】本発明の実施の形態に係る無線通信システムにおいて、無線基地局装置がカウント方法リストの更新処理を行う際の動作手順を定めたフローチャートである。
【図３７】本発明の実施の形態に係る無線通信システムにおいて、無線基地局装置がカウント方法リストの更新処理を行う際の動作手順の他の例を定めたフローチャートである。
【図３８】本発明の実施の形態に係る無線通信システムにおいて、無線基地局装置が無線端末装置へカウント基準を通知する際の動作手順を定めたフローチャートである。
【図３９】本発明の実施の形態に係る無線通信システムにおいて、無線基地局装置が無線端末装置へカウント基準を通知する際の動作手順の他の例を定めたフローチャートである。
【図４０】本発明の実施の形態に係る無線通信システムにおいて、無線基地局装置が無線端末装置へカウント基準を通知する際の動作手順の他の例を定めたフローチャートである。
【図４１】本発明の実施の形態に係る無線通信システムにおいて、無線端末装置がセル再選択動作の完了後に行う移動状態の更新動作の一例を示すシーケンス図である。
【図４２】本発明の実施の形態に係る無線通信システムにおいて、無線端末装置がハンドオーバ動作の完了後に行う移動状態の更新動作の一例を示すシーケンス図である。
【図４３】本発明の実施の形態に係る無線通信システムにおいて、無線端末装置が移動状態の検出処理および当該移動状態に応じた設定処理を行う際の動作手順を定めたフローチャートである。
【図４４】本発明の実施の形態に係る無線通信システムにおいて、無線端末装置が移動状態の検出処理および当該移動状態の無線基地局装置への通知処理を行う際の動作手順を定めたフローチャートである。
【図４５】本発明の実施の形態に係る無線通信システムにおいて、無線端末装置が移動動作の実行回数をカウントする際の動作手順を定めたフローチャートである。
【図４６】本発明の実施の形態に係る無線通信システムにおいて、無線端末装置が移動動作の実行回数をカウントする際の動作手順の他の例を定めたフローチャートである。
【図４７】本発明の実施の形態に係る無線通信システムにおいて、無線端末装置が移動動作の実行回数をカウントする際の動作手順の他の例を定めたフローチャートである。
【図４８】本発明の実施の形態に係る無線通信システムにおいて、無線端末装置が移動動作の実行回数をカウントする際の動作手順の他の例を定めたフローチャートである。
【図４９】本発明の実施の形態に係る無線通信システムにおいて、無線端末装置が移動動作の実行回数をカウントする際の動作手順の他の例を定めたフローチャートである。
【図５０】本発明の実施の形態に係る無線通信システムにおいて、無線端末装置が移動動作の実行回数をカウントする際の動作手順の他の例を定めたフローチャートである。
【図５１】本発明の実施の形態に係る無線通信システムにおいて、無線端末装置が移動動作の実行回数をカウントする際の動作手順の他の例を定めたフローチャートである。
【図５２】本発明の実施の形態に係る無線通信システムにおいて、無線端末装置が移動動作の実行回数をカウントする際の動作手順の他の例を定めたフローチャートである。
【発明を実施するための形態】
【０１０５】
以下、本発明の実施の形態について図面を用いて説明する。なお、図中同一または相当部分には同一符号を付してその説明は繰り返さない。
【０１０６】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、セル再選択（Cell Reselection）を意味する。
【０１０７】
ハンドオーバとは、ある無線基地局装置との通信接続が確立した状態（以下、接続確立状態と称する）にある無線端末装置の通信接続先が他の無線基地局装置へ切り替えられることを意味する。
【０１０８】
セル再選択とは、アイドル状態の無線端末装置が今後通信を開始する、すなわち通話またはデータ通信を開始する際にどのセルを介して通信を行なうかを選択することを意味すし、たとえば３ＧＰＰ  ＴＳ  ３６．３０４に記載の内容が当てはまる。
【０１０９】
ハンドオーバ動作は、無線端末装置の通信接続先の無線基地局装置主導で行なわれる。一方、セル再選択は、無線端末装置主導で行なわれ、通常、無線基地局装置が無線端末装置に対して特に指示を与えることなく実行される。
【０１１０】
無線端末装置の「アイドル状態」とは、ある無線基地局装置を無線端末装置が通信相手として選択しており、かつ当該無線基地局装置と通信を行っていない状態である。また、「通信を行っていない状態」とは、当該無線基地局装置へ何らかの情報を送信する動作を行っていない状態である。
【０１１１】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【０１１２】
また、無線端末装置がセルに在圏している、とは、無線端末装置が、当該セルを形成する無線基地局装置を通信先として選択し、かつ当該無線基地局装置と通信可能な状態または通信中である状態を意味する。
【０１１３】
具体的には、たとえば、無線端末装置が新たなセルすなわち無線基地局装置へ移動したことを当該無線基地局装置の上位装置が登録した状態を意味する。
【０１１４】
また、「在圏」は、無線端末装置の属するトラッキングエリアの更新を上位装置が登録した状態を含むものとする。
【０１１５】
すなわち、無線端末装置は、新たなセルへ移動した場合、この移動によって自己の存在するトラッキングエリアすなわちページング処理の対象エリアが変わった場合には、トラッキングエリア更新処理を実行する。
【０１１６】
フェムトセルおよびアクセスモードは、３ＧＰＰ  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１１７】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１１８】
本発明の実施の形態に係る無線通信システムにおいても、このような３ＧＰＰの定義を適用してもよい。
【０１１９】
また、上記定義と合わせて、あるいは別個に、以下のような定義を適用することも可能である。
【０１２０】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【０１２１】
また、フェムト基地局は、主に個人または法人の建物内に設置され、ユーザの事情により移動するまたは電源がオフとなる可能性がある無線基地局装置である。
【０１２２】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【０１２３】
［構成および基本動作］
図１は、本発明の実施の形態に係る無線通信システムの構成を示す図である。
【０１２４】
図１を参照して、無線通信システム４０１は、たとえば３ＧＰＰで規格化されたＬＴＥ（Long Term Evolution）に従う移動体通信システムであり、無線基地局装置１０１Ａ，１０１Ｂ，１０１Ｃを備える。図１では、３つの無線基地局装置を代表的に示しているが、さらに多数の無線基地局装置が設けられてもよい。無線通信システム４０１は、さらに、コアネットワーク３０１に設けられたＳ−ＧＷ（Serving Gateway）１６１と、ＭＭＥ（Mobility Management Entity）１６２と、Ｐ−ＧＷ（Packet Data Network Gateway）１６３とを含む。
【０１２５】
無線端末装置２０２は、無線基地局装置１０１Ａ、無線基地局装置１０１Ｂまたは無線基地局装置１０１Ｃと、Ｓ−ＧＷ１６１と、Ｐ−ＧＷ１６３とを介してＩＰ網３０２におけるサーバ等と通信コネクションを確立し、たとえばＩＰ（Internet Protocol）パケットを含む通信データを送受信する。
【０１２６】
より詳細には、無線基地局装置１０１Ａ，１０１Ｂ，１０１Ｃは、無線信号を無線端末装置２０２と送受信することにより、無線端末装置２０２との通信を行なう。
【０１２７】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【０１２８】
ＭＭＥ１６２は、無線通信システム４０１における無線基地局装置１０１Ａ，１０１Ｂ，１０１Ｃ、および無線端末装置２０２等を管理する。ＭＭＥ１６２は、無線基地局装置１０１Ａ，１０１Ｂ，１０１Ｃとの間で制御メッセージを送受信する。
【０１２９】
無線基地局装置１０１Ａ，１０１Ｂ，１０１Ｃは、Ｓ−ＧＷ１６１およびＰ−ＧＷ１６３を介してＩＰ網３０２との間で通信データを送受信する。
【０１３０】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０１３１】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０１３２】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやりとりする。
【０１３３】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０１３４】
図２は、本発明の実施の形態に係る無線通信システムにおいて移動動作が行なわれる状況の一例を示す図である。
【０１３５】
図２を参照して、無線基地局装置１０１Ａ，１０１Ｂ，１０１Ｃは、たとえばフェムト基地局、ピコ基地局またはマクロ基地局である。
【０１３６】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【０１３７】
ここで、無線端末装置２０２からコアネットワーク３０１への方向を上り方向と称し、コアネットワーク３０１から無線端末装置２０２への方向を下り方向と称する。
【０１３８】
［セル再選択動作の一例］
本発明の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【０１３９】
以下、無線端末装置２０２の移動元の無線基地局装置をサービング基地局とも称し、移動先の無線基地局装置をターゲット基地局とも称する。また、以下では、無線基地局装置１０１Ａがサービング基地局であり、無線基地局装置１０１Ｂがターゲット基地局である場合について説明する。
【０１４０】
本発明の実施の形態に係る無線基地局装置では、セル再選択の実行判断に電力測定処理（Measurement）を利用する。この電力測定処理は、たとえば３ＧＰＰでは、レイヤ３スタックのＲＲＣ（Radio Resource Control）に対応する。
【０１４１】
ここで、３ＧＰＰ  ＴＳ３６．１３３  ４．２．２．１章では、セル再選択のためのサービングセルの測定周期について、以下のように記載されている。すなわち、無線端末装置２０２は、少なくともＤＲＸ（Discontinuous Reception）サイクルごとに、サービングセルのＲＳＲＰ（Reference Signal Received Power）レベルを測定し、ＴＳ３６．３０４で定義されるＳ値（Cell Selection Criterion S）とＲＳＲＰレベルとを比較する。
【０１４２】
無線端末装置２０２は、サービングセルの測定結果を、少なくとも２回の測定でフィルタリングする。このフィルタリングは、平均化であると考えられる。
【０１４３】
フィルタリング対象となる上記測定の組のうち、少なくとも２回の測定は、少なくともＤＲＸサイクルの１／２の間隔を空けて実行しなければならない。これは、測定間隔をＤＲＸサイクルの１／２以上にしなければならないことを意味する、と考えられる。
【０１４４】
ここで、３ＧＰＰ  ＴＳ３６．１３３  ４．２．２．１章の表４．２．２．１−１では、ＤＲＸサイクル長［秒］とＤＲＸサイクル数Ｎｓｅｒｖとの対応関係が示されている。具体的には、ＤＲＸサイクル長が０．３２秒、０．６４秒、１．２８秒および２．５６秒のとき、ＤＲＸサイクル数Ｎｓｅｒｖがそれぞれ４，４，２，２である。
【０１４５】
無線端末装置２０２は、Ｎｓｅｒｖ回の連続したＤＲＸサイクルにおいて、サービングセルがＳ値を満たしていない場合には、自己の測定（Measurement）機能が何らかの規制により制限されていない限り、サービング基地局から指定されたすべての周辺セルの測定を開始する。すなわち、無線端末装置２０２は、一定期間経過すれば、Ｓ値が条件を満たしていなくても周辺セルの測定を開始する。
【０１４６】
このような３ＧＰＰ  ＴＳ３６．１３３の記載から、サービングセルの測定周期として最短でも０．１６秒（１６０ｍｓ）が必要となり、上記のようなＳ値の判定には少なくとも２回の測定が必要となる。このため、周辺セルの測定開始判断には、実質０．３２秒（３２０ｍｓ）以上の間隔が必要になる。
【０１４７】
また、Ｓ値が条件を満たしていない状態で周辺セルの測定を開始する場合、周辺セルの測定開始判断には０．３２秒×４回＝１．２８秒の間隔が必要になる。
【０１４８】
３ＧＰＰ  ＴＳ３６．１３３  ４．２．２．１章では、ＲＳＲＰについてのみ記載されているが、ＲＳＲＱ（Reference Signal Receive Quality）についてもＲＲＣに従って測定されることから、ＲＳＲＰと同様であると考えられる。
【０１４９】
図３は、本発明の実施の形態に係る無線通信システムにおけるセル再選択動作のシーケンスの一例を示す図である。
【０１５０】
ここでは、図２に示すように、無線端末装置２０２が、セルＣＡ内に位置し、無線基地局装置１０１Ａを通信相手として選択してから、セルＣＡおよびセルＣＢの重複領域へ移動した場合を想定する。
【０１５１】
再び図３を参照して、まず、無線端末装置２０２は、無線基地局装置１０１Ａを新たに通信相手として選択することを決定すると、無線基地局装置１０１Ａから送信される報知情報を受信し（ステップＳ１）、受信した報知情報の内容を保存する（ステップＳ２）。この報知情報に、周辺セル情報、およびセル再選択を行なうための情報が含まれる。
【０１５２】
次に、無線端末装置２０２は、コアネットワーク３０１におけるＭＭＥ１６２等に対して新たなセルＣＡへ移動したことを通知するため、端末登録処理であるアタッチ処理（Attach Procedure）を実行する（ステップＳ３）。
【０１５３】
次に、無線端末装置２０２は、サービング基地局である無線基地局装置１０１Ａから送信される無線信号の受信電力の測定を開始する。すなわち、無線端末装置２０２は、サービングセルの受信電力の測定を行なう。たとえば、無線端末装置２０２は、当該無線信号に含まれるパイロット信号を用いて受信電力を測定する。この測定周期は、たとえば０．１６秒である（ステップＳ４）。
【０１５４】
次に、無線端末装置２０２は、サービングセルの評価値であるＳ値を算出し、Ｓ値判定を行なう（ステップＳ５）。
【０１５５】
無線端末装置２０２は、サービングセルのＳ値が所定条件を満たす場合には（ステップＳ５でＹＥＳ）、報知情報の示す周波数において、報知情報の示す周辺基地局から送信される無線信号の受信電力の測定を開始する。ここで、周辺基地局は、サービング基地局以外の他の無線基地局装置１０１を示す。すなわち、無線端末装置２０２は、サービングセルに加えて、周辺セルの受信電力の測定を行なう。たとえば、無線端末装置２０２は、当該無線信号に含まれるパイロット信号を用いて受信電力を測定する（ステップＳ６）。
【０１５６】
次に、無線端末装置２０２は、周辺セルの評価値であるＳ値を算出し、Ｓ値判定を行なう（ステップＳ７）。
【０１５７】
無線端末装置２０２は、周辺セルのＳ値が所定条件を満たす場合には（ステップＳ７でＹＥＳ）、サービングセルおよび周辺セルの測定結果を用いて、サービングセルおよび周辺セルをたとえば受信電力品質の良い順に順位付けする（ステップＳ８）。
【０１５８】
次に、無線端末装置２０２は、順位付けの結果、最上位のセルがサービングセルでは無かった場合には（ステップＳ９でＹＥＳ）、当該最上位セルへのセル再選択を行なう。すなわち、無線端末装置２０２は、最上位の周辺セルに対応する無線基地局装置、たとえば無線基地局装置１０１Ｂを新たに通信相手として選択することを決定する。そして、無線端末装置２０２は、無線基地局装置１０１Ｂからの報知情報を受信し（ステップＳ１０）、受信した報知情報の内容を保存する（ステップＳ１１）。
【０１５９】
次に、無線端末装置２０２は、コアネットワーク３０１におけるＭＭＥ１６２等に対して新たなセルＣＢへ移動したことを通知するため、端末登録処理であるアタッチ処理を実行する（ステップＳ１２）。
【０１６０】
［ハンドオーバ動作の一例］
図４は、本発明の実施の形態に係る無線通信システムにおけるハンドオーバ動作のシーケンスの一例を示す図である。
【０１６１】
ここでは、図２に示すように、無線端末装置２０２が、セルＣＡ内に位置し、無線基地局装置１０１Ａと通信中である状態から、セルＣＡおよびセルＣＢの重複領域へ移動した場合を想定する。
【０１６２】
以下、無線端末装置２０２と通信中の無線基地局装置またはハンドオーバ元の無線基地局装置をサービング基地局とも称し、ハンドオーバ先の無線基地局装置をターゲット基地局とも称する。また、以下では、無線基地局装置１０１Ａがサービング基地局であり、無線基地局装置１０１Ｂがターゲット基地局である場合について説明する。
【０１６３】
再び図４を参照して、まず、無線基地局装置１０１Ａは、自己と通信中の無線端末装置２０２の測定対象となる周波数と、当該周波数の無線信号を送信する他の無線基地局装置とを設定する（ステップＳ３１）。
【０１６４】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ３２）。
【０１６５】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３３）。
【０１６６】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ３４）。
【０１６７】
次に、無線基地局装置１０１Ａは、無線端末装置２０２から受信した測定結果通知に基づいて、セルＩＤごとの測定結果を示す測定情報を取得し、図示しない記憶部に保存する（ステップＳ３５）。
【０１６８】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ３６）。
【０１６９】
次に、無線基地局装置１０１Ａは、無線基地局装置１０１Ｂを示すハンドオーバ要求を上位装置へ送信する（ステップＳ３７）。
【０１７０】
次に、上位装置は、無線基地局装置１０１Ａからハンドオーバ要求を受信して、無線基地局装置１０１Ｂへ当該ハンドオーバ要求を送信する（ステップＳ３８）。
【０１７１】
次に、無線基地局装置１０１Ｂは、上位装置からハンドオーバ要求を受信して、上位装置へ当該ハンドオーバ要求に対するハンドオーバ応答を送信する（ステップＳ３９）。
【０１７２】
次に、上位装置は、無線基地局装置１０１Ｂからハンドオーバ応答を受信して、無線基地局装置１０１Ａへハンドオーバ指示を送信する（ステップＳ４０）。
【０１７３】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ４１）。
【０１７４】
次に、無線基地局装置１０１Ａは、上位装置へ自己の通信状態等を示す状態通知を送信する（ステップＳ４２）。
【０１７５】
次に、上位装置は、無線基地局装置１０１Ａから状態通知を受信して、無線基地局装置１０１Ｂへ無線端末装置２０２との通信内容等を示す状態通知を送信する（ステップＳ４３）。
【０１７６】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ４４）。
【０１７７】
次に、無線基地局装置１０１Ｂは、無線端末装置２０２からＲＲＣコネクション再構成完了通知を受信して、上位装置へハンドオーバ完了通知を送信する（ステップＳ４５）。
【０１７８】
次に、上位装置は、無線基地局装置１０１Ｂからハンドオーバ完了通知を受信して、端末情報解放指示を無線基地局装置１０１Ａへ送信する（ステップＳ４６）。
【０１７９】
次に、無線基地局装置１０１Ａは、上位装置から端末情報解放指示を受信して、無線端末装置２０２に関する情報を解放し、上位装置へ端末情報解放完了通知を送信する（ステップＳ４７）。
【０１８０】
［不適切なハンドオーバ動作の例］
図５は、本発明の実施の形態に係る無線通信システムにおいて、不適切なハンドオーバ動作（Ｔｏｏ  Ｌａｔｅ  ＨＯ）が生じた状況の一例を示す図である。
【０１８１】
図６は、本発明の実施の形態に係る無線通信システムにおける、不適切なハンドオーバ動作（Ｔｏｏ  Ｌａｔｅ  ＨＯ）およびその検出処理のシーケンスの一例を示す図である。
【０１８２】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【０１８３】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【０１８４】
ここでは、図５に示すように、無線端末装置２０２が、セルＣＡ内に位置し、無線基地局装置１０１Ａと通信中である場合を想定する。
【０１８５】
図５および図６を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【０１８６】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【０１８７】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【０１８８】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【０１８９】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【０１９０】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【０１９１】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【０１９２】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【０１９３】
次に、無線端末装置２０２は、無線基地局装置１０１ＢへＲＲＣコネクション再確立完了通知（RRC Connection Reestablishment Complete）を送信する（ステップＳ６０）。
【０１９４】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１９５】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１９６】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１９７】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１９８】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【０１９９】
図７および図８は、本発明の実施の形態に係る無線通信システムにおいて、不適切なハンドオーバ動作（Ｔｏｏ  Ｅａｒｌｙ  ＨＯ）が生じた状況の一例を示す図である。
【０２００】
図７および図８を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０２０１】
図９は、本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【０２０２】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０２０３】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報開放指示を無線基地局装置１０１Ａへ送信していたときに、”Ｔｏｏ  Ｅａｒｌｙ  ＨＯ”である旨を無線基地局装置１０１Ａに通知する。
【０２０４】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０２０５】
ここでは、図７に示すように、無線端末装置２０２が、セルＣＡ内に位置し、無線基地局装置１０１Ａと通信中である状態から、セルＣＢ２内へ移動した場合（ステップＳ７０）を想定する。
【０２０６】
図７〜図９を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０２０７】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０２０８】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０２０９】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０２１０】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０２１１】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０２１２】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０２１３】
また、無線基地局装置１０１Ｂは、無線端末装置２０２のセルＣＢにおける滞在時間を計測するために、タイマをスタートさせる（ステップＳ７８）。
【０２１４】
次に、無線基地局装置１０１Ａは、無線基地局装置１０１Ｂから端末情報解放指示を受信して、無線端末装置２０２に関する情報（UE Context）を解放する（ステップＳ７９）。
【０２１５】
以上により、無線端末装置２０２の無線基地局装置１０１Ａから無線端末装置２０２Ｂへのハンドオーバが完了する（ステップＳ８０）。
【０２１６】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０２１７】
そうすると、無線端末装置２０２は、無線基地局装置１０１Ｂと通信できなくなることから、ＲＬＦが発生してしまう（ステップＳ８３）。
【０２１８】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０２１９】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０２２０】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０２２１】
すなわち、まず、無線端末装置２０２は、ＲＲＣコネクション要求（RRC Connection Request）を無線基地局装置１０１Ａへ送信する（ステップＳ８８）。
【０２２２】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０２２３】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０２２４】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０２２５】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０２２６】
次に、無線基地局装置１０１Ａは、無線端末装置２０２へＲＲＣコネクション再構成指示（RRC Connection Reconfiguration）を送信する（ステップＳ９３）。
【０２２７】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０２２８】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０２２９】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０２３０】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０２３１】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０２３２】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０２３３】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０２３４】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０２３５】
図１０は、本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
図１１は、本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０２３６】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０２３７】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報開放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０２３８】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０２３９】
ここでは、図１０に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０２４０】
図１０および図１１を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０２４１】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０２４２】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０２４３】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０２４４】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０２４５】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０２４６】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０２４７】
また、無線基地局装置１０１Ｂは、無線端末装置２０２のセルＣＢにおける滞在時間を計測するために、タイマをスタートさせる（ステップＳ１１８）。
【０２４８】
次に、無線基地局装置１０１Ａは、無線基地局装置１０１Ｂから端末情報解放指示を受信して、無線端末装置２０２に関する情報（UE Context）を解放する（ステップＳ１１９）。
【０２４９】
以上により、無線端末装置２０２の無線基地局装置１０１Ａから無線端末装置２０２Ｂへのハンドオーバが完了する（ステップＳ１２０）。
【０２５０】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０２５１】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０２５２】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０２５３】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０２５４】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０２５５】
すなわち、まず、無線端末装置２０２は、ＲＲＣコネクション要求（RRC Connection Request）を無線基地局装置１０１Ｃへ送信する（ステップＳ１２８）。
【０２５６】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０２５７】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０２５８】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０２５９】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０２６０】
次に、無線基地局装置１０１Ｃは、無線端末装置２０２へＲＲＣコネクション再構成指示（RRC Connection Reconfiguration）を送信する（ステップＳ１３３）。
【０２６１】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０２６２】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０２６３】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０２６４】
次に、無線基地局装置１０１Ｃは、無線端末装置２０２から受信したＲＬＦレポートのＰＣＩを参照することにより、無線基地局装置１０１ＢにおいてＲＬＦが発生しことを認識し、セルＣＣへの”Ｔｏｏ  Ｌａｔｅ  ＨＯ”が発生したと判断する（ステップＳ１３７）。
【０２６５】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０２６６】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０２６７】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０２６８】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０２６９】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０２７０】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０２７１】
［ハンドオーバ動作の制御パラメータ］
図１２は、本発明の実施の形態に係る無線通信システムにおける、無線端末装置の受信品質のシミュレーション結果を示す図である。
【０２７２】
図１２は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０２７３】
図１２において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０２７４】
図１２を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０２７５】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０２７６】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０２７７】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０２７８】
たとえば、ヒステリシスＨＳおよびＴＴＴは後述するイベントごとに設定可能であり、オフセットＯＳＴはサービング基地局の形成するサービングセル、および周辺セルごとに設定可能であり、後述するギャップＭＧおよびフィルタリング係数αはサービングセルごとに設定可能である。
【０２７９】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０２８０】
以下、測定結果通知を送信する各種イベントと電力測定処理のパラメータとの関係について説明する。
【０２８１】
図１３は、本発明の実施の形態に係る無線通信システムにおいて、無線端末装置が測定結果通知を送信するイベントＡ１を示す図である。図１３において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０２８２】
図１３を参照して、イベントＡ１では、閾値Ｔｈに対して正負の方向にヒステリシスＨＳが設定される。
【０２８３】
無線端末装置２０２は、サービングセルの受信電力またはＳＩＮＲが（Ｔｈ＋ＨＳ）よりも大きくなると、レポートオン状態へ遷移する（タイミングＴ１）。
【０２８４】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２８５】
次に、無線端末装置２０２は、当該条件が満たされた状態でタイミングＴ２からＴＴＴ経過すると、測定結果通知を送信する（タイミングＴ３）。
【０２８６】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２８７】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０２８８】
図１４は、本発明の実施の形態に係る無線通信システムにおいて、無線端末装置が測定結果通知を送信するイベントＡ２を示す図である。図の見方は図１３と同様である。
【０２８９】
図１４を参照して、イベントＡ２では、閾値Ｔｈに対して正負の方向にヒステリシスＨＳが設定される。
【０２９０】
無線端末装置２０２は、サービングセルの受信電力またはＳＩＮＲが（Ｔｈ−ＨＳ）よりも小さくなると、レポートオン状態へ遷移する（タイミングＴ１１）。
【０２９１】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２９２】
次に、無線端末装置２０２は、当該条件が満たされた状態でタイミングＴ１２からＴＴＴ経過すると、測定結果通知を送信する（タイミングＴ１３）。
【０２９３】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２９４】
図１５は、本発明の実施の形態に係る無線通信システムにおいて、無線端末装置が測定結果通知を送信するイベントＡ３を示す図である。図１５において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２９５】
図１５を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２９６】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０２９７】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０２９８】
次に、無線端末装置２０２は、当該条件が満たされた状態でタイミングＴ２２からＴＴＴ経過すると、測定結果通知を送信する（タイミングＴ２３）。
【０２９９】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０３００】
図１６は、本発明の実施の形態に係る無線通信システムにおいて、無線端末装置が測定結果通知を送信するイベントＡ４を示す図である。図の見方は図１５と同様である。
【０３０１】
図１６を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０３０２】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０３０３】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０３０４】
次に、無線端末装置２０２は、当該条件が満たされた状態でタイミングＴ３２からＴＴＴ経過すると、測定結果通知を送信する（タイミングＴ３３）。
【０３０５】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０３０６】
図１７は、本発明の実施の形態に係る無線通信システムにおいて、無線端末装置が測定結果通知を送信するイベントＡ５を示す図である。図の見方は図１５と同様である。
【０３０７】
図１７を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０３０８】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０３０９】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０３１０】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０３１１】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０３１２】
図１８は、本発明の実施の形態に係る無線通信システムにおいて、ヒステリシスＨＳの調整によるハンドオーバ動作のタイミング制御を示す図である。図１８は、イベントＡ３の場合を示す。
【０３１３】
図１８を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０３１４】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０３１５】
すなわち、ヒステリシスＨＳを大きくすると、測定結果通知の送信タイミングすなわちハンドオーバ動作のタイミングを遅くすることができる。
【０３１６】
図１９は、本発明の実施の形態に係る無線通信システムにおいて、ＴＴＴの調整によるハンドオーバ動作のタイミング制御を示す図である。図１９は、イベントＡ３の場合を示す。
【０３１７】
図１９を参照して、ＴＴＴを小さく設定した場合には、タイミングＴ６２において測定結果通知が送信される。
【０３１８】
これに対して、ＴＴＴを大きく設定した場合には、タイミングＴ６１より後のタイミングＴ６３において測定結果通知が送信される。
【０３１９】
すなわち、ＴＴＴを大きくすると、測定結果通知の送信タイミングすなわちハンドオーバ動作のタイミングを遅くすることができる。
【０３２０】
図２０は、本発明の実施の形態に係る無線通信システムにおいて、オフセットＯＳＴの調整によるハンドオーバ動作のタイミング制御を示す図である。図２０は、イベントＡ３の場合を示す。
【０３２１】
図２０を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０３２２】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０３２３】
すなわち、オフセットＯＳＴを小さくすると、測定結果通知の送信タイミングすなわちハンドオーバ動作のタイミングを遅くすることができる。
【０３２４】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０３２５】
ここで、ヒステリシスＨＳ、ＴＴＴおよびオフセットＯＳＴを調整する効果の違いについて考察する。
【０３２６】
いずれのパラメータを調整しても、ハンドオーバのタイミングを調整することができるが、これらの効果は、干渉を含む地形、および無線端末装置の移動速度等によって異なる。
【０３２７】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０３２８】
また、ヒステリシスＨＳおよびオフセットＯＳＴは、無線端末装置の移動速度による影響を受けにくいパラメータである。
【０３２９】
図２１は、本発明の実施の形態に係る無線通信システムにおける、各位置の無線信号の受信電力の一例を示す図である。
【０３３０】
図２１を参照して、受信電力が極大値となる位置Ｐ１，Ｐ３，Ｐ５では、ヒステリシスＨＳを調整することにより、ハンドオーバ動作のタイミングを調整することが好ましい。また、受信電力が極小値となる位置Ｐ２，Ｐ４，Ｐ６では、オフセットＯＳＴを調整することにより、ハンドオーバ動作のタイミングを調整することが好ましい。
【０３３１】
一方、ＴＴＴは、ハンドオーバ動作のタイミングを時間領域で遅らせることが可能なパラメータである。ＴＴＴを調整する場合には、ハンドオーバ動作のタイミングが電波環境および地形に依存しない代わりに、ハンドオーバの行なわれる位置が無線端末装置２０２の移動速度によって大きく変わることになる。たとえば、ＴＴＴを大きく設定しすぎると、高速で移動する無線端末装置では、周囲の電波環境の変化が大きいため、ハンドオーバの失敗が生じやすくなる。
【０３３２】
図２２は、本発明の実施の形態に係る無線通信システムにおいて、ハンドオーバ動作のタイミングを制御するためのパラメータの他の例を説明するための図である。
【０３３３】
図２２を参照して、無線端末装置２０２は、たとえばギャップＭＧの時間間隔で、無線基地局装置から送信される無線信号の受信電力を測定する。
【０３３４】
ギャップＭＧを大きくする場合には、より過去の受信電力がハンドオーバの判断に用いられることになるため、ハンドオーバ動作のタイミングが遅くなる。一方、ギャップＭＧを小さくする場合には、より最近の受信電力がハンドオーバの判断に用いられることになるため、ハンドオーバ動作のタイミングが早くなる。
【０３３５】
ギャップＭＧを小さくすることにより、より最近の受信電力に基づいた適切なハンドオーバを行なうことが可能となる。一方、ギャップＭＧを大きくすることにより、無線端末装置２０２の処理負荷を低減することができる。
【０３３６】
また、無線端末装置２０２は、たとえば、時刻（ｔ−１）において測定した受信電力Ｍ（ｔ−１）、時刻（ｔ−１）より後の時刻ｔにおいて測定した受信電力Ｍ（ｔ）およびフィルタリング係数αから、以下の式で表される受信電力ＭＲ（ｔ）を算出する。
ＭＲ（ｔ）＝α×Ｍ（ｔ−１）＋（１−α）×Ｍ（ｔ）
【０３３７】
無線端末装置２０２は、受信電力ＭＲ（ｔ）を示す測定結果通知を無線基地局装置へ送信する。
【０３３８】
フィルタリング係数αを大きくする場合には、より過去の受信電力が測定結果通知に反映されることになるため、ハンドオーバ動作のタイミングが遅くなる。一方、フィルタリング係数αを小さくする場合には、より最近の受信電力が測定結果通知に反映されることになるため、ハンドオーバ動作のタイミングが早くなる。
【０３３９】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。また、測定開始要求には、サービングセルごとにギャップＭＧおよびフィルタリング係数αが設定される。
【０３４０】
［接続確立状態における無線端末装置の移動状態の検出処理］
図２３は、本発明の実施の形態に係る無線通信システムにおいて、接続確立状態の無線端末装置が移動状態の検出処理を行う際の動作手順を定めたフローチャートである。
【０３４１】
無線端末装置２０２は、たとえば無線基地局装置１０１へのハンドオーバ動作を行った後、ハンドオーバ動作において無線基地局装置１０１から受信したＲＲＣコネクション再構成指示に含まれる移動状態パラメータ（MobilityStateParameters）に基づいて、自己の移動状態の推定処理を行うことが可能である。
【０３４２】
そして、無線端末装置２０２は、自己の移動状態の推定処理の結果に基づいて、自己の移動状態を通常移動状態（Normal-mobility State）、高速移動状態（High-mobility State）または中速移動状態（Medium-mobility State）に設定する。
【０３４３】
図２３を参照して、まず、無線端末装置２０２は、ハンドオーバ動作の実行回数をカウントする期間を計測するためにタイマを用いる。無線端末装置２０２は、タイマの計測時間を移動状態パラメータにおけるt-Evaluationに設定し、当該タイマを始動させる（ステップＳ２０２）。
【０３４４】
次に、無線端末装置２０２は、タイマを始動させてからタイマが満了するまでの間、ハンドオーバ動作の実行回数をカウントする（ステップＳ２０４）。
【０３４５】
次に、無線端末装置２０２は、カウントしたハンドオーバ動作の実行回数が移動状態パラメータに含まれるn-CellChangeHigh以上となる場合（ステップＳ２０６でＹＥＳ）、自己の移動状態を高速移動状態に設定する（ステップＳ２０８）。
【０３４６】
一方、無線端末装置２０２は、カウントしたハンドオーバ動作の実行回数が上記n-CellChangeHigh未満であり（ステップＳ２０６でＮＯ）、かつ移動状態パラメータに含まれるn-CellChangeMedium以上となる場合（ステップＳ２１０でＹＥＳ）、自己の移動状態を中速移動状態に設定する（ステップＳ２１２）。
【０３４７】
一方、無線端末装置２０２は、カウントしたハンドオーバ動作の実行回数が上記n-CellChangeMedium未満となる場合（ステップＳ２１０でＮＯ）、タイマが満了しているか否かを確認する（ステップＳ２１４）。
【０３４８】
無線端末装置２０２は、タイマが満了していない場合、すなわちタイマを始動させてからt-Evaluationに相当する時間が経過していない場合（ステップＳ２１４でＮＯ）、引き続きハンドオーバ動作の実行回数をカウントする（ステップＳ２０４）。
【０３４９】
一方、無線端末装置２０２は、タイマが満了していた場合、すなわちタイマを始動させてからt-Evaluationに相当する時間が経過した場合（ステップＳ２１４でＹＥＳ）、自己の移動状態を通常移動状態に設定する（ステップＳ２１６）。
【０３５０】
以上の動作により、無線端末装置２０２が、接続確立状態において、たとえばt-Evaluationにより示される所定時間内におけるハンドオーバ動作の実行回数に基づいて、自己の移動状態を推定する。
【０３５１】
［アイドル状態における無線端末装置の移動状態の検出処理］
図２４は、本発明の実施の形態に係る無線通信システムにおいて、アイドル状態の無線端末装置が移動状態の検出処理を行う際の動作手順を定めたフローチャートである。
【０３５２】
無線端末装置２０２は、たとえば無線基地局装置１０１から受信したＲＲＣコネクション再構成指示に含まれる移動状態パラメータに基づいて、自己の移動状態の推定処理を行うことが可能である。
【０３５３】
そして、無線端末装置２０２は、自己の移動状態の推定処理の結果に基づいて、自己の移動状態を通常移動状態（Normal-mobility State）、高速移動状態（High-mobility State）または中速移動状態（Medium-mobility State）に設定する。
【０３５４】
図２４を参照して、まず、無線端末装置２０２は、セル再選択動作の実行回数をカウントする期間を測定するためにタイマを用いる。無線端末装置２０２は、タイマの計測時間を移動状態パラメータにおけるt-Evaluationに設定し、当該タイマを始動させる（ステップＳ２４２）。
【０３５５】
次に、無線端末装置２０２は、タイマを始動させてからタイマが満了するまでの間、セル再選択動作の実行回数をカウントする（ステップＳ２４４）。
【０３５６】
次に、無線端末装置２０２は、カウントしたセル再選択動作の実行回数が移動状態パラメータに含まれるn-CellChangeHigh以上となる場合（ステップＳ２４６でＹＥＳ）、自己の移動状態を高速移動状態に設定する（ステップＳ２４８）。
【０３５７】
一方、無線端末装置２０２は、カウントしたセル再選択動作の実行回数が上記n-CellChangeHigh未満であり（ステップＳ２４６でＮＯ）、かつ移動状態パラメータに含まれるn-CellChangeMedium以上となる場合（ステップＳ２５０でＹＥＳ）、自己の移動状態を中速移動状態に設定する（ステップＳ２５２）。
【０３５８】
一方、無線端末装置２０２は、カウントしたセル再選択動作の実行回数が上記n-CellChangeMedium未満となる場合（ステップＳ２５０でＮＯ）、タイマが満了しているか否かを確認する（ステップＳ２５４）。
【０３５９】
無線端末装置２０２は、タイマが満了していない場合、すなわちタイマを始動させてからt-Evaluationに相当する時間が経過していない場合（ステップＳ２５４でＮＯ）、引き続きセル再選択動作の実行回数をカウントする（ステップＳ２４４）。
【０３６０】
一方、無線端末装置２０２は、タイマが満了していた場合、すなわちタイマを始動させてからt-Evaluationに相当する時間が経過した場合（ステップＳ２５４でＹＥＳ）、自己の移動状態を通常移動状態に設定する（ステップＳ２５６）。
【０３６１】
以上の動作により、無線端末装置２０２は、アイドル状態において、たとえばt-Evaluationにより示される所定時間内におけるセル再選択動作の実行回数に基づいて、自己の移動状態を推定する。
【０３６２】
［検出した移動状態に応じたハンドオーバ動作のタイミング調整］
図２５は、本発明の実施の形態に係る無線通信システムにおいて、接続確立状態の無線端末装置がハンドオーバ動作のタイミング調整を行う際の動作手順を定めたフローチャートである。
【０３６３】
無線端末装置２０２は、接続確立状態において、推定した自己の移動状態に基づいて、ハンドオーバ動作のタイミング調整を行うことが可能である。
【０３６４】
図２５に示す動作は、たとえば無線基地局装置１０１によって無線端末装置２０２にイベントＡ３が設定された状態において、当該無線端末装置２０２がイベントＡ３におけるレポートオン状態へ遷移したときに起動される。
【０３６５】
図２５を参照して、まず、無線端末装置２０２は、自己の移動状態が高速移動状態である場合（ステップＳ２８２でＹＥＳ）、自己が保持するＴＴＴにスケール因子であるsf-Highを乗ずる（ステップＳ２８４）。
【０３６６】
一方、無線端末装置２０２は、自己の移動状態が高速移動状態でなく（ステップＳ２８２でＮＯ）、中速移動状態である場合（ステップＳ２８６でＹＥＳ）、自己が保持するＴＴＴにスケール因子であるsf-Mediumを乗ずる（ステップＳ２８８）。
【０３６７】
また、無線端末装置２０２は、自己の移動状態が中速移動状態でない場合（ステップＳ２８６でＮＯ）、自己が保持するＴＴＴに対して何もしない（ステップＳ２９０）。
【０３６８】
以上の動作により、無線端末装置２０２は、ＴＴＴの調整によるハンドオーバ動作のタイミング調整を行う。
【０３６９】
無線端末装置２０２は、レポートオン状態へ遷移した後、たとえば無線基地局装置１０１Ｂから送信される無線信号の受信電力がサービング基地局である無線基地局装置１０１Ａから送信される無線信号の受信電力より大きい状態がＴＴＴに相当する時間継続すると、測定した受信電力を示す測定結果通知をサービング基地局へ送信する。
【０３７０】
また、無線端末装置２０２は、上記ステップＳ２８４において、自己が保持するＴＴＴにスケール因子であるsf-Highを乗ずる。sf-Highは、たとえば０．２５、０．５０、０．７５または１．００の値をとり、無線基地局装置１０１から予め通知されている。たとえば、０．２５、０．５０または０．７５の値に設定されたsf-Highを乗じたＴＴＴは、乗じる前のＴＴＴより小さくなる。
【０３７１】
また、無線端末装置２０２は、上記ステップＳ２８８において、自己が保持するＴＴＴにスケール因子であるsf-Mediumを乗ずる。sf-Mediumは、たとえば０．２５、０．５０、０．７５または１．００の値をとり、無線基地局装置１０１から予め通知されている。たとえば、０．２５、０．５０または０．７５の値に設定されたsf-Mediumを乗じたＴＴＴは、乗じる前のＴＴＴより小さくなる。
【０３７２】
従って、たとえば高速移動状態において０．２５がＴＴＴに乗じられ、また、中速移動状態において０．５０がＴＴＴに乗じられると、高速移動状態または中速移動状態におけるＴＴＴは、通常移動状態におけるＴＴＴと比べて小さくなる。このため、無線端末装置２０２は、高速移動状態または中速移動状態にある場合、通常移動状態にある場合と比べてより早いタイミングで測定結果通知をサービング基地局へ送信する。
【０３７３】
サービング基地局は、無線端末装置２０２から受信した測定結果通知に基づいて、ハンドオーバすべきか否かを判断するので、無線端末装置２０２は、推定した自己の移動状態に基づいてＴＴＴを小さくすることにより、ハンドオーバ動作のタイミングを早めることが可能となる。
【０３７４】
［検出した移動状態に応じたセル再選択動作のタイミング調整］
図２６は、本発明の実施の形態に係る無線通信システムにおいて、アイドル状態の無線端末装置がセル再選択動作のタイミング調整を行う際の動作手順を定めたフローチャートである。
無線端末装置２０２は、アイドル状態において推定した自己の移動状態に基づいて、セル再選択動作のタイミング調整を行うことが可能である。
【０３７５】
より詳細には、無線端末装置２０２は、サービング基地局から送信される無線信号の受信電力、および他の無線基地局装置１０１から送信される無線信号の受信電力を比較する際に、サービング基地局から送信される無線信号の受信電力に、無線基地局装置１０１から通知されたQhystを加える。
【０３７６】
このQhystの値が正の値である場合、無線端末装置２０２は、サービング基地局から送信される無線信号の受信電力を実際より大きく判断するので、他の無線基地局装置１０１へのセル再選択が起こりにくくなる。
【０３７７】
一方、Qhystの値が負の値である場合、無線端末装置２０２は、サービング基地局から送信される無線信号の受信電力を実際より小さく判断するので、他の無線基地局装置１０１へのセル再選択が起こりやすくなる。
【０３７８】
無線端末装置２０２は、このQhystの値を変化させることにより、セル再選択動作のタイミングを調整することが可能である。
【０３７９】
図２６に示す動作は、たとえば無線端末装置２０２の移動状態が高速移動状態、中速移動状態、または通常移動状態のいずれかの状態へ遷移したときに起動される。
【０３８０】
図２６を参照して、まず、無線端末装置２０２は、自己の移動状態が高速移動状態である場合（ステップＳ３２２でＹＥＳ）、パラメータq-HystSFに含まれるスケール因子であるsf-Highを、自己が保持するQhystに加算する（ステップＳ３２４）。
【０３８１】
一方、無線端末装置２０２は、自己の移動状態が高速移動状態でなく（ステップＳ３２２でＮＯ）、中速移動状態である場合（ステップＳ３２６でＹＥＳ）、パラメータq-HystSFに含まれるスケール因子であるsf-Mediumを、自己が保持するQhystに加算する（ステップＳ３２８）。
【０３８２】
また、無線端末装置２０２は、自己の移動状態が中速移動状態でない場合（ステップＳ３２６でＮＯ）、自己が保持するQhystに対して何もしない（ステップＳ３３０）。
【０３８３】
以上の動作により、無線端末装置２０２は、Qhystの調整によるセル再選択動作のタイミング調整を行う。
【０３８４】
無線端末装置２０２は、上記ステップＳ３２４において、無線基地局装置１０１から通知されたQhystにスケール因子であるsf-Highを加算する。sf-Highは、たとえば−６ｄＢ、−４ｄＢ、−２ｄＢまたは０ｄＢの値をとり、無線基地局装置１０１から予め通知されている。たとえば、−６ｄＢ、−４ｄＢまたは−２ｄＢの値に設定されたsf-Highを加算したQhystは、加える前のQhystより小さくなる。
【０３８５】
また、無線端末装置２０２は、上記ステップＳ３２８において、無線基地局装置１０１から通知されたQhystにスケール因子であるsf-Mediumを加算する。sf-Mediumは、たとえば−６ｄＢ、−４ｄＢ、−２ｄＢまたは０ｄＢの値をとり、無線基地局装置１０１から予め通知されている。たとえば、−６ｄＢ、−４ｄＢまたは−２ｄＢの値に設定されたsf-Mediumを加算したQhystは、加える前のQhystより小さくなる。
【０３８６】
従って、たとえば高速移動状態において−６ｄＢがQhystに加算され、また、中速移動状態において−４ｄＢがQhystに加算されると、高速移動状態または中速移動状態におけるQhystは、通常移動状態におけるQhystと比べて小さくなる。このため、無線端末装置２０２は、高速移動状態または中速移動状態にある場合、通常移動状態にある場合と比べてより早いタイミングで他の無線基地局装置１０１へのセル再選択動作を開始することが可能となる。
【０３８７】
［ヘテロジーニアスネットワークにおいて移動状態を検出する際に発生する問題点］
図２７は、本発明の実施の形態に係る無線通信システムにおける、無線端末装置の移動経路に基づく移動動作の実行回数の比較を示す図である。
【０３８８】
図２７を参照して、無線基地局装置１０１Ａ，１０１Ｂは、たとえばマクロ基地局であり、それぞれマクロセルＭＣＡ，ＭＣＢを形成する。また、無線基地局装置１０１Ｄ，１０１Ｅ，１０１Ｆは、たとえばピコ基地局であり、それぞれピコセルＰＣＤ，ＰＣＥ，ＰＣＦを形成する。
【０３８９】
ピコセルＰＣＤ，ＰＣＥは、マクロセルＭＣＡに含まれており、また、ピコセルＰＣＦは、マクロセルＭＣＢに含まれる。
【０３９０】
たとえば無線端末装置２０２Ａが、地点Ｓから経路Ｐを経由して地点Ｅへ移動し、また、無線端末装置２０２Ｂが、地点Ｓから経路Ｑを経由して地点Ｅへ移動する場合を想定する。すなわち、無線端末装置２０２Ｂは、マクロセルおよびピコセルが混在するヘテロジーニアスネットワークにおいて移動する。
【０３９１】
なお、経路Ｐおよび経路Ｑの曲線の長さは等しいとし、無線端末装置２０２Ａおよび無線端末装置２０２Ｂは、同じ速度で移動するとする。
【０３９２】
無線端末装置２０２Ａは、マクロ基地局である無線基地局装置１０１Ａが形成するマクロセルＭＣＡの圏内である地点Ｓを出発すると、地点Ｅに到着する前に、マクロセルＭＣＢの圏内へ入る（ステップＳ３５２）。
【０３９３】
次に、無線端末装置２０２Ａは、たとえば領域ＡＰ１において１回目のハンドオーバ動作を行い、無線基地局装置１０１Ａから無線基地局装置１０１Ｂへ接続先を変更する（ステップＳ３５４）。
【０３９４】
次に、無線端末装置２０２Ａは、ハンドオーバ動作の完了後、マクロセルＭＣＡの圏内を脱し、地点Ｅへ到着する（ステップＳ３５６）。
【０３９５】
すなわち、無線端末装置２０２Ａは、地点Ｓを出発してから地点Ｅに到着するまでに、１回だけハンドオーバ動作を行う。
【０３９６】
一方、無線端末装置２０２Ｂは、マクロ基地局である無線基地局装置１０１Ａが形成するマクロセルＭＣＡの圏内である地点Ｓを出発すると、まず、ピコ基地局である無線基地局装置１０１Ｄが形成するピコセルＰＣＤの圏内へ進入する（ステップＳ３５８）。この際、たとえば領域ＡＱ１においてハンドオーバ動作が実行され、無線端末装置２０２Ｂの接続先は、無線基地局装置１０１Ａから無線基地局装置１０１Ｄへ変更される。
【０３９７】
次に、無線端末装置２０２ＢがピコセルＰＣＤの圏内を脱するまでに、たとえば領域ＡＱ２において２回目のハンドオーバ動作が実行され、無線端末装置２０２Ｂの接続先は、無線基地局装置１０１Ｄから無線基地局装置１０１Ａへ変更される（ステップＳ３６０）。
【０３９８】
次に、無線端末装置２０２Ｂは、ピコ基地局である無線基地局装置１０１Ｅが形成するピコセルＰＣＥの圏内へ進入する（ステップＳ３６２）。この際、たとえば領域ＡＱ３において３回目のハンドオーバ動作が実行され、無線端末装置２０２Ｂの接続先は、無線基地局装置１０１Ａから無線基地局装置１０１Ｅへ変更される。
【０３９９】
次に、無線端末装置２０２ＢがピコセルＰＣＥの圏内を脱するまでに、たとえば領域ＡＱ４において４回目のハンドオーバ動作が実行され、無線端末装置２０２Ｂの接続先は、無線基地局装置１０１Ｅから無線基地局装置１０１Ａへ変更される（ステップＳ３６４）。
【０４００】
次に、無線端末装置２０２Ｂは、マクロセルＭＣＢの圏内へ進入する（ステップＳ３６６）。
【０４０１】
次に、たとえば領域ＡＱ５において５回目のハンドオーバ動作が実行され、無線端末装置２０２Ｂの接続先は、無線基地局装置１０１Ａから無線基地局装置１０１Ｂへ変更される（ステップＳ３６８）。
【０４０２】
次に、無線端末装置２０２Ｂは、５回目のハンドオーバ動作の完了後、マクロセルＭＣＡの圏内を脱し、ピコ基地局である無線基地局装置１０１Ｆが形成するピコセルＰＣＦの圏内へ進入する（ステップＳ３７０）。この際、たとえば領域ＡＱ６において６回目のハンドオーバ動作が実行され、無線端末装置２０２Ｂの接続先は、無線基地局装置１０１Ｂから無線基地局装置１０１Ｆへ変更される。
【０４０３】
次に、無線端末装置２０２ＢがピコセルＰＣＦの圏内を脱するまでに、たとえば領域ＡＱ７において７回目のハンドオーバ動作が実行され、無線端末装置２０２Ｂの接続先は、無線基地局装置１０１Ｆから無線基地局装置１０１Ｂへ変更される（ステップＳ３７２）。
【０４０４】
次に、無線端末装置２０２Ａは、７回目のハンドオーバ動作の完了後、マクロセルＭＣＢの圏内に存在する地点Ｅへ到着する（ステップＳ３７４）。
【０４０５】
ここで、経路Ｐおよび経路Ｑの曲線の長さは等しく、かつ無線端末装置２０２Ａおよび無線端末装置２０２Ｂは、同じ速度で移動することを想定している。従って、無線端末装置２０２Ａが地点Ｓから経路Ｐを経由して地点Ｅまで移動するために必要な時間、および無線端末装置２０２Ｂが地点Ｓから経路Ｑを経由して地点Ｅまで移動するために必要な時間は等しい。
【０４０６】
無線端末装置２０２Ａは、当該時間において１回だけハンドオーバ動作を行うのに対して、無線端末装置２０２Ｂは、当該時間において７回ハンドオーバ動作を行う。従って、無線端末装置２０２Ａは、ハンドオーバ動作の実行回数が１回だけと少ないので、たとえば図２３に示すステップＳ２１６において自己の移動状態を通常移動状態に設定する。
【０４０７】
一方、無線端末装置２０２Ｂは、ハンドオーバ動作の実行回数が７回と多いので、図２３に示すステップＳ２０６において、たとえばハンドオーバ動作の実行回数がt-Evaluationに相当する時間においてn-CellChangeHigh以上であると判断し、図２３に示すステップＳ２０８において自己の移動状態を高速移動状態に設定する。
【０４０８】
これにより、たとえば、無線端末装置２０２Ａは、図２５に示すステップＳ２９０においてＴＴＴを変更しないが、無線端末装置２０２Ｂは、自己の移動状態が実際より速い移動状態であると誤って推定してしまい、図２５に示すステップＳ２８４においてＴＴＴに対してsf-Highを乗ずることによりＴＴＴを短くする。このため、無線端末装置２０２Ｂのハンドオーバ動作のタイミングが早まり、無線端末装置２０２Ｂにおけるハンドオーバ動作のタイミングが適切でなくなってしまう。
【０４０９】
この結果、無線端末装置２０２Ｂは、たとえば”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”等の不適切なハンドオーバ動作を引き起こしやすくなってしまう。
【０４１０】
なお、上記の例では、無線端末装置２０２が接続確立状態のまま移動するハンドオーバ動作について想定したが、無線端末装置２０２がアイドル状態のまま選択先のセルを変更しながら移動するセル再選択動作についても、ハンドオーバ動作をセル再選択動作に置き換えることにより、同様に議論できる。
【０４１１】
この場合、アイドル状態において地点Ｓから経路Ｐを経由して地点Ｅへ到着した無線端末装置２０２Ａは、セル再選択動作の実行回数が１回だけであるので、たとえば図２４に示すステップＳ２５６において自己の移動状態を通常移動状態に設定する。
【０４１２】
一方、アイドル状態において地点Ｓから経路Ｑを経由して地点Ｅへ到着した無線端末装置２０２Ｂは、セル再選択動作の実行回数が７回と多いので、図２４に示すステップＳ２４６において、たとえばセル再選択動作の実行回数がt-Evaluationに相当する時間においてn-CellChangeHigh以上であると判断し、図２４に示すステップＳ２４８において自己の移動状態を高速移動状態に設定する。
【０４１３】
これにより、たとえば、無線端末装置２０２Ａは、図２６に示すステップＳ３３０においてQhystを変更しないが、無線端末装置２０２Ｂは、自己の移動状態が実際より速い移動状態であると誤って推定してしまい、図２６に示すステップＳ３２４においてQhystに対して負の値を有するsf-Highを加算することによりQhystを小さくする。このため、無線端末装置２０２Ｂは、早すぎるタイミングでセル再選択動作を行うことにより、圏外状態になってしまう場合がある。
【０４１４】
この場合、無線端末装置２０２Ｂは、セルに在圏するために、無線基地局装置１０１からの無線信号の周波数を検索する等の処理を実行し直す必要があり、無線端末装置２０２Ｂの消費電力の増大およびユーザの使用感の悪化等、種々の問題が生じる。
【０４１５】
従って、無線端末装置２０２の移動状態を正しく推定できないと、不適切なハンドオーバ動作およびセル再選択動作、すなわち不適切な移動動作が発生しやすくなるので、無線端末装置２０２の移動状態を正しく推定することは重要である。
【０４１６】
しかしながら、非特許文献１に記載の技術に従って無線端末装置２０２の移動状態の推定処理を行う場合、セルの形態およびセルのサイズを考慮せずに、所定時間当たりのハンドオーバ動作またはセルの再選択動作の実行回数のみに基づいて無線端末装置２０２の移動状態を推定する。
【０４１７】
このため、無線端末装置２０２Ａおよび無線端末装置２０２Ｂが同じ速度で移動しているにも関わらず、上記のように移動状態の推定結果が異なってしまうという問題が発生する。
【０４１８】
本発明の実施の形態に係る無線端末装置２０２および無線基地局装置１０１では、以下の構成および動作によりヘテロジーニアスネットワークにおいても移動状態を正しく推定することにより、上記問題を解決する。
【０４１９】
［無線端末装置の構成］
図２８は、本発明の実施の形態に係る無線端末装置の構成を示す図である。
図２８を参照して、無線端末装置２０２は、アンテナ８１と、サーキュレータ８２と、無線受信部８３と、無線送信部８４と、信号処理部８５と、制御部８８と、入出力部８９とを備える。信号処理部８５は、受信信号処理部８６と、送信信号処理部８７とを含む。信号処理部８５、制御部８８、および入出力部８９は、ＣＰＵ（Central Processing Unit）またはＤＳＰ（Digital Signal Processor）等によって実現される。
【０４２０】
サーキュレータ８２は、アンテナ８１において受信されたマクロ基地局、ピコ基地局またはフェムト基地局である無線基地局装置１０１からの無線信号を無線受信部８３へ出力し、また、無線送信部８４から受けた無線信号をアンテナ８１へ出力する。
【０４２１】
無線受信部８３は、サーキュレータ８２から受けた無線信号をベースバンド信号またはＩＦ（Intermediate Frequency）信号に周波数変換し、この周波数変換した信号をデジタル信号に変換して受信信号処理部８６へ出力する。
【０４２２】
受信信号処理部８６は、無線受信部８３から受けたデジタル信号に対してＯＦＤＭ（Orthogonal Frequency Division Multiplex）方式におけるＦＦＴ（Fast Fourier Transform）等の信号処理を行ない、この信号処理後のデジタル信号の一部または全部を所定のフレームフォーマットに変換し、制御部８８へ出力する。
【０４２３】
送信信号処理部８７は、制御部８８から受けた通信データを所定のフレームフォーマットに変換した通信データ、または自ら生成した通信データに対してＣＤＭＡ（Code Division Multiple Access）方式における拡散処理等の信号処理を行ない、この信号処理後のデジタル信号を無線送信部８４へ出力する。
【０４２４】
無線送信部８４は、送信信号処理部８７から受けたデジタル信号をアナログ信号に変換し、変換したアナログ信号を無線信号に周波数変換してサーキュレータ８２へ出力する。
【０４２５】
制御部８８は、受信信号処理部８６から受けたフレームフォーマットに格納されたデジタル信号を、たとえば音声データおよび映像データに変換し、必要であるならアナログ信号に変換したのち、スピーカ、マイク、ディスプレイおよびキー入力装置により構成される入出力部８９へ出力する。
【０４２６】
また、制御部８８は、たとえば音声データおよびキー入力装置において受け付けた無線端末装置２０２を制御するための制御信号等を入出力部８９から受ける。そして、制御部８８は、必要に応じて受けた音声データおよび制御信号の一部を処理し、処理した音声データおよび制御信号を他の無線端末装置２０２へ送信するために所定のフレームフォーマットに変換する。
【０４２７】
また、制御部８８は、無線端末装置２０２における各ユニットとの間で各種情報をやり取りする。
【０４２８】
図２９は、本発明の実施の形態に係る無線端末装置における制御部の構成を示す図である。
図２９を参照して、制御部８８は、設定部１１と、移動状態推定部１２と、カウント部１３と、タイマ１４と、基地局種別判定部１５と、受信電力測定部（受信電力報告部）１６と、通知部（受信電力報告部）１７とを含む。
【０４２９】
タイマ１４は、計測時間を設定して始動させると、設定した計測時間が経過するまで継続して作動する。タイマ１４の作動状態を確認することにより、当該タイマ１４を始動してから計測時間が経過したかどうかを知ることができる。
【０４３０】
カウント部１３は、自己の無線端末装置２０２の移動動作の実行回数をカウントする。具体的には、カウント部１３は、たとえば自己の無線端末装置２０２が接続確立状態にある場合、通信接続先の無線基地局装置１０１からＲＲＣコネクション再構成指示を受信する回数を、カウント基準に従ってカウントする。カウント基準の詳細については後述する。
【０４３１】
また、カウント部１３は、たとえば自己の無線端末装置２０２がアイドル状態にある場合、端末登録処理であるアタッチ処理を実行する回数を、カウント基準に従ってカウントする。
【０４３２】
カウント部１３は、たとえば無線基地局装置１０１からカウント基準を取得する。具体的には、カウント基準は、たとえば無線基地局装置１０１により送信される報知情報または移動制御情報（MobilityControlInfo）を含むＲＲＣコネクション再構成指示に含められる。ここで、移動制御情報を含むＲＲＣコネクション再構成指示は、ハンドオーバコマンドとも称される。
【０４３３】
カウント部１３は、無線基地局装置１０１から受信した当該報知情報または当該ハンドオーバコマンドからカウント基準を取得する。また、カウント基準は、たとえば無線端末装置２０２により予め保持されていてもよい。
【０４３４】
また、カウント部１３は、実行された自己の無線端末装置２０２の移動動作が所定条件を満たす場合には、上記所定条件を満たす移動動作をカウントの対象から除外する。
【０４３５】
たとえば、カウント部１３は、無線基地局装置１０１から取得した情報に基づいて、上記所定条件を満たすか否かを判断する。
【０４３６】
具体的には、カウント部１３は、たとえば報知情報を無線基地局装置１０１から受信し、受信した報知情報に基づいて、移動元または移動先の無線基地局装置がピコ基地局またはフェムト基地局等の小型基地局であるかどうかを判断する。
【０４３７】
より詳細には、カウント部１３は、受信した報知情報に含まれかつ小型基地局の情報が記載されている情報、たとえばスモールセルリスト、周辺セル情報、またはＳＩＢ９（SystemInformationBlockType9）に基づいて、移動元または移動先の無線基地局装置が小型基地局であるかどうかを判断する。
【０４３８】
また、カウント部１３は、受信した報知情報を送信した無線基地局装置１０１が小型基地局であるかどうかを示す１ビットのフラグが当該報知情報において含まれる場合、上記フラグを確認することにより当該無線基地局装置１０１が小型基地局であるかどうかを判断してもよい。
【０４３９】
カウント部１３は、移動動作完了後の、移動元または移動先の無線基地局装置１０１が小型基地局である場合、上記所定条件を満たすと判断する。
【０４４０】
また、たとえば、カウント部１３は、自己の無線端末装置２０２の無線基地局装置１０１への移動動作が行われてから他の無線基地局装置１０１への移動動作が行われるまでの滞在時間が所定のしきい値未満の場合に、上記所定条件を満たすと判断し、上記移動動作をカウントの対象から除外する。
【０４４１】
具体的には、カウント部１３は、移動動作の完了後、上記所定のしきい値に相当する計測時間をタイマにセットする。そして、カウント部１３は、次の移動動作が発生するとタイマ１４が満了したか否かを確認する。
【０４４２】
カウント部１３は、タイマ１４が満了していない場合、すなわちタイマ１４を始動させてから上記所定のしきい値に相当する時間が経過していない場合、滞在時間が上記所定のしきい値に相当する値未満であると判断し、上記移動動作をカウントの対象から除外する。
【０４４３】
また、たとえば、カウント部１３は、自己の無線端末装置２０２の他の無線基地局装置１０１から小型基地局への移動動作が行われた場合に、上記所定条件を満たすと判断し、上記移動動作をカウントの対象から除外する。
【０４４４】
また、たとえば、カウント部１３は、自己の無線端末装置２０２の小型基地局から他の無線基地局装置１０１への移動動作が行われた場合に、上記所定条件を満たすと判断し、上記移動動作をカウントの対象から除外する。
【０４４５】
また、たとえば、カウント部１３は、自己の無線端末装置２０２のマクロ基地局から他の無線基地局装置１０１、または他の無線基地局装置１０１からマクロ基地局への移動動作が行われた場合に、上記所定条件を満たさないと判断し、上記移動動作をカウントの対象とする。
【０４４６】
基地局種別判定部１５は、移動動作における移動元または移動先の無線基地局装置１０１から送信される無線信号の送信電力に基づいて、上記移動動作における移動元または移動先の無線基地局装置１０１の種別を判定する。
【０４４７】
具体的には、基地局種別判定部１５は、報知情報に含まれるＲＲＣ情報（Radio Resource Control Information Elements）におけるPDSCH（Physical Downlink Shared CHannel）-Configの参照信号電力（referenceSignalPower）を取得する。
【０４４８】
たとえば、マクロ基地局が形成するマクロセルの大きさは半径数百メートルから数十キロメートルであり、ピコ基地局またはフェムト基地局等の小型基地局が形成するセルの大きさは１０〜２００ｍである。これは、マクロ基地局が送信する無線信号の送信電力、および小型基地局が送信する無線信号の送信電力の大きさが大きく異なるためである。
【０４４９】
従って、基地局種別判定部１５は、取得した参照信号電力に基づいて、無線基地局装置１０１の種別を判定することができる。基地局種別判定部１５は、判定した無線基地局装置１０１の種別をカウント部１３へ通知する。具体的な種別は、たとえば小型基地局およびマクロ基地局である。
【０４５０】
そして、カウント部１３は、たとえば基地局種別判定部１５の判定結果に基づいて、上記所定条件を満たすか否かを判断する。
【０４５１】
具体的には、カウント部１３は、移動動作の完了後において、基地局種別判定部１５から移動元または移動先の無線基地局装置１０１の種別を取得する。そして、カウント部１３は、取得した種別がたとえば小型基地局である場合、上記所定条件を満たすと判断し、上記移動動作をカウントの対象から除外する。
【０４５２】
移動状態推定部１２は、カウント部１３によってカウントされた移動動作の実行回数に基づいて、自己の無線端末装置２０２の移動状態を推定する。
【０４５３】
具体的には、移動状態推定部１２は、たとえばハンドオーバ動作において受信したＲＲＣコネクション再構成指示に含まれる移動状態パラメータのt-Evaluationをタイマ１４の計測時間に設定し、当該タイマ１４を始動させる。この際、移動状態推定部１２は、カウント部１３により計測される移動動作の実行回数をゼロにリセットする。
【０４５４】
そして、移動状態推定部１２は、タイマ１４を始動させてからタイマ１４が満了するまで、カウント部１３により計測される移動動作の実行回数を監視する。
【０４５５】
移動状態推定部１２は、上記実行回数に基づいて、自己の無線端末装置２０２の移動状態をたとえば高速移動状態、中速移動状態または通常移動状態のいずれかに設定する。
【０４５６】
また、移動状態推定部１２は、設定した自己の無線端末装置２０２の移動状態を、通知部１７経由で無線基地局装置１０１へ送信する。
【０４５７】
設定部１１は、移動状態推定部１２によって推定された移動状態に基づいて、自己の無線端末装置２０２の移動動作の実行判断に関わる自己の無線端末装置２０２の設定、すなわち当該実行判断に影響する自己の無線端末装置２０２の設定を行う。
【０４５８】
具体的には、設定部１１は、自己の無線端末装置２０２がアイドル状態にある場合、以下の処理を行う。すなわち、設定部１１は、自己の無線端末装置２０２の移動状態に応じて、たとえば他の無線基地局装置１０１へのセル再選択動作の実行判断に影響を与えるQhystに加算するスケール因子を変更する。
【０４５９】
また、設定部１１は、たとえば自己の無線端末装置２０２が接続確立状態にある場合、移動状態推定部１２によって推定された移動状態に基づいて、自己の無線端末装置２０２のハンドオーバ動作の実行判断に関わる自己の無線端末装置２０２の動作に関する設定、すなわち当該実行判断に影響する自己の無線端末装置２０２の動作に関する設定を行う。
【０４６０】
すなわち、設定部１１は、自己の無線端末装置２０２の移動状態に応じて、たとえばハンドオーバ動作のタイミングに影響を与えるＴＴＴに乗ずるスケール因子を変更する。
【０４６１】
そして、設定部１１は、たとえば自己の無線端末装置２０２が保持するＴＴＴに対して変更したスケール因子を乗ずることによりＴＴＴの値を設定し、設定したＴＴＴを受信電力測定部１６へ出力する。
【０４６２】
受信電力測定部１６は、たとえば自己の無線端末装置２０２と接続確立状態にある無線基地局装置１０１であるサービング基地局から測定開始要求を受信すると、受信した測定開始要求に含まれる周辺セル情報を参照する。
【０４６３】
次に、受信電力測定部１６は、周辺セル情報に基づいて、サービング基地局を含む測定対象となる無線基地局装置１０１の送信周波数を特定し、当該測定対象となる無線基地局装置１０１から送信される、当該送信周波数の無線信号の受信電力を測定する。
【０４６４】
そして、受信電力測定部１６は、たとえば自己の無線端末装置２０２において、イベントＡ３がサービング基地局により設定されている場合、以下の処理を行う。
【０４６５】
すなわち、受信電力測定部１６は、サービング基地局以外の他の無線基地局装置１０１により送信される無線信号の受信電力が、サービング基地局により送信される無線信号の受信電力より大きくなると、自己の無線端末装置２０２をレポートオン状態へ遷移させる。
【０４６６】
この際、受信電力測定部１６は、設定部１１から受けたＴＴＴをタイマ１４の計測時間に設定し、当該タイマ１４を始動させる。そして、受信電力測定部１６は、上記他の無線基地局装置１０１およびサービング基地局により送信される無線信号の受信電力を監視する。
【０４６７】
たとえば、受信電力測定部１６は、サービング基地局により送信される無線信号の受信電力において、オフセットＯＳＴ１およびヒステリシスＨＳを設定してもよい。また、受信電力測定部１６は、上記他の無線基地局装置１０１により送信される無線信号の受信電力において、オフセットＯＳＴ２を設定してもよい。
【０４６８】
受信電力測定部１６は、たとえば上記他の無線基地局装置１０１により送信される無線信号の受信電力が、サービング基地局により送信される無線信号の受信電力より大きい状態が、タイマ１４を始動させてからタイマ１４が満了するまで継続すると、以下の処理を行う。
【０４６９】
すなわち、受信電力測定部１６は、上記測定対象となる無線基地局装置１０１から送信される無線信号の受信電力を示す測定結果通知すなわちメジャメントレポートを通知部１７へ出力する。
【０４７０】
通知部１７は、受信電力測定部１６からメジャメントレポートを受けると、受けたメジャメントレポートを送信信号処理部８７経由でサービング基地局へ送信する。この際、通知部１７は、当該メジャメントレポートに、移動状態推定部１２から受けた自己の無線端末装置２０２の移動状態を含めてもよい。
【０４７１】
メジャメントレポートは、サービング基地局において、メジャメントレポートを送信してきた無線端末装置２０２のハンドオーバを行うべきか否かについての判断に用いられる。
【０４７２】
［無線基地局装置の構成］
図３０は、本発明の実施の形態に係る無線基地局装置の構成を示す図である。
図３０を参照して、無線基地局装置（通信制御装置）１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０４７３】
サーキュレータ９２は、アンテナ９１において受信された無線端末装置２０２からの無線信号を無線受信部９３へ出力し、また、無線送信部９４から受けた無線信号をアンテナ９１へ出力する。
【０４７４】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０４７５】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク３０１側へ送信する。
【０４７６】
送信信号処理部９７は、コアネットワーク３０１側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０４７７】
無線送信部９４は、送信信号処理部９７から受けたデジタル信号をアナログ信号に変換し、変換したアナログ信号を無線信号に周波数変換してサーキュレータ９２へ出力する。
【０４７８】
制御部９８は、無線基地局装置１０１における各ユニット、他の無線基地局装置１０１、およびコアネットワーク３０１との間で各種情報をやり取りする。
【０４７９】
図３１は、本発明の実施の形態に係る無線基地局装置における制御部の構成を示す図である。
図３１を参照して、制御部９８は、基地局検出部（カウント基準作成部）２１と、カウント方法リスト作成部（カウント基準作成部）２２と、カウント方法リスト通知部（カウント基準通知部）２３とを含む。
【０４８０】
図３２は、本発明の実施の形態に係る無線通信システムにおける、カウント方法リストの一例を示す図である。
図３３は、本発明の実施の形態に係る無線通信システムにおける、カウント方法リストの他の一例を示す図である。
【０４８１】
基地局検出部２１は、たとえば休止状態にある周辺基地局が始動することにより、Ｘ２インタフェースを介した当該周辺基地局との通信接続の確立を検出すると、当該周辺基地局のＩＤをカウント方法リスト作成部２２へ出力する。
【０４８２】
カウント方法リスト作成部２２は、検出された無線基地局装置１０１のＩＤを基地局検出部２１から受けると、受けたＩＤに基づいて、カウント基準を示すカウント方法リストを更新する。カウント基準は、具体的にはカウント方法リストに含まれる「カウント対象」または「重み付け係数」である。
【０４８３】
図３２を参照して、図３２の（Ａ）に示すカウント方法リスト４１は、たとえば、無線基地局装置１０１の「ＩＤ」と、「カウント対象」との対応関係を示す。
【０４８４】
「カウント対象」は、ＩＤにより示される無線基地局装置１０１への移動動作を、移動動作の実行回数のカウント対象とすべきか否かについての基準を示す。
【０４８５】
たとえば、図３２の（Ａ）に示す「ＩＤ」が１、３、１０および２５の無線基地局装置１０１は、対応する「カウント対象」が真であるので、当該無線基地局装置１０１への移動動作は、移動動作の実行回数のカウント対象とすべき移動動作であることを示す。
【０４８６】
また、たとえば、図３２の（Ａ）に示す「ＩＤ」が３２および７９の無線基地局装置１０１は、対応する「カウント対象」が偽であるので、当該無線基地局装置１０１への移動動作は、移動動作の実行回数のカウント対象とすべきでない移動動作であることを示す。
【０４８７】
すなわち、「カウント対象」が示す真および偽は、移動動作の実行回数のカウント対象とすべきか否かについてのカウント基準を示す。
【０４８８】
図３３を参照して、図３３の（Ａ）に示すカウント方法リスト４２は、たとえば、無線基地局装置１０１の「ＩＤ」と、「重み付け係数」との対応関係を示す。
【０４８９】
「重み付け係数」は、具体的には、無線基地局装置１０１毎に、当該無線基地局装置１０１の種別に応じて付与される係数を示す。たとえば、無線端末装置２０２が無線基地局装置１０１への移動動作を行う場合に、当該無線端末装置２０２が当該移動動作の実行回数をカウントする際のカウント値に対して当該係数を乗ずることにより、当該移動動作を重み付けする。
【０４９０】
たとえば、図３３の（Ａ）に示すように「ＩＤ」が１、３、１０および２５の無線基地局装置１０１は、対応する「重み付け係数」が全て１．０であるので、当該無線基地局装置１０１への移動動作が実行されると、当該移動動作の実行回数としてカウントすべきカウント値は１となる。
【０４９１】
また、たとえば、図３３の（Ａ）に示すように「ＩＤ」が３２および７９の無線基地局装置１０１は、対応する「重み付け係数」が全て０．５であるので、当該無線基地局装置１０１への移動動作が実行されると、当該移動動作の実行回数としてカウントすべきカウント値は０．５となる。
【０４９２】
すなわち、「重み付け係数」が示す値は、移動動作の実行回数としてカウントすべきカウント値のカウント基準を示す。
【０４９３】
再び図３１を参照して、たとえば、カウント方法リスト作成部２２は、検出された無線基地局装置１０１のＩＤを基地局検出部２１から受けると、当該ＩＤに基づいて、当該無線基地局装置１０１の種別を特定する。
【０４９４】
そして、カウント方法リスト作成部２２は、たとえば特定した種別がマクロ基地局である場合、カウント対象として「真」を当該ＩＤと共にカウント方法リスト４１へ追加し、また、特定した種別が小型基地局である場合、カウント対象として「偽」を当該ＩＤと共にカウント方法リスト４１へ追加する。
【０４９５】
また、カウント方法リスト作成部２２は、たとえば特定した種別がマクロ基地局である場合、重み付け係数として「１．０」を当該ＩＤと共にカウント方法リスト４２へ追加し、また、特定した種別が小型基地局である場合、重み付け係数として「０．５」を当該ＩＤと共にカウント方法リスト４１へ追加してもよい。
【０４９６】
カウント方法リスト作成部２２は、カウント対象または重み付け係数を追加することにより更新したカウント方法リスト４１または４２を、カウント方法リスト通知部２３へ出力する。
【０４９７】
なお、カウント方法リスト作成部２２は、更新すべきカウント方法リスト４１または４２を保持していない場合、カウント方法リストを新たに作成してもよい。また、カウント方法リスト作成部２２は、たとえば他の無線基地局装置１０１からカウント方法リスト４１または４２を取得できる場合、取得したカウント方法リスト４１または４２をカウント方法リスト通知部２３へ出力してもよい。
【０４９８】
また、カウント方法リスト作成部２２は、たとえば図３２の（Ｂ）に示すような、無線基地局装置１０１の種別と、当該無線基地局装置１０１のカウント対象との対応関係を示すカウント方法リスト４３を作成してもよい。
【０４９９】
また、カウント方法リスト作成部２２は、たとえば図３３の（Ｂ）に示すような、無線基地局装置１０１の種別と、当該無線基地局装置１０１の重み付け係数との対応関係を示すカウント方法リスト４４を作成してもよい。
【０５００】
そして、カウント方法リスト作成部２２は、作成したカウント方法リスト４３または４４を、カウント方法リスト通知部２３へ出力する。
【０５０１】
カウント方法リスト通知部２３は、カウント方法リスト作成部２２からカウント方法リスト４１、４２、４３または４４を受けると、受けたカウント方法リスト４１、４２、４３または４４の一部または全部を、他の無線基地局装置１０１または無線端末装置２０２へ送信する。
【０５０２】
より詳細には、カウント方法リスト通知部２３は、たとえば自己の無線基地局装置１０１がマクロ基地局または後述する管理基地局である場合、自己の無線基地局装置１０１が形成するセル内に位置する小型基地局、および自己の無線基地局装置１０１が形成するセルに隣接するセルを形成する無線基地局装置１０１へ、カウント方法リスト４１、４２、４３または４４を送信する。
【０５０３】
また、カウント方法リスト通知部２３は、たとえば自己の無線基地局装置１０１が送信する報知情報にカウント方法リスト４１、４２、４３または４４を含めることにより、自己の無線基地局装置１０１が形成するセルに在圏する無線端末装置２０２へカウント方法リスト４１、４２、４３または４４を送信信号処理部９７経由で送信する。
【０５０４】
また、カウント方法リスト通知部２３は、カウント方法リスト４１または４２に含まれる情報を、たとえば周辺セル情報に含める。具体的には、カウント方法リスト通知部２３は、カウント方法リスト４１または４２において、周辺セル情報に含まれるセルＩＤに対応するカウント対象または重み付け係数の値を特定する。
【０５０５】
次に、カウント方法リスト通知部２３は、特定したカウント対象または重み付け係数の値を、当該セルＩＤに対応付けて当該周辺セル情報に含める。
【０５０６】
そして、カウント方法リスト通知部２３は、たとえば自己の無線基地局装置１０１が送信する報知情報に当該周辺セル情報を含めることにより、自己の無線基地局装置１０１が形成するセルに在圏する無線端末装置２０２へ、カウント方法リスト４１または４２に含まれる情報を送信信号処理部９７経由で送信する。
【０５０７】
また、カウント方法リスト通知部２３は、自己の無線基地局装置１０１が当該無線基地局装置１０１と接続確立状態にある無線端末装置２０２をハンドオーバさせる際に、以下の処理を行う。
【０５０８】
すなわち、カウント方法リスト通知部２３は、カウント方法リスト４１または４２を参照することにより、当該無線端末装置２０２のハンドオーバ先となる無線基地局装置１０１のＩＤに対応するカウント対象または重み付け係数の値を特定する。
【０５０９】
そして、カウント方法リスト通知部２３は、たとえば当該無線端末装置２０２へ送信信号処理部９７経由で送信するハンドオーバコマンドであるＲＲＣコネクション再構成指示に、特定したカウント対象または重み付け係数の値を含める。
【０５１０】
当該無線端末装置２０２は、当該ＲＲＣコネクション再構成指示を受信すると、受信したＲＲＣコネクション再構成指示に含まれるカウント対象または重み付け係数の値に基づいて、当該移動動作の実行回数をカウントすることができる。
【０５１１】
また、カウント方法リスト通知部２３は、たとえば図３２の（Ｃ）に示す、無線基地局装置１０１のＩＤおよび当該無線基地局装置１０１の種別の対応関係を、自己の無線基地局装置１０１が送信する報知情報に含めて無線端末装置２０２へ送信してもよい。
【０５１２】
無線端末装置２０２は、無線基地局装置１０１から受信した、図３２の（Ｂ）に示すカウント方法リスト４３および図３２の（Ｃ）に示すＩＤと種別との対応関係を参照することにより、カウント対象に基づいて、移動動作の実行回数をカウントすることが可能となる。
【０５１３】
また、無線端末装置２０２は、１または複数の無線基地局装置１０１から受信した、図３３の（Ｂ）に示すカウント方法リスト４４および図３２の（Ｃ）に示すＩＤと種別との対応関係を参照することにより、重み付け係数に基づいて、移動動作の実行回数をカウントすることが可能となる。
【０５１４】
［カウント方法リストの更新処理およびカウント基準の通知処理］
図３４は、本発明の実施の形態に係る無線通信システムにおける、無線端末装置の移動経路の一例を示す図である。
【０５１５】
図３４を参照して、無線基地局装置１０１Ａ，１０１Ｂは、たとえばマクロ基地局であり、それぞれマクロセルＭＣＡ，ＭＣＢを形成する。また、無線基地局装置１０１Ｄ，１０１Ｅは、たとえばピコ基地局である。
【０５１６】
ここでは、無線基地局装置１０１Ｄは、活性状態にあり、無線信号を送信することによりピコセルＰＣＤを形成する。ピコセルＰＣＤは、マクロセルＭＣＡに含まれる。
【０５１７】
一方、無線基地局装置１０１Ｅは、休止状態にあり、無線信号を送信しない。また、無線基地局装置１０１Ｅが、たとえば活性状態に遷移した場合には、ピコセルＰＣＥを形成する。ピコセルＰＣＥは、マクロセルＭＣＡに含まれ、かつピコセルＰＣＤとは重ならない。
【０５１８】
ピコセルＰＣＤの隣接セルは、マクロセルＭＣＡのみとなる。このため、無線基地局装置１０１Ｄが得ることが可能な、不適切なハンドオーバについての情報は、ピコセルＰＣＤおよびマクロセルＭＣＡに関連した不適切なハンドオーバに関する情報のみである。
【０５１９】
同様に、ピコセルＰＣＥの隣接セルは、マクロセルＭＣＡのみとなる。このため、無線基地局装置１０１Ｅが得ることが可能な、不適切なハンドオーバについての情報は、ピコセルＰＣＥおよびマクロセルＭＣＡに関連した不適切なハンドオーバに関する情報のみである。
【０５２０】
一方、マクロセルＭＣＡの隣接セルは、ピコセルＰＣＤ、ピコセルＰＣＥおよびマクロセルＭＣＢである。このため、無線基地局装置１０１Ａが得ることが可能な、不適切なハンドオーバについての情報は、ピコセルＰＣＤおよびマクロセルＭＣＡに関連した不適切なハンドオーバ、ピコセルＰＣＥおよびマクロセルＭＣＡに関連した不適切なハンドオーバ、およびマクロセルＭＣＢおよびマクロセルＭＣＡに関連した不適切なハンドオーバに関する情報である。
【０５２１】
従って、マクロ基地局である無線基地局装置１０１Ａが、少なくとも自己が形成するセル内に位置する小型基地局について管理することが好ましい。この場合における管理とは、無線基地局装置１０１毎にカウント基準を設定し、設定したカウント基準を含めたカウント方法リストを当該小型基地局へ通知することを意味する。
【０５２２】
以下、他の無線基地局装置１０１を管理する無線基地局装置１０１を管理基地局と称する。また、当該無線基地局装置１０１によって管理される当該他の無線基地局装置１０１を被管理基地局と称する。
【０５２３】
また、無線基地局装置１０１は、以下の基準を用いて、自己が管理基地局または被管理基地局であるべきかについて判断してもよい。すなわち、無線基地局装置１０１は、自己が形成するセルにおける無線基地局装置１０１の設置数の密度に基づいて、自己が管理基地局または被管理基地局のどちらであるかについて判断する。
【０５２４】
具体的には、無線基地局装置１０１は、自己の送信電力に基づいて、自己が形成するセルの大きさを見積もり、また、周辺基地局の数に基づいて、当該セルに含まれる無線基地局装置１０１の数を見積もる。
【０５２５】
これにより、無線基地局装置１０１は、自己が形成するセルにおける無線基地局装置１０１の設置数の密度を見積もることができる。
【０５２６】
無線基地局装置１０１は、たとえば自己が形成するセルにおける無線基地局装置１０１の設置数の密度が所定のしきい値より大きい場合、管理基地局として動作すべきと判断する。また、無線基地局装置１０１は、たとえば自己が形成するセルにおける無線基地局装置１０１の設置数の密度が所定のしきい値より小さい場合、被管理基地局として動作すべきと判断する。
【０５２７】
たとえば、図３４に示す無線通信システムにおいては、無線基地局装置１０１Ａが管理基地局となり、無線基地局装置１０１Ｄおよび無線基地局装置１０１Ｅが無線基地局装置１０１Ａの被管理基地局となる。また、無線基地局装置１０１Ｂは、無線基地局装置１０１Ａの周辺基地局の一つである。
【０５２８】
図３５は、本発明の実施の形態に係る無線通信システムにおける、カウント方法リストの更新処理および無線端末装置へのカウント基準の通知処理のシーケンスの一例を示す図である。
【０５２９】
ここでは、図３４に示すように、無線端末装置２０２Ａが、たとえばピコセルＰＣＤ内における地点Ｓにおいて、無線基地局装置１０１Ｄと接続確立状態にある状況を想定する。
【０５３０】
以下、図３４および図３５を適宜参照しながら、無線端末装置２０２Ａ、無線基地局装置１０１Ａ、無線基地局装置１０１Ｄ、無線基地局装置１０１Ｅ、および無線基地局装置１０１Ｂの動作を説明する。
【０５３１】
まず、無線基地局装置１０１Ｅは、たとえば休止状態から活性状態へ遷移し、無線信号の送信を開始する（ステップＳ７５２）。無線基地局装置１０１Ｅは、無線信号を送信することにより、図３４に示すようにピコセルＰＣＥを形成する。
【０５３２】
次に、無線基地局装置１０１Ｅは、たとえば自己が形成するピコセルＰＣＥに隣接するマクロセルＭＣＡを形成する無線基地局装置１０１Ａと、Ｘ２インタフェースを介した通信接続を確立する（ステップＳ７５４）。
【０５３３】
次に、管理基地局である無線基地局装置１０１Ａは、Ｘ２インタフェースを介した無線基地局装置１０１Ｅとの通信接続の確立を検出すると、以下の処理を行う。すなわち、無線基地局装置１０１Ａは、休止状態であった被管理基地局である無線基地局装置１０１Ｅが活性状態へ遷移したことを認識し、たとえば無線基地局装置１０１ＥのＩＤおよび当該ＩＤに対応するカウント基準をカウント方法リストに追加することにより、当該カウント方法リストを更新する（ステップＳ７５６）。管理基地局によるカウント方法リストの更新処理の詳細については後述する。
【０５３４】
次に、無線基地局装置１０１Ａは、更新したカウント方法リストを被管理基地局である無線基地局装置１０１Ｅへ送信する（ステップＳ７５８）。
【０５３５】
また、無線基地局装置１０１Ａは、更新したカウント方法リストを被管理基地局である無線基地局装置１０１Ｄへ送信する（ステップＳ７６０）。
【０５３６】
また、無線基地局装置１０１Ａは、更新したカウント方法リストを無線基地局装置１０１Ｂへ送信する（ステップＳ７６２）。
【０５３７】
次に、無線基地局装置１０１Ｄは、無線基地局装置１０１Ａから受けたカウント方法リストに基づいて、自己が形成するピコセルＰＣＤ内に在圏する無線端末装置２０２Ａへカウント基準を送信する（ステップＳ７６４）。非管理基地局によるカウント基準の送信処理の詳細については後述する。
【０５３８】
次に、無線端末装置２０２Ａは、自己と接続確立状態の無線基地局装置１０１Ｄからカウント基準を受信した後、ピコセルＰＣＤ内に位置する地点ＳからマクロセルＭＣＡ内に位置する地点Ｍへ向けて移動を開始する（ステップＳ７６６）。
【０５３９】
次に、たとえば領域ＡＤ１においてハンドオーバ動作が実行され、無線端末装置２０２Ａの接続先は、無線基地局装置１０１Ｄから無線基地局装置１０１Ａへ変更される（ステップＳ７６８）。
【０５４０】
次に、無線端末装置２０２Ａは、無線基地局装置１０１Ｄから受信したカウント基準に基づいて、移動動作の実行回数をカウントする（ステップＳ７７０）。
【０５４１】
次に、無線端末装置２０２Ａは、マクロセルＭＣＡ内に位置する地点Ｍへ到着すると、ピコセルＰＣＥ内に位置する地点Ｅへ向けて移動を開始する（ステップＳ７７２）。また、無線端末装置２０２Ａは、マクロセルＭＣＡ内において、カウント基準を無線基地局装置１０１Ａから受信してもよい。
【０５４２】
次に、たとえば領域ＡＥ１においてハンドオーバ動作が実行され、無線端末装置２０２Ａの接続先は、無線基地局装置１０１Ａから無線基地局装置１０１Ｅへ変更される（ステップＳ７７４）。
【０５４３】
次に、無線端末装置２０２Ａは、無線基地局装置１０１Ｄまたは無線基地局装置１０１Ａから受信したカウント基準に基づいて、移動動作の実行回数をカウントする（ステップＳ７７６）。
【０５４４】
次に、無線端末装置２０２Ａは、ピコセルＰＣＥ内に位置する地点Ｅへ到着する。以上の動作により、カウント方法リストの更新処理および無線端末装置へのカウント基準の通知処理が完了する。
【０５４５】
図３６は、本発明の実施の形態に係る無線通信システムにおいて、無線基地局装置がカウント方法リストの更新処理を行う際の動作手順を定めたフローチャートである。
【０５４６】
以下は、図３５に示す、カウント方法リストの更新処理を行う管理基地局である無線基地局装置１０１Ａの詳細な動作であり、図３５におけるステップＳ７５４からＳ７６２までの動作に対応する。
【０５４７】
図３６を参照して、まず、無線基地局装置１０１Ａは、たとえば無線基地局装置１０１が休止状態から活性状態へ遷移することにより発生する、当該無線基地局装置１０１とのＸ２インタフェースを介した通信接続の確立を監視する（ステップＳ８０２）。
【０５４８】
次に、無線基地局装置１０１Ａは、当該無線基地局装置１０１とのＸ２インタフェースを介した通信接続の確立を検出すると（ステップＳ８０２でＹＥＳ）、当該無線基地局装置１０１が小型基地局であるか否かを判断する（ステップＳ８０４）。
【０５４９】
次に、無線基地局装置１０１Ａは、当該無線基地局装置１０１が小型基地局でないと判断すると（ステップＳ８０４でＮＯ）、たとえば図３３の（Ａ）に示すように、当該無線基地局装置１０１のＩＤおよび当該ＩＤに対応するカウント基準を示す重み付け係数である１．０を、カウント方法リスト４２に追加する（ステップＳ８０６）。
【０５５０】
一方、無線基地局装置１０１Ａは、当該無線基地局装置１０１が小型基地局であると判断すると（ステップＳ８０４でＹＥＳ）、たとえば図３３の（Ａ）に示すように、当該無線基地局装置１０１のＩＤおよび当該ＩＤに対応するカウント基準を示す重み付け係数である０．５を、カウント方法リスト４２に追加する（ステップＳ８０８）。
【０５５１】
次に、無線基地局装置１０１Ａは、たとえば周辺セル情報を参照することにより、被管理基地局を含む自己の周辺に位置する周辺基地局へ、当該カウント方法リストを送信する（ステップＳ８１０）。
【０５５２】
なお、無線基地局装置１０１Ａは、上記ステップＳ８０６において、当該無線基地局装置１０１のＩＤに対応する重み付け係数でなく、たとえば図３２の（Ａ）に示すように、当該ＩＤに対応するカウント対象を示す「真」を、カウント方法リスト４１に追加してもよい。
【０５５３】
また、無線基地局装置１０１Ａは、上記ステップＳ８０８において、当該無線基地局装置１０１のＩＤに対応する重み付け係数でなく、たとえば図３２の（Ａ）に示すように、当該ＩＤに対応するカウント対象を示す「偽」を、カウント方法リスト４１に追加してもよい。
【０５５４】
また、管理基地局である無線基地局装置１０１Ａは、たとえば他の無線基地局装置１０１が活性状態から休止状態へ遷移する際に、当該他の無線基地局装置１０１に関する情報をカウント方法リストから削除することにより、カウント方法リストの更新処理を行ってもよい。以下に、当該処理の詳細を示す。
【０５５５】
図３７は、本発明の実施の形態に係る無線通信システムにおいて、無線基地局装置がカウント方法リストの更新処理を行う際の動作手順の他の例を定めたフローチャートである。
【０５５６】
図３７を参照して、まず、無線基地局装置１０１Ａは、たとえば無線基地局装置１０１が活性状態から休止状態へ遷移することによる、当該無線基地局装置１０１とのＸ２インタフェースを介した通信接続の切断を監視する（ステップＳ８３２）。
【０５５７】
次に、無線基地局装置１０１Ａは、当該無線基地局装置１０１とのＸ２インタフェースを介した通信接続の切断を検出すると（ステップＳ８３２でＹＥＳ）、当該無線基地局装置１０１のＩＤを特定する（ステップＳ８３４）。
【０５５８】
次に、無線基地局装置１０１Ａは、たとえば図３３の（Ａ）に示すカウント方法リスト４２を参照し、たとえば当該ＩＤに対応する項目を特定し、特定した項目をカウント方法リスト４２から削除する（ステップＳ８３６）。
【０５５９】
次に、無線基地局装置１０１Ａは、たとえば周辺セル情報を参照することにより、被管理基地局を含む自己の周辺に位置する周辺基地局へ、当該カウント方法リストを送信する（ステップＳ８３８）。
【０５６０】
なお、無線基地局装置１０１Ａは、上記ステップＳ８３６において、カウント方法リスト４２における当該無線基地局装置１０１のＩＤに対応する項目でなく、たとえば図３２の（Ａ）に示すカウント方法リスト４１における当該ＩＤに対応する項目を、カウント方法リスト４１から削除してもよい。
【０５６１】
図３８は、本発明の実施の形態に係る無線通信システムにおいて、無線基地局装置が無線端末装置へカウント基準を通知する際の動作手順を定めたフローチャートである。
【０５６２】
以下は、図３５に示す被管理基地局である無線基地局装置１０１Ｄが、無線端末装置２０２Ａへカウント基準を通知する際の詳細な動作であり、図３５におけるステップＳ７６０およびＳ７６４の動作に対応する。
【０５６３】
図３８を参照して、まず、無線基地局装置１０１Ｄは、たとえば管理基地局である無線基地局装置１０１Ａからカウント方法リスト４１、４２、４３または４４を受信し、受信したカウント方法リスト４１、４２、４３または４４を保持する（ステップＳ８５２）。
【０５６４】
次に、無線基地局装置１０１Ｄは、たとえば保持しているカウント方法リスト４１、４２、４３または４４を含めた報知情報を送信することにより、自己が形成するセルに在圏する無線端末装置２０２へ当該カウント方法リスト４１、４２、４３または４４を送信する（ステップＳ８５４）。
【０５６５】
以上の動作により、無線端末装置２０２は、無線基地局装置１０１からカウント基準を取得することができる。
【０５６６】
無線基地局装置１０１Ｄは、上記ステップＳ８５４において、カウント方法リスト４１、４２、４３または４４を含めた報知情報を送信する。報知情報は、ブロードキャストで送信されるので、無線基地局装置１０１Ｄが形成するセルに在圏する全ての無線端末装置２０２は、当該カウント方法リストを受信することができる。
【０５６７】
これにより、無線基地局装置１０１Ｄは、自己が形成するセルに在圏する無線端末装置２０２の台数が多い場合、カウント方法リスト４１、４２、４３または４４に含まれるカウント基準を、当該無線端末装置２０２に対して効率よく通知することができる。
【０５６８】
なお、被管理基地局である無線基地局装置１０１Ｄでなく、たとえば管理基地局である無線基地局装置１０１Ａが、カウント方法リスト４１、４２、４３または４４を含む報知情報を無線端末装置２０２へ送信してもよい。
【０５６９】
図３９は、本発明の実施の形態に係る無線通信システムにおいて、無線基地局装置が無線端末装置へカウント基準を通知する際の動作手順の他の例を定めたフローチャートである。
【０５７０】
以下は、図３５に示す被管理基地局である無線基地局装置１０１Ｄが、無線端末装置２０２Ａへカウント基準を通知する際の詳細な動作であり、図３５におけるステップＳ７６０およびＳ７６４の動作に対応する。
【０５７１】
図３９を参照して、まず、無線基地局装置１０１Ｄは、たとえば管理基地局である無線基地局装置１０１Ａからカウント方法リスト４１、４２、４３または４４を受信し、受信したカウント方法リスト４１、４２、４３または４４を保持する（ステップＳ８７２）。
【０５７２】
次に、無線基地局装置１０１Ｄは、周辺セル情報を参照し、当該周辺セル情報に含まれるセルＩＤを取得する（ステップＳ８７４）。
【０５７３】
次に、無線基地局装置１０１Ｄは、保持しているカウント方法リスト４１、４２、４３または４４を参照し、取得したセルＩＤに対応するカウント基準を特定する（ステップＳ８７６）。
【０５７４】
次に、無線基地局装置１０１Ｄは、特定したカウント基準を、当該セルＩＤに対応付けて当該周辺セル情報に含める（ステップＳ８７８）。
【０５７５】
次に、無線基地局装置１０１Ｄは、たとえば当該周辺セル情報を含めた報知情報を送信することにより、自己が形成するセルに在圏する無線端末装置２０２へ当該周辺セル情報を送信する（ステップＳ８８０）。
【０５７６】
以上の動作により、無線端末装置２０２は、無線基地局装置１０１からカウント基準を取得することができる。
【０５７７】
無線基地局装置１０１Ｄは、上記ステップＳ８８０において、カウント基準を含む周辺セル情報を含めた報知情報を送信する。報知情報は、ブロードキャストで送信されるので、無線基地局装置１０１Ｄが形成するセルに在圏する全ての無線端末装置２０２は、当該周辺セル情報を受信することができる。
【０５７８】
これにより、無線基地局装置１０１Ｄは、自己が形成するセルに在圏する無線端末装置２０２の台数が多い場合、周辺セル情報に含まれるカウント基準を、当該無線端末装置２０２に対して効率よく通知することができる。
【０５７９】
なお、被管理基地局である無線基地局装置１０１Ｄでなく、たとえば管理基地局である無線基地局装置１０１Ａが、カウント基準を含む周辺セル情報を報知情報に含めることにより、無線端末装置２０２へカウント基準を送信してもよい。
【０５８０】
図４０は、本発明の実施の形態に係る無線通信システムにおいて、無線基地局装置が無線端末装置へカウント基準を通知する際の動作手順の他の例を定めたフローチャートである。
【０５８１】
以下は、図３５に示す無線基地局装置１０１Ｄが、無線端末装置２０２Ａへカウント基準を通知する際の詳細な動作であり、図３５におけるステップＳ７６０およびＳ７６８の動作に対応する。
【０５８２】
図４０を参照して、まず、無線基地局装置１０１Ｄは、たとえば管理基地局である無線基地局装置１０１Ａからカウント方法リスト４１、４２、４３または４４を受信し、受信したカウント方法リスト４１、４２、４３または４４を保持する（ステップＳ９０２）。
【０５８３】
次に、無線基地局装置１０１Ｄは、自己と接続確立状態にある無線端末装置２０２が測定した受信電力の測定結果を示す測定結果通知を、当該無線端末装置２０２から受信する（ステップＳ９０４）。
【０５８４】
次に、無線基地局装置１０１Ｄは、無線端末装置２０２Ａから受信した測定結果通知に基づいて、当該無線端末装置２０２Ａのハンドオーバを行なうべきか否かを判断する（ステップＳ９０６）。
【０５８５】
次に、無線基地局装置１０１Ｄは、無線端末装置２０２Ａのハンドオーバを行なうべきでないと判断すると（ステップＳ９０６でＮＯ）、無線端末装置２０２から引き続き測定結果通知を受信する（ステップＳ９０４）。
【０５８６】
一方、無線基地局装置１０１Ｄは、無線端末装置２０２Ａのハンドオーバを行なうべきであると判断すると（ステップＳ９０６でＹＥＳ）、周辺セル情報を参照してたとえば無線基地局装置１０１Ａをハンドオーバ先として決定し、以下の処理を行う。
【０５８７】
すなわち、無線基地局装置１０１Ｄは、保持しているカウント方法リスト４１、４２、４３または４４を参照し、ハンドオーバ先の無線基地局装置１０１ＡのＩＤに対応するカウント基準を特定する（ステップＳ９０８）。
【０５８８】
次に、無線基地局装置１０１Ｄは、無線基地局装置１０１Ａを示すハンドオーバ要求を、基地局間インタフェースであるＸ２インタフェース経由で無線基地局装置１０１Ａへ送信する（ステップＳ９１０）。
【０５８９】
次に、無線基地局装置１０１Ｄは、当該ハンドオーバ要求の応答であるハンドオーバ応答を、無線基地局装置１０１Ａから受信するまで待機する（ステップＳ９１２でＮＯ）。
【０５９０】
次に、無線基地局装置１０１Ｄは、無線基地局装置１０１Ａからハンドオーバ応答を受信すると（ステップＳ９１２でＹＥＳ）、特定したカウント基準を含めたハンドオーバコマンドであるＲＲＣコネクション再構成指示を、無線端末装置２０２Ａへ送信する（ステップＳ９１４）。
【０５９１】
以上の動作により、無線端末装置２０２は、無線基地局装置１０１からカウント基準を取得することができる。
【０５９２】
無線基地局装置１０１Ｄがカウント方法リスト４１、４２、４３または４４、または周辺セル情報等を含む報知情報を送信する場合、送信する報知情報の情報量が大きくなってしまう。このため、無線基地局装置１０１Ｄにおける報知情報の送信処理、および無線基地局装置１０１Ｄが形成するセルに在圏する無線端末装置２０２における報知情報の受信処理の負担が重くなってしまうので、当該セルに在圏する無線端末装置２０２の台数が少ない場合において好ましくない。
【０５９３】
一方、無線基地局装置１０１Ｄは、上記ステップＳ９１４において、カウント基準を含むハンドオーバコマンドを、ハンドオーバの対象となる無線端末装置２０２へ送信する。
【０５９４】
これにより、無線基地局装置１０１Ｄは、自己が形成するセルに在圏する無線端末装置２０２の台数が少ない場合、すなわちハンドオーバ動作の発生回数が少ない場合に、無線端末装置２０２に対してカウント基準を効率よく通知することができる。
【０５９５】
［移動動作の完了後に行う移動状態の更新動作］
図４１は、本発明の実施の形態に係る無線通信システムにおいて、無線端末装置がセル再選択動作の完了後に行う移動状態の更新動作の一例を示すシーケンス図である。
【０５９６】
図２に示すように、無線端末装置２０２が、セルＣＡ内に位置し、無線基地局装置１０１Ａを通信相手として選択してから、セルＣＡおよびセルＣＢの重複領域へ移動した場合を想定する。
【０５９７】
図４１に示すように、まず、無線端末装置２０２は、無線基地局装置１０１Ａを新たに通信相手として選択することを決定すると、無線基地局装置１０１Ａから送信される報知情報を受信し（ステップＳ４０１）、受信した報知情報の内容を保存する（ステップＳ４０２）。この報知情報に、周辺セル情報、およびセル再選択を行なうための情報が含まれる。
【０５９８】
以降の動作（ステップＳ４０３〜Ｓ４１２）は、図３に示すシーケンス図における動作（ステップＳ３〜Ｓ１２）と同様であるため、ここでは詳細な説明は繰り返さない。
【０５９９】
次に、無線端末装置２０２は、無線基地局装置１０１Ａまたは無線基地局装置１０１Ｂから受信した報知情報に含まれるＳＩＢ（System Information Block）に基づいて、以下に示す動作手順に従って自己の移動状態を更新する（ステップＳ４１３）。
【０６００】
以上の動作により、無線端末装置２０２は、セル再選択動作の完了後に移動状態を更新する。
【０６０１】
また、無線端末装置２０２は、ハンドオーバ動作の完了後においても、同様に移動状態の更新動作を行う。
図４２は、本発明の実施の形態に係る無線通信システムにおいて、無線端末装置がハンドオーバ動作の完了後に行う移動状態の更新動作の一例を示すシーケンス図である。
【０６０２】
図２を参照して、無線端末装置２０２が、セルＣＡ内に位置し、無線基地局装置１０１Ａと通信中である状態から、セルＣＡおよびセルＣＢの重複領域へ移動した場合を想定する。また、無線端末装置２０２は、無線基地局装置１０１Ａから報知情報を取得している。
【０６０３】
再び図４２を参照して、まず、無線基地局装置１０１Ａは、自己と通信中の無線端末装置２０２の測定対象となる周波数と、当該周波数の無線信号を送信する他の無線基地局装置とを設定する（ステップＳ４３１）。
【０６０４】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ４３２）。
【０６０５】
以降の動作（ステップＳ４３３〜Ｓ４４７）は、図４に示すシーケンス図における動作（ステップＳ３３〜Ｓ４７）と同様であるため、ここでは詳細な説明は繰り返さない。
【０６０６】
次に、無線端末装置２０２は、無線基地局装置１０１Ｂから報知情報を取得する（ステップＳ４４８）。
【０６０７】
次に、無線端末装置２０２は、無線基地局装置１０１Ａまたは無線基地局装置１０１Ｂから受信した報知情報に含まれるＳＩＢに基づいて、以下に示す動作手順に従って自己の移動状態を更新する（ステップＳ４４９）。
【０６０８】
以上の動作により、無線端末装置２０２は、ハンドオーバ動作の完了後に移動状態を更新する。
【０６０９】
無線端末装置２０２は、図４１に示すステップＳ４１３および図４２に示すステップＳ４４９において移動状態の更新動作を行う。すなわち、無線端末装置２０２は、移動動作の完了後において、移動状態の更新動作を行う。
【０６１０】
［推定した移動状態に基づく無線端末装置の設定動作］
図４３は、本発明の実施の形態に係る無線通信システムにおいて、無線端末装置が移動状態の検出処理および当該移動状態に応じた設定処理を行う際の動作手順を定めたフローチャートである。
【０６１１】
図４３を参照して、無線端末装置２０２は、たとえばハンドオーバ動作またはセル再選択動作等の移動動作が完了した状態にあり、当該移動動作後の通信接続先の無線基地局装置１０１であるサービング基地局により、イベントＡ３が設定されている場合を想定する（ステップＳ４７２）。
【０６１２】
次に、無線端末装置２０２は、カウント基準に従って、当該移動動作の実行回数を示すカウント値ＣＮＴをカウントする（ステップＳ４７４）。
【０６１３】
次に、無線端末装置２０２は、カウント値ＣＮＴに基づいて、自己の移動状態を推定する（ステップＳ４７６）。
【０６１４】
次に、無線端末装置２０２は、たとえば自己が保持するＴＴＴに対して、推定した自己の移動状態に応じたスケール因子を乗ずることにより、ＴＴＴの値を調整する（ステップＳ４７８）。
【０６１５】
次に、無線端末装置２０２は、周辺セル情報に基づいて、サービング基地局を含む無線基地局装置１０１から送信される無線信号の受信電力を測定する（ステップＳ４８０）。
【０６１６】
次に、無線端末装置２０２は、サービング基地局以外の他の無線基地局装置１０１により送信される無線信号の受信電力Ｔ１がサービング基地局により送信される無線信号の受信電力Ｓ１より大きくなると（ステップＳ４８２でＹＥＳ）、以下の処理を行う。
【０６１７】
すなわち、無線端末装置２０２は、レポートオン状態へ遷移し、計測時間をＴＴＴに設定したタイマを始動させる（ステップＳ４８４）。
【０６１８】
一方、無線端末装置２０２は、受信電力Ｔ１が受信電力Ｓ１より小さい場合（ステップＳ４８２でＮＯ）、無線基地局装置１０１から送信される無線信号の受信電力を継続して測定する（ステップＳ４８０）。
【０６１９】
次に、無線端末装置２０２は、受信電力Ｔ１が受信電力Ｓ１より大きい状態（ステップＳ４８６でＹＥＳ）が、ＴＴＴに相当する時間経過するまで（ステップＳ４８８でＮＯ）受信電力を監視し、ＴＴＴに相当する時間経過すると（ステップＳ４８８でＹＥＳ）、以下の処理を行う。
【０６２０】
すなわち、無線端末装置２０２は、無線基地局装置１０１から送信される無線信号の受信電力を示す測定結果通知であるメジャメントレポートをサービング基地局へ送信する（ステップＳ４９０）。
【０６２１】
一方、無線端末装置２０２は、受信電力Ｔ１が受信電力Ｓ１より大きい状態がＴＴＴに相当する時間継続しない場合（ステップＳ４８６でＮＯ）、レポートオフ状態へ遷移し、無線基地局装置１０１から送信される無線信号の受信電力を継続して測定する（ステップＳ４８０）。
【０６２２】
以上の動作により、無線端末装置２０２は、移動動作の完了後に推定した自己の移動状態に基づいて、ＴＴＴの設定を行う。
【０６２３】
無線端末装置２０２は、上記ステップＳ４７４において、無線基地局装置１０１から取得したカウント基準を用いてもよいし、自己が保持する所定のカウント基準を用いてもよい。また、上記ステップＳ４７４における、移動動作の実行回数のカウント処理の詳細については後述する。
【０６２４】
また、無線端末装置２０２は、上記ステップＳ４７６において、たとえばt-Evaluationに相当する時間における移動動作の実行回数を評価し、評価した結果に応じて自己の移動状態を通常移動状態、中速移動状態または高速移動状態に設定する。
【０６２５】
また、無線端末装置２０２は、上記ステップＳ４７８において、ＴＴＴの値の設定を行ったが、設定した自己の移動状態に応じて、たとえばアイドル状態におけるセル再選択動作を行う際において、判断基準となる受信電力に影響を与えるＱｈｙｓｔに加算する定数の変更処理を行ってもよい。
【０６２６】
これにより、無線端末装置２０２は、自己の移動状態に応じて、セル再選択動作の起こりやすさの調整を行うことができる。
【０６２７】
なお、無線端末装置２０２は、上記ステップＳ４７８において、自己の移動状態に応じて以下のような設定の変更を行うことにより、接続確立状態におけるハンドオーバ動作のタイミング、またはアイドル状態におけるセル再選択の起こりやすさの調整を行ってもよい。
【０６２８】
すなわち、無線端末装置２０２に設定される、たとえばＴＴＴ、ヒステリシスＨＳ、オフセットＯＳＴ、ギャップＭＧおよびフィルタリング係数αといったパラメータについて、各設定値の変更、各パラメータに乗ずる係数の変更、または各パラメータの組み合わせの変更等が行われてもよい。また、無線端末装置２０２に設定されるイベントの変更が行われてもよい。上記変更は、無線基地局装置１０１により行われてもよいし、当該無線端末装置２０２により行われてもよい。
【０６２９】
また、無線端末装置２０２は、上記ステップＳ４７６において、自己の移動状態を段階的に示す値により推定したが、自己の移動速度自体を推定してもよい。たとえば、移動している無線端末装置２０２が無線基地局装置１０１により送信される無線信号を受信する際に発生するドップラー効果による周波数のシフト、またはＧＰＳ（Global Positioning System）と地図情報との組み合わせ等を用いることにより、無線端末装置２０２の移動速度を推定することができる。
【０６３０】
また、無線端末装置２０２は、上記ステップＳ４９０において、サービング基地局へ送信する測定結果通知であるメジャメントレポートに、自己が推定した移動状態を含めてもよい。
【０６３１】
これにより、サービング基地局は、当該無線端末装置２０２から受信した移動状態に基づいて、後述する電力変化量を取得することができる。
【０６３２】
［推定した移動状態の無線基地局装置への通知動作］
図４４は、本発明の実施の形態に係る無線通信システムにおいて、無線端末装置が移動状態の検出処理および当該移動状態の無線基地局装置への通知処理を行う際の動作手順を定めたフローチャートである。
【０６３３】
図４４を参照して、無線端末装置２０２が、たとえばハンドオーバ動作またはセル再選択動作等の移動動作が完了した状態にある場合を想定する（ステップＳ４９２）。
【０６３４】
ステップＳ４９４〜Ｓ４９６の動作は、図４３に示すフローチャートにおける動作（ステップＳ４７４〜Ｓ４７６）と同様であるため、ここでは詳細な説明は繰り返さない。
【０６３５】
次に、無線端末装置２０２は、推定した自己の移動状態を、無線基地局装置１０１へ通知する（ステップＳ４９８）。
【０６３６】
以上の動作により、無線端末装置２０２は、移動動作の完了後に推定した自己の移動状態を、無線基地局装置１０１へ通知する。
【０６３７】
無線端末装置２０２は、上記ステップＳ４９４において、無線基地局装置１０１から取得したカウント基準を用いてもよいし、自己が保持する所定のカウント基準を用いてもよい。また、上記ステップＳ４９４における、移動動作の実行回数のカウント処理の詳細については後述する。
【０６３８】
無線端末装置２０２は、上記ステップＳ４９８において、たとえば自己と接続確立状態のサービング基地局へ送信する測定結果通知に、推定した自己の移動状態を含めることにより、当該移動状態をサービング基地局へ通知する。
【０６３９】
サービング基地局は、当該無線端末装置２０２から移動状態を受信することにより、当該無線端末装置２０２の移動速度を推定する。これにより、サービング基地局は、当該移動速度に基づいて、自己の無線基地局装置の形成するセルに在圏する無線端末装置２０２における無線信号の受信電力の、無線端末装置２０２の位置変化に対する変化度合い（以下、電力変化量とも称する。）を取得することができる。
【０６４０】
サービング基地局は、無線端末装置２０２の電力変化量が大きい場合には、ハンドオーバ動作のタイミングが早まるように制御し、無線端末装置２０２の電力変化量が小さい場合には、ハンドオーバ動作のタイミングが遅くなるように制御する。
【０６４１】
これにより、サービング基地局は、ハンドオーバ動作のタイミングを適正化することができるので、不適切なハンドオーバ動作の発生を抑制することができる。
【０６４２】
［移動動作の実行回数のカウント処理］
無線端末装置２０２が、ヘテロジーニアスネットワークにおける自己の移動状態を適切に判断するためには、セルの形態およびセルのサイズを考慮した上で、所定時間当たりの移動動作の実行回数をカウントする必要がある。
【０６４３】
このため、無線端末装置２０２は、カウント基準に従って、移動動作の実行回数をカウントする。無線端末装置２０２が行う上記カウント処理について、以下に説明する。
【０６４４】
［無線基地局装置から取得する情報に基づく場合］
図４５は、本発明の実施の形態に係る無線通信システムにおいて、無線端末装置が移動動作の実行回数をカウントする際の動作手順を定めたフローチャートである。
【０６４５】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ｂ）に示すカウント方法リスト４３に基づいて、移動動作の実行回数をカウントする状況を想定する。
【０６４６】
図４５を参照して、無線端末装置２０２は、ハンドオーバ動作またはセル再選択動作等の移動動作が完了した後において、移動元の無線基地局装置１０１、または移動先の無線基地局装置１０１から報知情報を取得する（ステップＳ５１４）。
【０６４７】
次に、無線端末装置２０２は、たとえば当該報知情報に基づいて、移動元の無線基地局装置１０１が小型基地局であると判断する場合（ステップＳ５１６でＹＥＳ）、カウント基準に従って当該移動動作をカウントの対象とせず、移動動作の実行回数を示すカウント値ＣＮＴをインクリメントしない（ステップＳ５１８）。
【０６４８】
一方、無線端末装置２０２は、当該報知情報に基づいて、移動元の無線基地局装置１０１が小型基地局でないと判断した場合（ステップＳ５１６でＮＯ）、以下の処理を行う。
【０６４９】
すなわち、無線端末装置２０２は、当該報知情報に基づいて、移動先の無線基地局装置１０１が小型基地局であると判断する場合（ステップＳ５２０でＹＥＳ）、カウント基準に従って当該移動動作をカウントの対象とせず、カウント値ＣＮＴをインクリメントしない（ステップＳ５１８）。
【０６５０】
一方、無線端末装置２０２は、当該報知情報に基づいて、移動先の無線基地局装置１０１が小型基地局でないと判断した場合（ステップＳ５２０でＮＯ）、カウント基準に従って当該移動動作をカウントの対象とし、カウント値ＣＮＴをインクリメントする（ステップＳ５２２）。
【０６５１】
以上の動作により、無線端末装置２０２は、報知情報およびカウント基準に基づいて、当該移動動作を移動動作の実行回数のカウント対象とするかどうかを判断する。
【０６５２】
なお、無線端末装置２０２は、上記ステップＳ５１４において、移動動作の完了後に取得した報知情報に基づいて、移動元または移動先の無線基地局装置が小型基地局であるかどうかの判断を行ったが、上記移動動作前に既に取得していた情報を用いて上記判断を行ってもよい。
【０６５３】
また、無線端末装置２０２は、たとえば図３３の（Ｂ）に示すカウント方法リスト４４におけるカウント基準である重み付け係数に基づいて、実行回数をカウントしてもよい。この場合、当該無線端末装置２０２は、上記ステップＳ５２２において、カウント値ＣＮＴに１．０を加算し、また、上記ステップＳ５１８において、カウント値ＣＮＴに０．５を加算する。
【０６５４】
これにより、当該無線端末装置２０２は、基地局の種別に応じて重み付けされた値をカウントすることができるので、自己の移動動作の実行回数を適切にカウントすることができる。
【０６５５】
また、無線端末装置２０２は、上記ステップＳ５１６およびＳ５２０において、以下の情報により、移動元または移動先の無線基地局装置が小型基地局であるかどうかを判断してもよい。
【０６５６】
すなわち、無線端末装置２０２は、たとえば小型基地局のセルＩＤが記載されているスモールセルリストを報知情報から取得する。
【０６５７】
これにより、無線端末装置２０２は、取得したスモールセルリストに基づいて、移動元または移動先の無線基地局装置が小型基地局であるかどうかを判断することができる。
【０６５８】
また、無線端末装置２０２は、たとえば小型基地局のセルＩＤが記載されている周辺セル情報を報知情報から取得する。
【０６５９】
これにより、無線端末装置２０２は、取得した周辺セル情報に基づいて、移動元または移動先の無線基地局装置が小型基地局であるかどうかを判断することができる。
【０６６０】
しかしながら、スモールセルリストまたは周辺セル情報に含めるべき小型基地局のセルＩＤは数十個に及ぶので、小型基地局のセルＩＤを含むスモールセルリストまたは周辺セル情報の情報量が大きくなってしまう。
【０６６１】
このため、小型基地局のセルＩＤを含むスモールセルリストまたは周辺セル情報を報知情報に含めると、報知情報の送信処理および受信処理の負担が重くなるので好ましくない。このため、無線基地局装置１０１が送信する報知情報において、たとえば当該無線基地局装置１０１が小型基地局であるかどうかを示す１ビットのフラグを含めてもよい。
【０６６２】
このように、無線端末装置２０２は、サービング基地局から取得した報知情報の上記１ビットのフラグを参照することにより、サービング基地局が小型基地局であるかどうかを判断することができる。
【０６６３】
また、無線端末装置２０２は、ターゲット基地局が小型基地局であるか否かについては、移動動作後のサービング基地局から取得した報知情報の上記１ビットのフラグを参照することにより、上記ターゲット基地局が小型基地局であるかどうかを判断することができる。
【０６６４】
これにより、無線通信システムにおいて、報知情報を送受信する際の処理負担の増加を抑えることができる。
【０６６５】
また、無線端末装置２０２は、ＳＩＢ１（SystemInformationBlockType1）における、スケジューリング情報を参照し、小型基地局名であるhnb-Name（home eNB Name）を含むＳＩＢ９（SystemInformationBlockType9）を報知情報から取得できる場合、以下の処理を行ってもよい。
【０６６６】
すなわち、無線端末装置２０２は、ＳＩＢ９から取得したhnb-Nameと、移動元または移動先の無線基地局装置１０１の名前とを照合することにより、移動元または移動先の無線基地局装置１０１が小型基地局であるかどうかを判断することができる。
【０６６７】
また、上記ステップＳ５１６またはＳ５２０において、無線端末装置２０２は、移動動作の完了後において、移動元または移動先の無線基地局装置１０１が小型基地局であると判断する場合（ステップＳ５１６でＹＥＳまたはステップＳ５２０でＹＥＳ）、カウント基準に従って当該移動動作をカウントの対象から除外する（ステップＳ５１８）。
【０６６８】
これにより、無線端末装置２０２は、自己の移動状態が実際より速い移動状態であると誤って推定してしまうことを防ぐことができる。
【０６６９】
［セルに在圏する滞在時間に基づく場合］
また、無線端末装置２０２は、移動動作の完了後において、移動動作後に在圏するセルにおける滞在時間およびカウント基準に基づいて、当該移動動作を移動動作の実行回数のカウント対象とするかどうかを判断してもよい。
【０６７０】
図４６は、本発明の実施の形態に係る無線通信システムにおいて、無線端末装置が移動動作の実行回数をカウントする際の動作手順の他の例を定めたフローチャートである。
【０６７１】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ｂ）に示すカウント方法リスト４３に基づいて、移動動作の実行回数をカウントする状況を想定する。
【０６７２】
図４６を参照して、まず、無線端末装置２０２は、たとえばハンドオーバ動作またはセル再選択動作等の移動動作が完了した際に、計測時間を所定のしきい値に設定してタイマを始動し、ハンドオーバ動作またはセル再選択動作等の移動動作の発生まで待機する（ステップＳ５５２でＮＯ）。
【０６７３】
次に、無線端末装置２０２は、移動動作が発生した場合（ステップＳ５５２でＹＥＳ）、タイマが満了しているかどうかを確認する（ステップＳ５５４）。
【０６７４】
次に、無線端末装置２０２は、タイマが満了していない場合、すなわちタイマを始動してから所定のしきい値に相当する時間が経過していない場合（ステップＳ５５４でＮＯ）、カウント基準に従って当該移動動作をカウントの対象とせず、カウント値ＣＮＴをインクリメントしない（ステップＳ５５６）。
【０６７５】
一方、無線端末装置２０２は、タイマが満了している場合、すなわちタイマを始動してから所定のしきい値に相当する時間が経過した場合（ステップＳ５５４でＹＥＳ）、カウント基準に従って当該移動動作をカウントの対象とし、カウント値ＣＮＴをインクリメントする（ステップＳ５５８）。
【０６７６】
次に、無線端末装置２０２は、計測時間を所定のしきい値に設定してタイマをリセットする（ステップＳ５６０）。
【０６７７】
以上の動作により、無線端末装置２０２は、移動動作の完了後に在圏するセルにおける滞在時間およびカウント基準に基づいて、当該移動動作をカウントの対象とするか否かについて判断する。
【０６７８】
なお、無線端末装置２０２は、たとえば図３３の（Ｂ）に示すカウント方法リスト４４におけるカウント基準である重み付け係数に基づいて、実行回数をカウントしてもよい。この際、当該無線端末装置２０２は、上記ステップＳ５５８において、カウント値ＣＮＴに１．０を加算し、また、上記ステップＳ５５６において、カウント値ＣＮＴに０．５を加算する。
【０６７９】
これにより、当該無線端末装置２０２は、基地局の種別に応じて重み付けされた値をカウントすることができるので、自己の移動動作の実行回数を適切にカウントすることができる。
【０６８０】
また、無線端末装置２０２は、移動動作が発生した際に（ステップＳ５５２でＹＥＳ）、上記ステップＳ５５４においてタイマが満了しているか否かに基づいて、当該移動動作より前に在圏したセルの滞在時間が、所定のしきい値に相当する時間より長いか短いかについて判断する。
【０６８１】
また、小型基地局が形成するセルの大きさは、マクロ基地局が形成するセルの大きさより小さいので、たとえば無線端末装置２０２が当該セルを横断するために必要な時間は、マクロ基地局が形成する大きなセルを横断するために必要な時間と比べて短くなる。
【０６８２】
これにより、無線端末装置２０２は、上記ステップＳ５５２において移動動作が発生した際にタイマが満了していない場合（ステップＳ５５４でＮＯ）、当該移動動作より前に在圏したセルが小型基地局により形成されたセルである可能性が高いと判断する。
【０６８３】
また、無線端末装置２０２は、移動元の無線基地局装置１０１が小型基地局である可能性が高いと判断した場合、上記ステップＳ５５６において当該移動動作をカウントの対象としないので、自己の移動状態が実際より速い移動状態であると誤って推定してしまうことを防ぐことができる。
【０６８４】
［移動先の無線基地局装置の種別に基づく場合］
また、無線端末装置２０２は、移動動作の完了後において、移動動作後に在圏するセルを形成する無線基地局装置１０１の種別およびカウント基準に基づいて、当該移動動作を移動動作の実行回数のカウント対象とするかどうかを判断してもよい。
【０６８５】
図４７は、本発明の実施の形態に係る無線通信システムにおいて、無線端末装置が移動動作の実行回数をカウントする際の動作手順の他の例を定めたフローチャートである。
【０６８６】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ｂ）に示すカウント方法リスト４３に基づいて、移動動作の実行回数をカウントする状況を想定する。
【０６８７】
図４７を参照して、無線端末装置２０２は、ハンドオーバ動作またはセル再選択動作等の移動動作が完了した後において、移動動作後に在圏するセルを形成する無線基地局装置１０１が小型基地局である場合（ステップＳ５９４でＹＥＳ）、以下の処理を行う。すなわち、無線端末装置２０２は、カウント基準に従って当該移動動作をカウントの対象とせず、移動動作の実行回数を示すカウント値ＣＮＴをインクリメントしない（ステップＳ５９６）。
【０６８８】
一方、無線端末装置２０２は、移動動作後に在圏するセルを形成する無線基地局装置１０１が小型基地局でない場合（ステップＳ５９４でＮＯ）、カウント基準に従って当該移動動作をカウントの対象とし、カウント値ＣＮＴをインクリメントする（ステップＳ５９８）。
【０６８９】
以上の動作により、無線端末装置２０２は、移動動作の完了後に在圏するセルを形成する無線基地局装置１０１の種別およびカウント基準に基づいて、上記移動動作を移動動作の実行回数のカウント対象とするかどうかを判断する。
【０６９０】
上記ステップＳ５９４において、無線端末装置２０２は、移動動作の完了後に在圏するセルを形成する無線基地局装置１０１が小型基地局であると判断する場合（ステップＳ５９４でＹＥＳ）、カウント基準に従って上記移動動作をカウントの対象から除外する（ステップＳ５９６）。
【０６９１】
これにより、無線端末装置２０２は、小型基地局が形成するセルへの移動動作をカウントの対象としないことにより、自己の移動状態が実際より速い移動状態であると誤って推定してしまうことを防ぐことができる。
【０６９２】
なお、移動先の無線基地局装置１０１の種別は、移動元または移動先の無線基地局装置１０１から取得してもよいし、上記無線基地局装置１０１以外の他の無線基地局装置から取得してもよい。また、無線端末装置２０２が、予め移動先の無線基地局装置１０１の種別を保持しておいてもよい。
【０６９３】
また、無線端末装置２０２は、たとえば図３３の（Ｂ）に示すカウント方法リスト４４におけるカウント基準である重み付け係数に基づいて、実行回数をカウントしてもよい。この際、当該無線端末装置２０２は、上記ステップＳ５９８において、カウント値ＣＮＴに１．０を加算し、また、上記ステップＳ５９６において、カウント値ＣＮＴに０．５を加算する。
【０６９４】
これにより、当該無線端末装置２０２は、基地局の種別に応じて重み付けされた値をカウントすることができるので、自己の移動動作の実行回数を適切にカウントすることができる。
【０６９５】
［移動元の無線基地局装置の種別に基づく場合］
また、無線端末装置２０２は、移動動作の完了後において、移動動作前に在圏したセルを形成する無線基地局装置１０１の種別およびカウント基準に基づいて、当該移動動作を移動動作の実行回数のカウント対象とするかどうかを判断してもよい。
【０６９６】
図４８は、本発明の実施の形態に係る無線通信システムにおいて、無線端末装置が移動動作の実行回数をカウントする際の動作手順の他の例を定めたフローチャートである。
【０６９７】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ｂ）に示すカウント方法リスト４３に基づいて、移動動作の実行回数をカウントする状況を想定する。
【０６９８】
図４８を参照して、無線端末装置２０２は、ハンドオーバ動作またはセル再選択動作等の移動動作が完了した後において、移動動作前に在圏したセルを形成する無線基地局装置１０１が小型基地局である場合（ステップＳ６３４でＹＥＳ）、以下の処理を行う。すなわち、無線端末装置２０２は、カウント基準に従って当該移動動作をカウントの対象とせず、移動動作の実行回数を示すカウント値ＣＮＴをインクリメントしない（ステップＳ６３６）。
【０６９９】
一方、無線端末装置２０２は、移動動作前に在圏したセルを形成する無線基地局装置１０１が小型基地局でない場合（ステップＳ６３４でＮＯ）、カウント基準に従って当該移動動作をカウントの対象とし、カウント値ＣＮＴをインクリメントする（ステップＳ６３８）。
【０７００】
以上の動作により、無線端末装置２０２は、移動元の無線基地局装置１０１の種別およびカウント基準に基づいて、上記移動動作を移動動作の実行回数のカウント対象とするかどうかを判断する。
【０７０１】
上記ステップＳ６３４において、無線端末装置２０２は、移動動作の完了後において、移動元の無線基地局装置１０１が小型基地局である場合（ステップＳ６３４でＹＥＳ）、上記移動動作をカウントの対象としない（ステップＳ６３６）。
【０７０２】
これにより、無線端末装置２０２は、小型基地局が形成するセルからの移動動作をカウントの対象としないことにより、自己の移動状態が実際より速い移動状態であると誤って推定してしまうことを防ぐことができる。
【０７０３】
なお、移動元の無線基地局装置１０１の種別は、移動元または移動先の無線基地局装置１０１から取得してもよいし、上記無線基地局装置１０１以外の他の無線基地局装置から取得してもよい。また、無線端末装置２０２が、予め移動元の無線基地局装置１０１の種別を保持しておいてもよい。
【０７０４】
また、無線端末装置２０２は、たとえば図３３の（Ｂ）に示すカウント方法リスト４４におけるカウント基準である重み付け係数に基づいて、実行回数をカウントしてもよい。この際、当該無線端末装置２０２は、上記ステップＳ６３８において、カウント値ＣＮＴに１．０を加算し、また、上記ステップＳ６３６において、カウント値ＣＮＴに０．５を加算する。
【０７０５】
これにより、当該無線端末装置２０２は、基地局の種別に応じて重み付けされた値をカウントすることができるので、自己の移動動作の実行回数を適切にカウントすることができる。
【０７０６】
［マクロ基地局に関連した移動動作に基づく場合］
また、無線端末装置２０２は、移動動作の完了後において、移動動作前または移動動作後に在圏するセルを形成する無線基地局装置１０１がマクロ基地局であるかどうかと、カウント基準とに基づいて、当該移動動作を移動動作の実行回数のカウント対象とするかどうかを判断してもよい。
【０７０７】
図４９は、本発明の実施の形態に係る無線通信システムにおいて、無線端末装置が移動動作の実行回数をカウントする際の動作手順の他の例を定めたフローチャートである。
【０７０８】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ｂ）に示すカウント方法リスト４３に基づいて、移動動作の実行回数をカウントする状況を想定する。
【０７０９】
図４９を参照して、無線端末装置２０２は、ハンドオーバ動作またはセル再選択動作等の移動動作が完了した後において、移動動作前に在圏したセルを形成する無線基地局装置１０１がマクロ基地局である場合（ステップＳ６７４でＹＥＳ）、以下の処理を行う。すなわち、無線端末装置２０２は、カウント基準に従って当該移動動作をカウントの対象とし、移動動作の実行回数を示すカウント値ＣＮＴをインクリメントする（ステップＳ６７６）。
【０７１０】
一方、無線端末装置２０２は、移動動作前に在圏したセルを形成する無線基地局装置１０１がマクロ基地局でない場合（ステップＳ６７４でＮＯ）、以下の処理を行う。
【０７１１】
すなわち、無線端末装置２０２は、移動動作後に在圏するセルを形成する無線基地局装置１０１がマクロ基地局である場合（ステップＳ６７８でＹＥＳ）、カウント基準に従って当該移動動作をカウントの対象とし、カウント値ＣＮＴをインクリメントする（ステップＳ６７６）。
【０７１２】
一方、無線端末装置２０２は、移動動作後に在圏するセルを形成する無線基地局装置１０１がマクロ基地局でない場合（ステップＳ６７８でＮＯ）、カウント基準に従って当該移動動作をカウントの対象とせず、カウント値ＣＮＴをインクリメントしない（ステップＳ６８０）。
【０７１３】
以上の動作により、無線端末装置２０２は、移動動作前または移動動作後に在圏するセルを形成する無線基地局装置１０１がマクロ基地局であるかどうかと、カウント基準とに基づいて、当該移動動作を移動動作の実行回数のカウント対象とするかどうかを判断する。
【０７１４】
無線端末装置２０２は、上記ステップＳ６８０において、マクロ基地局が形成するセルからの移動動作、またはマクロ基地局が形成するセルへの移動動作以外の移動動作を、カウントの対象としない。
【０７１５】
具体的には、無線端末装置２０２は、たとえば小型基地局が形成するセルから他の小型基地局が形成するセルへの移動動作を、カウントの対象としない。
【０７１６】
これにより、無線端末装置２０２は、自己の移動状態が実際より速い移動状態であると誤って推定してしまうことを防ぐことができる。
【０７１７】
なお、移動元または移動先の無線基地局装置１０１の種別は、移動元または移動先の無線基地局装置１０１から取得してもよいし、上記無線基地局装置１０１以外の他の無線基地局装置から取得してもよい。また、無線端末装置２０２が、予め移動元または移動先の無線基地局装置１０１の種別を保持していてもよい。
【０７１８】
また、無線端末装置２０２は、たとえば図３３の（Ｂ）に示すカウント方法リスト４４におけるカウント基準である重み付け係数に基づいて、実行回数をカウントしてもよい。この際、当該無線端末装置２０２は、上記ステップＳ６７６において、カウント値ＣＮＴに１．０を加算し、また、上記ステップＳ６８０において、カウント値ＣＮＴに０．５を加算する。
【０７１９】
これにより、当該無線端末装置２０２は、基地局の種別に応じて重み付けされた値をカウントすることができるので、自己の移動動作の実行回数を適切にカウントすることができる。
【０７２０】
［無線基地局装置の送信電力に基づく場合］
また、無線端末装置２０２は、移動動作の完了後において、移動動作前または移動動作後に在圏するセルを形成する無線基地局装置１０１が送信する無線信号の送信電力およびカウント基準に基づいて、当該移動動作を移動動作の実行回数のカウント対象とするかどうかを判断してもよい。
【０７２１】
図５０は、本発明の実施の形態に係る無線通信システムにおいて、無線端末装置が移動動作の実行回数をカウントする際の動作手順の他の例を定めたフローチャートである。
【０７２２】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ｂ）に示すカウント方法リスト４３に基づいて、移動動作の実行回数をカウントする状況を想定する。
【０７２３】
図５０を参照して、無線端末装置２０２は、ハンドオーバ動作またはセル再選択動作等の移動動作が完了した後において、移動元の無線基地局装置１０１、または移動先の無線基地局装置１０１から報知情報を取得する（ステップＳ７１４）。
【０７２４】
次に、無線端末装置２０２は、たとえば当該報知情報に基づいて、移動元の無線基地局装置１０１が送信する無線信号の送信電力を取得する。次に、無線端末装置２０２は、上記送信電力に基づいて、移動元の無線基地局装置１０１の種別を特定する（ステップＳ７１６）。
【０７２５】
次に、無線端末装置２０２は、特定した移動元の無線基地局装置１０１の種別が小型基地局であると判断する場合（ステップＳ７１８でＹＥＳ）、カウント基準に従って当該移動動作をカウントの対象とせず、移動動作の実行回数を示すカウント値ＣＮＴをインクリメントしない（ステップＳ７２０）。
【０７２６】
一方、無線端末装置２０２は、特定した移動元の無線基地局装置１０１の種別が小型基地局でないと判断した場合（ステップＳ７１８でＮＯ）、以下の処理を行う。
【０７２７】
すなわち、無線端末装置２０２は、たとえば当該報知情報に基づいて、移動先の無線基地局装置１０１が送信する無線信号の送信電力を取得する。次に、無線端末装置２０２は、上記送信電力に基づいて、移動先の無線基地局装置１０１の種別を特定する（ステップＳ７２２）。
【０７２８】
次に、無線端末装置２０２は、特定した移動先の無線基地局装置１０１の種別が小型基地局であると判断する場合（ステップＳ７２４でＹＥＳ）、カウント基準に従って当該移動動作をカウントの対象とせず、カウント値ＣＮＴをインクリメントしない（ステップＳ７２０）。
【０７２９】
一方、無線端末装置２０２は、特定した移動先の無線基地局装置１０１の種別が小型基地局でないと判断した場合（ステップＳ７２４でＮＯ）、カウント基準に従って当該移動動作をカウントの対象とし、カウント値ＣＮＴをインクリメントする（ステップＳ７２６）。
【０７３０】
以上の動作により、無線端末装置２０２は、移動動作の完了後において、移動動作前または移動動作後に在圏するセルを形成する無線基地局装置１０１が送信する無線信号の送信電力およびカウント基準に基づいて、当該移動動作を移動動作の実行回数のカウント対象とするかどうかを判断する。
【０７３１】
上記ステップＳ７１６において、無線端末装置２０２は、たとえば報知情報に基づいて、移動元の無線基地局装置１０１が送信する無線信号の送信電力を取得する。
【０７３２】
これにより、無線端末装置２０２は、取得した無線信号の送信電力に基づいて、移動元の無線基地局装置１０１が小型基地局であるかどうかを判断することができる。
【０７３３】
また、上記ステップＳ７２２において、無線端末装置２０２は、たとえば報知情報に基づいて、移動先の無線基地局装置１０１が送信する無線信号の送信電力を取得する。
【０７３４】
これにより、無線端末装置２０２は、取得した無線信号の送信電力に基づいて、移動先の無線基地局装置１０１が小型基地局であるかどうかを判断することができる。
【０７３５】
また、上記ステップＳ７１８またはＳ７２４において、無線端末装置２０２は、移動動作の完了後において、特定した移動元または移動先の無線基地局装置１０１が小型基地局であると判断する場合（ステップＳ７１８でＹＥＳまたはステップＳ７２４でＹＥＳ）、カウント基準に従って当該移動動作をカウントの対象としない（ステップＳ７２０）。
【０７３６】
これにより、無線端末装置２０２は、自己の移動状態が実際より速い移動状態であると誤って推定してしまうことを防ぐことができる。
【０７３７】
なお、無線端末装置２０２は、上記ステップＳ７１４において、移動動作の完了後に取得した報知情報に基づいて、移動元または移動先の無線基地局装置が小型基地局であるかどうかの判断を行ったが、上記移動動作前に既に取得していた情報を用いて上記判断を行ってもよい。
【０７３８】
また、無線端末装置２０２は、たとえば図３３の（Ｂ）に示すカウント方法リスト４４におけるカウント基準である重み付け係数に基づいて、実行回数をカウントしてもよい。この際、当該無線端末装置２０２は、上記ステップＳ７２６において、カウント値ＣＮＴに１．０を加算し、また、上記ステップＳ７２０において、カウント値ＣＮＴに０．５を加算する。
【０７３９】
これにより、当該無線端末装置２０２は、基地局の種別に応じて重み付けされた値をカウントすることができるので、自己の移動動作の実行回数を適切にカウントすることができる。
【０７４０】
また、無線端末装置２０２は、たとえば無線基地局装置１０１が送信する無線信号の送信電力、測定した上記無線信号の受信電力、および上記無線基地局装置１０１が形成するセルにおける滞在時間に基づいて、当該セルへの移動動作および当該セルからの移動動作を移動動作の実行回数のカウント対象とするかどうかを判断してもよい。
【０７４１】
具体的には、無線端末装置２０２は、上記滞在時間の間、上記送信電力に対する上記受信電力の比である電力比を監視し、監視した電力比に基づいて、自己が当該セルの中央近くを通過したかどうかについて判断する。
【０７４２】
無線端末装置２０２は、たとえば上記滞在時間が短く、かつセルの中央近くを通過する場合、自己が上記セルを高速で移動したと考え、上記セルへの移動動作および上記セルからの移動動作を移動動作の実行回数のカウント対象とすべきと判断する。
【０７４３】
また、無線端末装置２０２は、たとえば上記滞在時間が短く、かつ上記セルの中央近くを通過しない場合、自己が上記セルの端部を低速で移動したと考え、上記セルへの移動動作および上記セルからの移動動作を移動動作の実行回数のカウント対象とすべきでないと判断する。
【０７４４】
これにより、無線端末装置２０２は、無線基地局装置１０１が送信する無線信号の送信電力、上記無線信号の受信電力、および上記無線基地局装置１０１が形成するセルにおける滞在時間に基づいて、当該セルへの移動動作および当該セルからの移動動作を移動動作の実行回数のカウント対象とすべきかどうかを適切に判断することができる。
【０７４５】
また、無線端末装置２０２は、ある移動動作から次の移動動作までの滞在時間と、移動元または移動先の無線基地局装置１０１の種別と、移動元または移動先の無線基地局装置１０１から送信される無線信号の送信電力との一部、または全部の組み合わせに基づいて、移動動作をカウントの対象とするか否かについての判断を行ってもよい。
【０７４６】
［カウント方法リストにおけるカウント対象に基づく場合］
また、無線端末装置２０２は、移動動作の完了後において、移動動作後に在圏するセルを形成する無線基地局装置１０１の、カウント方法リスト４１における「カウント対象」に基づいて、移動動作の実行回数に、当該移動動作をカウントするかどうかを判断してもよい。
【０７４７】
図５１は、本発明の実施の形態に係る無線通信システムにおいて、無線端末装置が移動動作の実行回数をカウントする際の動作手順の他の例を定めたフローチャートである。
【０７４８】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３２の（Ａ）に示すカウント方法リスト４１に基づいて、実行回数をカウントする状況を想定する。
【０７４９】
図５１を参照して、無線端末装置２０２は、ハンドオーバ動作またはセル再選択動作等の移動動作が完了した後において、カウント方法リスト４１を参照し、移動動作後に在圏するセルを形成する無線基地局装置１０１のＩＤに対応するカウント対象を取得する（ステップＳ９２４）。
【０７５０】
次に、無線端末装置２０２は、当該カウント対象が「真」である場合（ステップＳ９２６でＹＥＳ）、当該移動動作をカウントの対象とし、移動動作の実行回数を示すカウント値ＣＮＴをインクリメントする（ステップＳ９３０）。
【０７５１】
一方、無線端末装置２０２は、当該カウント対象が「偽」である場合（ステップＳ９２６でＮＯ）、当該移動動作をカウントの対象とせず、カウント値ＣＮＴをインクリメントしない（ステップＳ９２８）。
【０７５２】
無線端末装置２０２は、上記ステップＳ９２６において、無線基地局装置１０１から取得したカウント方法リスト４１における「カウント対象」に基づいて、当該移動動作を移動動作の実行回数のカウント対象とするか否かについて判断する。
【０７５３】
これにより、無線端末装置２０２は、無線基地局装置１０１が指定したカウント基準であるカウント対象に基づいて、移動動作の実行回数をカウントすることができる。
【０７５４】
また、無線端末装置２０２は、たとえば広範なエリアに設置された複数の小型基地局を管理する管理基地局により作成されたカウント基準に基づいて、移動動作の実行回数をカウントすることにより、自己の移動状態を適切に推定することができる。
【０７５５】
なお、無線端末装置２０２は、カウント基準を、報知情報に含まれるカウント方法リスト４１から取得してもよいし、報知情報に含まれる周辺セル情報から取得してもよいし、ハンドオーバコマンドから取得してもよい。
【０７５６】
［カウント方法リストにおける重み付け係数に基づく場合］
また、無線端末装置２０２は、移動動作の完了後において、移動動作後に在圏するセルを形成する無線基地局装置１０１の、カウント方法リスト４２における「重み付け係数」に基づいて、当該移動動作の実行回数をカウントしてもよい。
【０７５７】
図５２は、本発明の実施の形態に係る無線通信システムにおいて、無線端末装置が移動動作の実行回数をカウントする際の動作手順の他の例を定めたフローチャートである。
【０７５８】
以下は、図４３に示すステップＳ４７４および図４４に示すステップＳ４９４に示す、カウント基準に従って移動動作の実行回数をカウントする無線端末装置２０２の詳細な動作である。当該無線端末装置２０２は、たとえば図３３の（Ａ）に示すカウント方法リスト４２に基づいて、実行回数をカウントする状況を想定する。
【０７５９】
図５２を参照して、無線端末装置２０２は、ハンドオーバ動作またはセル再選択動作等の移動動作が完了した後において、カウント方法リスト４２を参照し、移動動作後に在圏するセルを形成する無線基地局装置１０１のＩＤに対応する重み付け係数を取得する（ステップＳ９４４）。
【０７６０】
次に、無線端末装置２０２は、移動動作の実行回数を示すカウント値ＣＮＴに、当該重み付け係数を加算する（ステップＳ９４６）。
【０７６１】
上記ステップＳ９４６において、無線端末装置２０２は、無線基地局装置１０１から取得したカウント方法リストにおける「重み付け係数」を、移動動作の実行回数に加算する。
【０７６２】
これにより、無線端末装置２０２は、無線基地局装置１０１が指定したカウント基準である重み付け係数に基づいて、移動動作の実行回数をカウントすることができる。
【０７６３】
また、無線端末装置２０２は、たとえば複数のマクロ基地局を含むような広域の無線基地局装置１０１を管理する管理基地局により作成されたカウント基準に基づいて、移動動作の実行回数をカウントすることにより、自己の移動状態を適切に推定することができる。
【０７６４】
なお、無線端末装置２０２は、カウント基準を、報知情報に含まれるカウント方法リスト４２から取得してもよいし、報知情報に含まれる周辺セル情報から取得してもよいし、ハンドオーバコマンドから取得してもよい。
【０７６５】
ところで、非特許文献１に記載されるような不適切な移動動作が行なわれると、通信システムにおいて、通信断および通信トラフィックの増大等、種々の問題が生じる。
【０７６６】
これに対して、本発明の実施の形態に係る無線端末装置では、カウント部１３は、自己の無線端末装置２０２の移動動作の実行回数をカウントする。移動状態推定部１２は、カウント部１３によってカウントされた実行回数に基づいて、自己の無線端末装置２０２の移動状態を推定する。そして、カウント部１３は、無線基地局装置１０１から取得したカウント基準に従ってカウントを行う。
【０７６７】
このような構成により、無線端末装置２０２と比べて広範囲の通信環境を把握する無線基地局装置１０１から取得したカウント基準に従ってカウントを行うことができるので、無線端末装置２０２は、自己の移動状態を適切に推定することができる。
【０７６８】
これにより、無線端末装置２０２は、ヘテロジーニアスネットワークにおいて移動する場合においても、自己の移動状態を適切に推定することができる。
【０７６９】
そして、無線端末装置２０２は、適切に推定した自己の移動状態に基づいて、たとえば移動動作のタイミングを適切に調整することができる。これにより、不適切な移動動作の発生が抑制され、通信システムにおける通信の安定化を図ることができる。
【０７７０】
また、本発明の実施の形態に係る無線端末装置では、カウント部１３は、実行された自己の無線端末装置２０２の移動動作をカウント基準に従って重み付けし、重み付けした値を用いてカウントを行う。
【０７７１】
このような構成により、移動動作の種別に応じて重み付けした値を用いてカウントすることができるので、移動動作の実行回数を適切にカウントすることができる。
【０７７２】
また、本発明の実施の形態に係る無線端末装置では、カウント部１３は、自己の無線端末装置２０２の移動動作の実行回数をカウントする。移動状態推定部１２は、カウント部１３によってカウントされた実行回数に基づいて、自己の無線端末装置２０２の移動状態を推定する。そして、カウント部１３は、実行された自己の無線端末装置２０２の移動動作を所定のカウント基準に従って重み付けし、重み付けした値を用いてカウントを行う。
【０７７３】
このような構成により、移動動作の種別に応じて重み付けした値を用いてカウントすることができるので、自己の移動状態を適切に推定することができる。
【０７７４】
これにより、無線端末装置２０２は、ヘテロジーニアスネットワークにおいて移動する場合においても、自己の移動状態を適切に推定することができる。
【０７７５】
そして、無線端末装置２０２は、適切に推定した自己の移動状態に基づいて、たとえば移動動作のタイミングを適切に調整することができる。これにより、不適切な移動動作の発生が抑制され、通信システムにおける通信の安定化を図ることができる。
【０７７６】
また、本発明の実施の形態に係る無線端末装置では、カウント部１３は、実行された自己の無線端末装置２０２の移動動作が、カウント基準に従う所定条件を満たす場合には、所定条件を満たす移動動作をカウントの対象から除外する。
【０７７７】
このような構成により、カウント基準に従って上記カウントの対象として適切な移動動作を選択することができるので、移動動作の実行回数を適切にカウントすることができる。
【０７７８】
また、本発明の実施の形態に係る無線端末装置では、自己の無線端末装置２０２のハンドオーバ動作におけるハンドオーバ元の無線基地局装置１０１から受信したハンドオーバコマンドに含まれるカウント基準を取得する。
【０７７９】
このような構成により、移動動作の実行回数をカウントするために必要な情報を、無線端末装置２０２の移動動作を管理する無線基地局装置１０１から取得することができる。
【０７８０】
また、ハンドオーバ元の無線基地局装置１０１においては、当該無線基地局装置１０１が形成するセルに在圏する無線端末装置２０２の台数が特に少ない場合、報知情報によりカウント基準を繰り返して送信するよりも、無線端末装置２０２に対してカウント基準を効率よく通知することができる。
【０７８１】
また、本発明の実施の形態に係る無線端末装置では、設定部１１は、移動状態推定部１２によって推定された移動状態に基づいて、自己の無線端末装置２０２の移動動作の実行判断に関わる自己の無線端末装置２０２の設定を行う。
【０７８２】
このような構成により、自己の移動状態に基づいて、たとえば移動動作のタイミング等のパラメータの設定を適切に行うことができる。
【０７８３】
また、本発明の実施の形態に係る無線端末装置では、通知部１７は、移動状態推定部１２によって推定された移動状態を、無線基地局装置１０１へ通知する。
【０７８４】
このような構成により、当該無線基地局装置１０１において、無線端末装置２０２により通知された移動状態を用いることにより、適切なタイミングで当該無線端末装置２０２のハンドオーバ動作が行われるので、当該無線端末装置２０２における不適切なハンドオーバ動作の発生を抑制することができる。
【０７８５】
また、本発明の実施の形態に係る無線端末装置では、設定部１１は、上記移動状態に基づいて、自己の無線端末装置２０２のハンドオーバ動作の実行判断に関わる自己の無線端末装置２０２の動作に関する設定を行う。
【０７８６】
このような構成により、ハンドオーバ動作の実行判断に関わる動作を行うタイミングを調整することができる。無線端末装置２０２の移動状態に基づいて上記タイミングの調整を適切に行うことにより、ハンドオーバ動作のタイミングが適正化され、不適切なハンドオーバ動作の発生を抑制することができる。
【０７８７】
また、本発明の実施の形態に係る無線端末装置では、カウント部１３は、無線基地局装置１０１から取得した情報に基づいて、上記所定条件を満たすか否かを判断する。
【０７８８】
このような構成により、たとえば無線基地局装置１０１における無線信号の送信電力の設定変更により通信システムの構成が変更される場合においても、当該変更を無線端末装置２０２において速やかに反映させることができるので、通信システムの変更に対する柔軟性を高めることができる。
【０７８９】
また、周辺の無線基地局装置１０１の情報を予め取得することにより、移動動作の開始に先立って当該移動動作をカウントの対象とするか否かを判断することができる。これにより、無線端末装置２０２は、当該移動動作を自己の移動状態の推定に速やかに反映させることができる。
【０７９０】
また、本発明の実施の形態に係る無線端末装置では、基地局種別判定部１５は、移動動作における移動元または移動先の無線基地局装置１０１から送信される無線信号の送信電力に基づいて、上記移動動作における移動元または移動先の無線基地局装置１０１の種別を判定する。そして、カウント部１３は、基地局種別判定部１５の判定結果に基づいて、上記移動動作をカウントの対象とするか否かを判断する。
【０７９１】
このような構成により、無線基地局装置１０１が送信する無線信号の送信電力に基づいて、当該無線基地局装置１０１の種別を適切に判別し、上記カウントの対象として適切な移動動作を選択することができる。
【０７９２】
また、本発明の実施の形態に係る無線端末装置では、カウント部１３は、自己の無線端末装置２０２の無線基地局装置１０１への移動動作が行われてから他の無線基地局装置１０１への移動動作が行われるまでの滞在時間が所定のしきい値未満の場合に、上記移動動作をカウントの対象から除外する。
【０７９３】
このように、移動動作の完了後に在圏するセルにおける滞在時間を選択基準にする構成により、上記カウントの対象として適切な移動動作を選択し、自己の移動状態を適切に推定することができる。
【０７９４】
また、本発明の実施の形態に係る無線端末装置では、カウント部１３は、自己の無線端末装置２０２の他の無線基地局装置１０１から小型基地局への移動動作が行われた場合に、上記移動動作をカウントの対象から除外する。
【０７９５】
このように、他の無線基地局装置１０１から小型基地局への移動動作をカウントの対象から除外する構成により、上記カウントの対象として適切な移動動作を選択し、自己の移動状態を適切に推定することができる。
【０７９６】
また、本発明の実施の形態に係る無線端末装置では、カウント部１３は、自己の無線端末装置２０２の小型基地局から他の無線基地局装置１０１への移動動作が行われた場合に、上記移動動作をカウントの対象から除外する。
【０７９７】
このように、小型基地局から他の無線基地局装置１０１への移動動作をカウントの対象から除外する構成により、上記カウントの対象として適切な移動動作を選択し、自己の移動状態を適切に推定することができる。
【０７９８】
また、本発明の実施の形態に係る無線端末装置では、カウント部１３は、自己の無線端末装置２０２のマクロ基地局から他の無線基地局装置１０１への移動動作または他の無線基地局装置１０１からマクロ基地局への移動動作が行われた場合に、上記移動動作をカウントの対象とする。
【０７９９】
このように、サイズが大きいマクロセルを移動元または移動先とする移動動作をカウント対象とする構成により、上記カウントの対象として適切な移動動作を選択し、自己の移動状態を適切に推定することができる。
【０８００】
また、本発明の実施の形態に係る無線端末装置では、カウント部１３は、自己の無線端末装置２０２のハンドオーバ動作の実行回数をカウントする。移動状態推定部１２は、カウント部１３によってカウントされた実行回数に基づいて、自己の無線端末装置２０２の移動状態を推定する。設定部１１は、移動状態推定部１２によって推定された移動状態に基づいて、ＴＴＴの値を設定する。受信電力測定部１６は、無線基地局装置１０１から送信される無線信号の受信電力を測定し、測定結果がＴＴＴで示される時間継続して所定条件を満たす場合に、測定結果を示すメジャメントレポートを通信接続先の無線基地局装置１０１へ、通知部１７経由で送信する。そして、カウント部１３は、無線基地局装置１０１から取得したカウント基準に従ってカウントを行う。
【０８０１】
このような構成により、無線端末装置２０２と比べて広範囲の通信環境を把握する無線基地局装置１０１から取得したカウント基準に従ってカウントを行うことができるので、無線端末装置２０２は、自己の移動状態を適切に推定することができる。
【０８０２】
これにより、無線端末装置２０２は、ヘテロジーニアスネットワークにおいて移動する場合においても、自己の移動状態を適切に推定することができる。
【０８０３】
そして、無線端末装置２０２は、３ＧＰＰで規定された無線端末装置２０２によるハンドオーバ動作のタイミング調整の機能を実現するために、適切に推定した自己の移動状態に基づいて、ＴＴＴの調整を適切に行うことにより、ハンドオーバ動作のタイミングを適切に調整することが可能となる。
【０８０４】
これにより、不適切なハンドオーバ動作の発生が抑制され、通信システムにおける通信の安定化を図ることができる。
【０８０５】
また、本発明の実施の形態に係る無線端末装置では、カウント部１３は、自己の無線端末装置２０２のハンドオーバ動作の実行回数をカウントする。移動状態推定部１２は、カウント部１３によってカウントされた実行回数に基づいて、自己の無線端末装置２０２の移動状態を推定する。設定部１１は、移動状態推定部１２によって推定された移動状態に基づいて、ＴＴＴの値を設定する。受信電力測定部１６は、無線基地局装置１０１から送信される無線信号の受信電力を測定し、測定結果がＴＴＴで示される時間継続して所定条件を満たす場合に、測定結果を示すメジャメントレポートを通信接続先の無線基地局装置１０１へ、通知部１７経由で送信する。そして、カウント部１３は、実行された自己の無線端末装置２０２のハンドオーバ動作を所定のカウント基準に従って重み付けし、重み付けした値を用いてカウントを行う。
【０８０６】
このような構成により、移動動作の種別に応じて重み付けした値を用いてカウントすることができるので、自己の移動状態を適切に推定することができる。
【０８０７】
これにより、無線端末装置２０２は、ヘテロジーニアスネットワークにおいて移動する場合においても、自己の移動状態を適切に推定することができる。
【０８０８】
そして、無線端末装置２０２は、３ＧＰＰで規定された無線端末装置２０２によるハンドオーバ動作のタイミング調整の機能を実現するために、適切に推定した自己の移動状態に基づいて、ＴＴＴの調整を適切に行うことにより、ハンドオーバ動作のタイミングを適切に調整することが可能となる。
【０８０９】
これにより、不適切なハンドオーバ動作の発生が抑制され、通信システムにおける通信の安定化を図ることができる。
【０８１０】
また、本発明の実施の形態に係る無線基地局装置では、カウント方法リスト作成部２２は、移動動作を行なうことにより複数の無線基地局装置１０１と通信可能であり、かつカウント基準に従って移動動作の実行回数をカウントする無線端末装置２０２について、カウント基準を作成する。そして、カウント方法リスト通知部２３は、カウント方法リスト作成部２２によって作成されたカウント基準を、他の無線基地局装置１０１または無線端末装置２０２に通知する。
【０８１１】
このように、たとえば無線端末装置２０２または他の無線基地局装置１０１へ当該カウント基準を通知することにより、当該カウント基準に基づいて、通信システムにおける無線端末装置２０２の移動状態を、無線端末装置２０２において適切に推定することができる。
【０８１２】
これにより、無線端末装置２０２は、自己の移動状態に基づいて、たとえば移動動作のタイミングを適切に調整することができるので、不適切な移動動作の発生が抑制され、通信システムにおける通信の安定化を図ることができる。
【０８１３】
また、たとえば、ある無線基地局装置１０１が、不適切な移動動作を含む複数の移動動作を管理する場合、不適切な移動動作の発生状況を考慮した上で、適切なカウント基準を作成することができる。
【０８１４】
また、本発明の実施の形態に係る無線基地局装置では、カウント方法リスト作成部２２は、各無線基地局装置１０１を重み付けする。そして、カウント方法リスト通知部２３は、カウント方法リスト作成部２２による重み付け結果をカウント基準として通知する。
【０８１５】
このような構成により、無線基地局装置１０１毎に、移動動作のカウント基準を細かく重み付けすることができるので、通信システムにおける無線端末装置２０２の移動状態を、当該カウント基準に基づいて適切に推定することができる。
【０８１６】
また、本発明の実施の形態に係る無線基地局装置では、カウント方法リスト通知部２３は、カウント方法リスト作成部２２による重み付け結果を各無線基地局装置１０１に通知する。
【０８１７】
このような構成により、たとえばある無線基地局装置１０１が、自己により形成されるセル内に位置する他の無線基地局装置１０１を管理する場合、当該無線基地局装置１０１は、当該他の無線基地局装置１０１の設置数の密度に応じた重み付け結果を、当該他の無線基地局装置１０１へ送信することができる。
【０８１８】
これにより、当該無線基地局装置１０１は、当該重み付け結果に基づいて、無線端末装置２０２に対して移動状態を適切に推定させることができるので、広範なエリアにわたって無線端末装置２０２の移動動作を最適化することができる。
【０８１９】
なお、本発明の実施の形態に係る無線通信システムでは、無線基地局装置１０１が通信制御装置として動作する。すなわち、無線基地局装置１０１が、カウント基準を含むカウント方法リスト４１，４２，４３，４４を作成し、作成したカウント方法リスト４１，４２，４３，４４を他の無線基地局装置１０１または無線端末装置２０２へ送信する構成であるとしたが、これに限定するものではない。通信制御装置は、１または複数の無線基地局装置１０１を管理するための管理装置であってもよい。具体的には、ＭＭＥ１６２またはコアネットワーク３０１と通信接続するＯＡＭ（Operation, Administration, and Maintenance）サーバ等、無線基地局装置１０１を管理するための管理装置が、カウント基準を含むカウント方法リスト４１，４２，４３，４４を作成し、作成したカウント方法リスト４１，４２，４３，４４を他の無線基地局装置１０１へ送信する構成であってもよい。
【０８２０】
この場合、管理装置において、基地局検出部は、たとえば休止状態にある周辺基地局が始動することにより、Ｘ２インタフェースを介した当該周辺基地局との通信接続の確立を検出すると、当該周辺基地局のＩＤをカウント方法リスト作成部へ出力する。
【０８２１】
カウント方法リスト作成部は、検出された無線基地局装置１０１のＩＤを基地局検出部から受けると、受けたＩＤに基づいて、たとえばカウント基準を示すカウント方法リスト４１または４２を更新する。そして、カウント方法リスト作成部は、たとえば更新したカウント方法リスト４１または４２を、カウント方法リスト通知部へ出力する。
【０８２２】
カウント方法リスト通知部は、カウント方法リスト作成部からたとえばカウント方法リスト４１または４２を受けると、受けたカウント方法リスト４１または４２の一部または全部を他の無線基地局装置１０１へ送信する。
【０８２３】
このような構成により、無線通信システム４０１において、各無線基地局装置１０１がカバーする領域が変わってしまう場合においても、柔軟に対応することができる。
【０８２４】
具体的には、たとえば、無線通信システム４０１において、無線基地局装置１０１が新たに追加された場合、各無線基地局装置１０１が送信する無線信号の送信電力が変更されることにより当該各無線基地局装置１０１が形成するセルの大きさが変更された場合、または当該セル内において建物が新たに建設された場合において、各無線基地局装置１０１がカバーする領域が変わってしまう。
【０８２５】
このため、たとえば、あるマクロ基地局が形成するマクロセル内に位置していた小型基地局が、他のマクロ基地局が形成するマクロセル内に位置するようになったりすることにより、無線基地局装置１０１が形成するセルの隣接セルが変わってしまったりする。
【０８２６】
このような場合、ある管理基地局が管理する被管理基地局が、他の管理基地局により管理されるようになったりするため、管理基地局は、適切なカウント方法リストを作成できなかったりしてしまうという問題が発生する。
【０８２７】
管理装置が、複数のマクロ基地局を含むような広域の無線基地局装置１０１を管理することにより、各無線基地局装置１０１のカバーエリアが変更された場合においても柔軟に対応することができるので、カウント方法リストを適切に作成することができる。
【０８２８】
なお、本発明の実施の形態に係る無線端末装置２０２は、移動動作の完了後に移動状態の更新処理を行ったが、これに限定するものではない。たとえば、無線端末装置２０２は、各無線基地局装置１０１の報知情報を保存しておき、所定回数移動動作が完了した後に、上記移動動作を移動動作の実行回数のカウント対象とするかどうかを保存した各報知情報に基づいて判断した後、移動状態の更新処理を行ってもよい。
【０８２９】
また、本発明の実施の形態に係る無線端末装置２０２は、在圏するセルにおける滞在時間を当該無線端末装置２０２が計測したが、これに限定するものではない。たとえば、無線基地局装置１０１が、自己が形成するセルに在圏する無線端末装置２０２の滞在時間を計測してもよい。
【０８３０】
また、本発明の実施の形態に係る無線端末装置２０２は、移動動作を行う際に、接続確立状態のハンドオーバ回数とアイドル状態のセル再選択回数を独立にカウントする必要はない。たとえば、無線端末装置２０２は、接続確立状態およびアイドル状態を交互に繰り返しながら移動動作を行う際には、ハンドオーバ回数およびセル再選択回数を合わせた値に基づいて自己の移動状態を推定してもよい。
【０８３１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０８３２】
１１  設定部
１２  移動状態推定部
１３  カウント部
１４  タイマ
１５  基地局種別判定部
１６  受信電力測定部（受信電力報告部）
１７  通知部（受信電力報告部）
２１  基地局検出部（カウント基準作成部）
２２  カウント方法リスト作成部（カウント基準作成部）
２３  カウント方法リスト通知部（カウント基準通知部）
８１  アンテナ
８２  サーキュレータ
８３  無線受信部
８４  無線送信部
８５  信号処理部
８６  受信信号処理部
８７  送信信号処理部
８８  制御部
８９  入出力部
９１  アンテナ
９２  サーキュレータ
９３  無線受信部
９４  無線送信部
９５  信号処理部
９６  受信信号処理部
９７  送信信号処理部
９８  制御部
１０１  無線基地局装置（通信制御装置）
１６１  Ｓ-ＧＷ
１６２  ＭＭＥ
１６３  Ｐ−ＧＷ
２０２  無線端末装置
３０１  コアネットワーク
３０２  ＩＰ網
【図１】
2013201586.tif 000003
【図２】
2013201586.tif 000004
【図３】
2013201586.tif 000005
【図４】
2013201586.tif 000006
【図５】
2013201586.tif 000007
【図６】
2013201586.tif 000008
【図７】
2013201586.tif 000009
【図８】
2013201586.tif 000010
【図９】
2013201586.tif 000011
【図１０】
2013201586.tif 000012
【図１１】
2013201586.tif 000013
【図１２】
2013201586.tif 000014
【図１３】
2013201586.tif 000015
【図１４】
2013201586.tif 000016
【図１５】
2013201586.tif 000017
【図１６】
2013201586.tif 000018
【図１７】
2013201586.tif 000019
【図１８】
2013201586.tif 000020
【図１９】
2013201586.tif 000021
【図２０】
2013201586.tif 000022
【図２１】
2013201586.tif 000023
【図２２】
2013201586.tif 000024
【図２３】
2013201586.tif 000025
【図２４】
2013201586.tif 000026
【図２５】
2013201586.tif 000027
【図２６】
2013201586.tif 000028
【図２７】
2013201586.tif 000029
【図２８】
2013201586.tif 000030
【図２９】
2013201586.tif 000031
【図３０】
2013201586.tif 000032
【図３１】
2013201586.tif 000033
【図３２】
2013201586.tif 000034
【図３３】
2013201586.tif 000035
【図３４】
2013201586.tif 000036
【図３５】
2013201586.tif 000037
【図３６】
2013201586.tif 000038
【図３７】
2013201586.tif 000039
【図３８】
2013201586.tif 000040
【図３９】
2013201586.tif 000041
【図４０】
2013201586.tif 000042
【図４１】
2013201586.tif 000043
【図４２】
2013201586.tif 000044
【図４３】
2013201586.tif 000045
【図４４】
2013201586.tif 000046
【図４５】
2013201586.tif 000047
【図４６】
2013201586.tif 000048
【図４７】
2013201586.tif 000049
【図４８】
2013201586.tif 000050
【図４９】
2013201586.tif 000051
【図５０】
2013201586.tif 000052
【図５１】
2013201586.tif 000053
【図５２】
2013201586.tif 000054